(57)【特許請求の範囲】
【請求項１】
複数のゲートバスラインと、
複数のソースバスラインと、
複数の補助容量バスラインと、
前記複数のゲートバスラインのうち任意のゲートバスラインに接続されたゲートと、前記複数のソースバスラインのうち任意のソースバスラインに接続されたソースとを備えたトランジスタと、
前記トランジスタのドレインに接続された画素電極と、
一端が前記画素電極と並列に前記トランジスタのドレインに接続され、他の一端が前記複数の補助容量バスラインのうち任意の補助容量バスラインに接続されたキャパシタと、
前記複数のソースバスラインのそれぞれの一端に接続され、前記任意のソースバスラインに対してソース信号を供給するソースドライバと、
前記複数のゲートバスラインのそれぞれの一端に接続され、前記トランジスタを導通させる導通信号を前記任意のゲートバスラインに対して逐次的に供給するゲートドライバと、
液晶を介して前記画素電極に対向する対向電極と、
前記対向電極に接続された対向電極用配線と、
前記対向電極用配線に対して共通電位を供給する対向電極ドライバと、
を備えた表示パネルであって、
前記ゲートドライバが前記任意のゲートバスラインに対して前記導通信号を供給してから次の前記導通信号を供給するまでの１走査期間において、前記任意の補助容量バスラインに対し、前記導通信号に同期して、少なくとも第１の電圧レベルおよび前記第１の電圧レベルと異なる第２の電圧レベルからなる矩形状の電圧信号を供給する補助容量ドライバを備えており、
前記１走査期間において、前記矩形状の電圧信号が前記第１の電圧レベルである期間、および、前記第２の電圧レベルである期間は、それぞれ、前記液晶の応答時間よりも長く、
前記矩形状の電圧信号は、前記１走査期間の開始から前記１走査期間の略１０パーセントの期間が経過するまでの期間において、前記第１の電圧レベルまたは前記第２の電圧レベルのうち一方の電圧レベルをとり、前記１走査期間の略９０パーセントの期間が経過してから前記１走査期間が終了するまでの期間において、前記第１の電圧レベルまたは前記第２の電圧レベルのうち他の一方の電圧レベルをとり、
２つの前記補助容量ドライバを備え、
前記任意の補助容量バスラインは、絶縁部を介して同一直線上に形成された２本の補助容量バスラインから構成され、
２つの前記補助容量ドライバのうち一方の前記補助容量ドライバは、
前記１走査期間において、前記２本の補助容量バスラインのうち一方の補助容量バスラインに対し、前記導通信号に同期して、第１の電圧レベルおよび前記第１の電圧レベルと異なる第２の電圧レベルからなる矩形状の電圧信号を供給し、
２つの前記補助容量ドライバのうち他の一方の前記補助容量ドライバは、
前記１走査期間において、前記２本の補助容量バスラインのうち他の一方の補助容量バスラインに対し、前記導通信号に同期して、第１の電圧レベルおよび前記第１の電圧レベルと異なる第２の電圧レベルからなる矩形状の電圧信号を供給する、
ことを特徴とする表示パネル。
【請求項２】
前記矩形状の電圧信号は、前記１走査期間の少なくとも１０パーセントの連続した期間において、前記第１の電圧レベルまたは前記第２の電圧レベルのうち一方の値の電圧レベルをとる、
ことを特徴とする請求項１に記載の表示パネル。
【請求項３】
前記１走査期間において、前記矩形状の電圧信号が前記第１の電圧レベルであるときの前記画素電極の電位と前記対向電極の電位との差によって表される前記液晶への印加電圧の極性と、前記矩形状の電圧信号が前記第２の電圧レベルであるときの前記画素電極の電位と前記対向電極の電位との差によって表される前記液晶への印加電圧の極性とは、互いに異なった極性である、
ことを特徴とする請求項１または２に記載の表示パネル。
【請求項４】
前記第１の電圧レベルと、前記第２の電圧レベルとの電位差の絶対値は、液晶の閾値電圧の２倍以下である、
ことを特徴とする請求項１から３の何れか１項に記載の表示パネル。
【請求項５】
前記補助容量ドライバは、前記１走査期間において、前記任意の補助容量バスラインに対し、前記導通信号に同期して、前記第１の電圧レベルと、前記第２の電圧レベルと、前記第１の電圧レベルおよび前記第２の電圧レベルの何れとも異なる第３の電圧レベルとからなる矩形状の電圧信号を供給する、
ことを特徴とする請求項１に記載の表示パネル。
【請求項６】
前記矩形状の電圧信号は、前記１走査期間の少なくとも１０パーセントの期間において、前記第１の電圧レベル、前記第２の電圧レベル、または、前記第３の電圧レベルのうち、何れかの電圧レベルをとる、
ことを特徴とする請求項５に記載の表示パネル。
【請求項７】
前記矩形状の電圧信号は、前記１走査期間の開始から前記１走査期間の略１０パーセントの期間が経過するまでの期間において、前記第１の電圧レベル、前記第２の電圧レベル、または、前記第３の電圧レベルのうち何れか１つの電圧レベルをとり、前記１走査期間の略９０パーセントの期間が経過してから前記１走査期間が終了するまでの期間において、前記第１の電圧レベル、前記第２の電圧レベル、または、前記第３の電圧レベルのうち他の１つの電圧レベルをとる、
ことを特徴とする請求項５または６に記載の表示パネル。
【請求項８】
前記１走査期間において、最初の前記電圧レベルの遷移後における前記画素電極の電位と前記対向電極の電位との差によって表される前記液晶への印加電圧の極性と、次の前記電圧レベルの遷移後における前記画素電極の電位と前記対向電極の電位との差によって表される前記液晶への印加電圧の極性とは、互いに異なった極性である、
ことを特徴とする請求項５から７の何れか１項に記載の表示パネル。
【請求項９】
前記第１の電圧レベル、前記第２の電圧レベル、および、前記第３の電圧レベルのうち、最も高い電圧レベルと、前記第１の電圧レベル、前記第２の電圧レベル、および、前記第３の電圧レベルのうち、中間の電圧レベルとの電位差の絶対値は、液晶の閾値電圧の２倍以下である、
ことを特徴とする請求項５から８の何れか１項に記載の表示パネル。
【請求項１０】
前記補助容量ドライバは、前記１走査期間において、前記任意の補助容量バスラインに対し、前記導通信号に同期して、前記第１の電圧レベルと、前記第２の電圧レベルと、前記第１の電圧レベルおよび前記第２の電圧レベルの何れとも異なる第３の電圧レベルとからなる矩形状の電圧信号を供給し、前記１走査期間の次の１走査期間において、前記第１の電圧レベル、前記第２の電圧レベル、および、前記第３の電圧レベルのうち、何れか２つの電圧レベルと、前記第１の電圧レベル、前記第２の電圧レベル、および、前記第３の電圧レベルの何れとも異なる第４の電圧レベルとからなる矩形状の電圧信号を供給する、ことを特徴とする請求項１に記載の表示パネル。
【請求項１１】
前記１走査期間における最初の前記電圧レベルの遷移の前後における前記電圧レベルの電位差の絶対値は、前記１走査期間における次の前記電圧レベルの遷移の前後における前記電圧レベルの電位差の絶対値よりも小さい、
ことを特徴とする請求項１０に記載の表示パネル。
【請求項１２】
前記矩形状の電圧信号は、前記１走査期間の少なくとも１０パーセントの期間において、前記第１の電圧レベル、前記第２の電圧レベル、前記第３の電圧レベル、または、前記第４の電圧レベルのうち、何れかの電圧レベルをとる、
ことを特徴とする請求項１０または１１に記載の表示パネル。
【請求項１３】
前記矩形状の電圧信号は、前記１走査期間の開始から前記１走査期間の略１０パーセントの期間が経過するまでの期間において、前記第１の電圧レベル、前記第２の電圧レベル、前記第３の電圧レベル、または、前記第４の電圧レベルのうち何れか１つの電圧レベルをとり、前記１走査期間の略９０パーセントの期間が経過してから前記１走査期間が終了するまでの期間において、前記第１の電圧レベル、前記第２の電圧レベル、前記第３の電圧レベル、または、前記第４の電圧レベルのうち他の１つの電圧レベルをとる、
ことを特徴とする請求項１０から１２の何れか１項に記載の表示パネル。
【請求項１４】
前記１走査期間において、最初の前記電圧レベルの遷移後における前記画素電極の電位と前記対向電極の電位との差によって表される前記液晶への印加電圧の極性と、次の前記電圧レベルの遷移後における前記画素電極の電位と前記対向電極の電位との差によって表される前記液晶への印加電圧の極性とは、互いに異なった極性である、
ことを特徴とする請求項１０から１３の何れか１項に記載の表示パネル。
【請求項１５】
前記第１の電圧レベル、前記第２の電圧レベル、前記第３の電圧レベル、および、前記第４の電圧レベルのうち、２番目に低い電圧レベルと、前記第１の電圧レベル、前記第２の電圧レベル、前記第３の電圧レベル、および、前記第４の電圧レベルのうち、最も高い電圧レベルとの電位差の絶対値は、液晶の閾値電圧の２倍以下である、
ことを特徴とする請求項１０から１４の何れか１項に記載の表示パネル。
【請求項１６】
前記ゲートドライバが前記任意のゲートバスラインに対して前記導通信号を供給したときに、前記任意の補助容量バスラインに対して前記電圧レベルのうち、最も低い電圧レベルが供給されている場合には、
前記補助容量ドライバは、前記任意の補助容量バスラインに対して、前記１走査期間において、前記電圧レベルが昇順である前記矩形状の電圧信号を供給する、
ことを特徴とする請求項１から１５の何れか１項に記載の表示パネル。
【請求項１７】
前記ゲートドライバが前記任意のゲートバスラインに対して前記導通信号を供給したときに、前記任意の補助容量バスラインに対して前記電圧レベルのうち、最も高い電圧レベルが供給されている場合には、
前記補助容量ドライバは、前記任意の補助容量バスラインに対して、前記１走査期間において、前記電圧レベルが降順である前記矩形状の電圧信号を供給する、
ことを特徴とする請求項１から１６の何れか１項に記載の表示パネル。
【請求項１８】
前記補助容量ドライバは、
前記複数のゲートバスラインのうちｎ番目のゲートバスラインに前記トランジスタ及び前記キャパシタを介して接続された前記補助容量バスラインと、
前記複数のゲートバスラインのうちｎ＋１番目のゲートバスラインに前記トランジスタ及び前記キャパシタを介して接続された前記補助容量バスラインと、
に対し、
前記矩形状の電圧信号を同期して供給する、
ことを特徴とする請求項１から１７の何れか１項に記載の表示パネル。
【請求項１９】
前記補助容量ドライバは、
前記複数のゲートバスラインのうちｎ番目のゲートバスラインに前記トランジスタ及び前記キャパシタを介して接続された前記補助容量バスラインと、
前記複数のゲートバスラインのうちｎ＋２番目のゲートバスラインに前記トランジスタ及び前記キャパシタを介して接続された前記補助容量バスラインと、
に対し、
前記矩形状の電圧信号を同期して供給する、
ことを特徴とする請求項１から１７の何れか１項に記載の表示パネル。
【請求項２０】
前記複数のゲートバスラインの本数は偶数であり、
前記複数の補助容量バスラインの本数は、前記ゲートバスラインの本数の半数であり、
前記複数のゲートバスラインのうち２ｋ−１番目（ｋは自然数）のゲートバスラインに前記トランジスタを介して接続された前記キャパシタの前記他の一端と、
前記複数のゲートバスラインのうち２ｋ番目のゲートバスラインに前記トランジスタを介して接続された前記キャパシタの前記他の一端とが、
前記複数の補助容量バスラインのうちｋ番目の補助容量バスラインに接続されている、
ことを特徴とする請求項１から１７の何れか１項に記載の表示パネル。
【請求項２１】
前記補助容量ドライバは、前記矩形状の電圧信号の振幅の大きさを変更する振幅変更手段を備えている、
ことを特徴とする請求項１から２０の何れか１項に記載の表示パネル。
【請求項２２】
前記ソースドライバは、前記矩形状の電圧信号の振幅がより小さい場合に、より振幅の大きな前記ソース信号を供給し、前記矩形状の電圧信号の振幅がより大きい場合に、より振幅の小さな前記ソース信号を供給する、
ことを特徴とする請求項２１に記載の表示パネル。
【請求項２３】
前記ソースドライバは、
前記一方の補助容量バスラインに前記キャパシタおよび前記トランジスタを介して接続された前記ソースバスラインと、前記他の一方の補助容量バスラインに前記キャパシタおよび前記トランジスタを介して接続された前記ソースバスラインとに対し、それぞれ振幅の異なったソース信号を供給する
ことを特徴とする請求項１から２２の何れか１項に記載の表示パネル。
【請求項２４】
前記一方の補助容量バスラインの長さは、前記任意の補助容量バスラインの長さの略４５パーセントから略５５パーセントの長さであり、前記他の一方の補助容量バスラインの長さは、前記任意の補助容量バスラインの長さから前記一方の補助容量バスラインの長さを引いた長さに略等しい、ことを特徴とする請求項１から２３の何れか１項に記載の表示パネル。
【請求項２５】
前記一方の補助容量ドライバは、前記矩形状の電圧信号の振幅の大きさを変更する第１の振幅変更手段を備えており、前記他の一方の補助容量ドライバは、前記矩形状の電圧信号の振幅の大きさを変更する第２の振幅変更手段を備えている、
ことを特徴とする請求項１から２４の何れか１項に記載の表示パネル。
【請求項２６】
前記ソースドライバは、
前記一方の補助容量ドライバが前記一方の補助容量バスラインに振幅のより小さい前記矩形状の電圧信号を供給した場合には、前記一方の補助容量バスラインに前記キャパシタおよび前記トランジスタを介して接続された前記ソースバスラインに対して振幅のより大きい前記ソース信号を供給し、
前記一方の補助容量ドライバが前記一方の補助容量バスラインに振幅のより大きい前記矩形状の電圧信号を供給した場合には、前記一方の補助容量バスラインに前記キャパシタおよび前記トランジスタを介して接続された前記ソースバスラインに対して振幅のより小さい前記ソース信号を供給し、
前記他の一方の補助容量ドライバが前記他の一方の補助容量バスラインに振幅のより小さい前記矩形状の電圧信号を供給した場合には、前記他の一方の補助容量バスラインに前記キャパシタおよび前記トランジスタを介して接続された前記ソースバスラインに対して振幅のより大きい前記ソース信号を供給し、
前記他の一方の補助容量ドライバが前記他の一方の補助容量バスラインに振幅のより大きい前記矩形状の電圧信号を供給した場合には、前記他の一方の補助容量バスラインに前記キャパシタおよび前記トランジスタを介して接続された前記ソースバスラインに対して振幅のより小さい前記ソース信号を供給する、
ことを特徴とする請求項２５に記載の表示パネル。
【請求項２７】
請求項１から２６の何れか１項に記載の表示パネルを備えている、
ことを特徴とする液晶表示装置。
【請求項２８】
複数のゲートバスラインと、
複数のソースバスラインと、
複数の補助容量バスラインと、
前記複数のゲートバスラインのうち任意のゲートバスラインに接続されたゲートと、前記複数のソースバスラインのうち任意のソースバスラインに接続されたソースとを備えたトランジスタと、
前記トランジスタのドレインに接続された画素電極と、
一端が前記画素電極と並列に前記トランジスタのドレインに接続され、他の一端が前記複数の補助容量バスラインのうち任意の補助容量バスラインに接続されたキャパシタと、
前記複数のソースバスラインのそれぞれの一端に接続され、前記任意のソースバスラインに対してソース信号を供給するソースドライバと、
前記複数のゲートバスラインのそれぞれの一端に接続され、前記トランジスタを導通させる導通信号を前記任意のゲートバスラインに対して逐次的に供給するゲートドライバと、
液晶を介して前記画素電極に対向する対向電極と、
前記対向電極に接続された対向電極用配線と、
前記対向電極用配線に対して共通電位を供給する対向電極ドライバと、
を備えた表示パネルを駆動する駆動方法であって、
前記ゲートドライバが前記任意のゲートバスラインに対して前記導通信号を供給してから次の前記導通信号を供給するまでの１走査期間において、前記任意の補助容量バスラインに対し、前記導通信号に同期して、少なくとも第１の電圧レベルおよび前記第１の電圧レベルと異なる第２の電圧レベルからなる矩形状の電圧信号を供給する電圧信号供給工程を含んでおり、
前記１走査期間において、前記矩形状の電圧信号が前記第１の電圧レベルである期間、および、前記第２の電圧レベルである期間は、それぞれ、前記液晶の応答時間よりも長く、
前記矩形状の電圧信号は、前記１走査期間の開始から前記１走査期間の略１０パーセントの期間が経過するまでの期間において、前記第１の電圧レベルまたは前記第２の電圧レベルのうち一方の電圧レベルをとり、前記１走査期間の略９０パーセントの期間が経過してから前記１走査期間が終了するまでの期間において、前記第１の電圧レベルまたは前記第２の電圧レベルのうち他の一方の電圧レベルをとり、
２つの前記電圧信号供給工程を含み、
２つの前記電圧信号供給工程のうち一方の前記電圧信号供給工程は、
前記１走査期間において、前記任意の補助容量バスラインを構成する、絶縁部を介して同一直線上に形成された２本の補助容量バスラインのうち一方の補助容量バスラインに対し、前記導通信号に同期して、第１の電圧レベルおよび前記第１の電圧レベルと異なる第２の電圧レベルからなる矩形状の電圧信号を供給し、
２つの前記電圧信号供給工程のうち他の一方の前記電圧信号供給工程は、
前記１走査期間において、前記２本の補助容量バスラインのうち他の一方の補助容量バスラインに対し、前記導通信号に同期して、第１の電圧レベルおよび前記第１の電圧レベルと異なる第２の電圧レベルからなる矩形状の電圧信号を供給する、
ことを特徴とする駆動方法。
【発明の詳細な説明】
【技術分野】
【０００１】
本発明は、液晶を用いて画像を表示する表示パネルに関する。また、そのような表示パネルを備えた液晶表示装置に関する。
【背景技術】
【０００２】
従来、画像を表示するための画像表示装置は、ＣＲＴ（陰極線管）などのインパルス型の画像表示装置と、液晶表示装置などのホールド型の画像表示装置に大別される。【０００３】
インパルス型の画像表示装置においては、画像が表示される点灯期間と、画像が表示されない消灯期間が交互に繰り返されるのに対し、ホールド型の画像表示装置においては、通常、消灯期間が設けられていない。【０００４】
そのため、ホールド型の画像表示装置は、インパルス型の画像表示装置に比べて、動画ボケが発生し易いという性質がある。【０００５】
その理由としては、ホールド型の表示装置においては、あるフレームが表示されてから次のフレームが表示されるまで、物体がその位置に留まって表示されるが、観察者の視線は、物体が留まって表示されている期間であってもその物体を追尾しようと画面上を移動するため、動く物体の輪郭がぼけているように認識されてしまうことが挙げられる。【０００６】
特許文献１には、１フレーム期間を２つのサブフレームに分割し、前半サブフレームと後半サブフレームとに対し、それぞれ、階調レベルの異なった画像信号を供給する画像表示装置が開示されている。特許文献１に記載された技術によれば、前半サブフレームにおける画像の輝度と、後半サブフレームにおける画像の輝度とを異ならせることによって、上記の動画ボケの現象を抑制することができる。
【先行技術文献】
【特許文献】
【０００７】
【特許文献１】日本国公開特許公報「特開２００５−１７３５７３（２００５年６月３０日公開）」
【発明の概要】
【発明が解決しようとする課題】
【０００８】
しかしながら、特許文献１に記載された技術は、入力画像信号を一旦記憶しておくためのフレームメモリを必要とするため、製造コストが増大するという問題を有している。また、フレームの表示ごとに上記フレームメモリにアクセスする必要があるため、消費電力が増大するという問題を有している。【０００９】
本発明は上記の問題に鑑みてなされたものであり、その目的は、製造コスト、および、消費電力の増大を抑止しつつ、上記の動画ボケの現象を抑制することのできる表示パネルを実現することにある。
【課題を解決するための手段】
【００１０】
上記の問題を解決するために、本発明に係る表示パネルは、複数のゲートバスラインと、複数のソースバスラインと、複数の補助容量バスラインと、前記複数のゲートバスラインのうち任意のゲートバスラインに接続されたゲートと、前記複数のソースバスラインのうち任意のソースバスラインに接続されたソースとを備えたトランジスタと、前記トランジスタのドレインに接続された画素電極と、一端が前記画素電極と並列に前記トランジスタのドレインに接続され、他の一端が前記複数の補助容量バスラインのうち任意の補助容量バスラインに接続されたキャパシタと、前記複数のソースバスラインのそれぞれの一端に接続され、前記任意のソースバスラインに対してソース信号を供給するソースドライバと、前記複数のゲートバスラインのそれぞれの一端に接続され、前記トランジスタを導通させる導通信号を前記任意のゲートバスラインに対して逐次的に供給するゲートドライバと、液晶を介して前記画素電極に対向する対向電極と、前記対向電極に接続された対向電極用配線と、前記対向電極用配線に対して共通電位を供給する対向電極ドライバと、を備えた表示パネルであって、前記ゲートドライバが前記任意のゲートバスラインに対して前記導通信号を供給してから次の前記導通信号を供給するまでの１走査期間において、前記任意の補助容量バスラインに対し、前記導通信号に同期して、少なくとも第１の電圧レベルおよび前記第１の電圧レベルと異なる第２の電圧レベルからなる矩形状の電圧信号を供給する補助容量ドライバを備えており、前記１走査期間において、前記矩形状の電圧信号が前記第１の電圧レベルである期間、および、前記第２の電圧レベルである期間は、それぞれ、前記液晶の応答時間よりも長い、ことを特徴としている。【００１１】
液晶表示装置のようなホールド型の表示装置においては、あるフレームが表示されてから次のフレームが表示されるまで、物体がその位置に留まって表示されるが、観察者の視線は、物体が留まって表示されている期間であってもその物体を追尾しようと画面上を移動するため、当該動く物体の輪郭がぼけているように認識されてしまうという動画ボケの現象が発生する。【００１２】
本発明に係る表示パネルは、上記のように、複数のゲートバスラインと、複数のソースバスラインと、複数の補助容量バスラインと、前記複数のゲートバスラインのうち任意のゲートバスラインに接続されたゲートと、前記複数のソースバスラインのうち任意のソースバスラインに接続されたソースとを備えたトランジスタと、前記トランジスタのドレインに接続された画素電極と、一端が前記画素電極と並列に前記トランジスタのドレインに接続され、他の一端が前記複数の補助容量バスラインのうち任意の補助容量バスラインに接続されたキャパシタと、前記複数のソースバスラインのそれぞれの一端に接続され、前記任意のソースバスラインに対してソース信号を供給するソースドライバと、前記複数のゲートバスラインのそれぞれの一端に接続され、前記トランジスタを導通させる導通信号を前記任意のゲートバスラインに対して逐次的に供給するゲートドライバと、液晶層を介して前記画素電極に対向する対向電極と、前記対向電極に接続された対向電極用配線と、前記対向電極用配線に対して共通電位を供給する対向電極ドライバと、を備えた表示パネルであって、前記ゲートドライバが前記任意のゲートバスラインに対して前記導通信号を供給してから次の前記導通信号を供給するまでの１走査期間において、前記任意の補助容量バスラインに対し、前記導通信号に同期して、第１の電圧レベルおよび前記第１の電圧レベルと異なる第２の電圧レベルからなる矩形状の電圧信号を供給する補助容量ドライバを備えているため、上記任意のゲートバスラインに上記導通信号が供給されてから次の上記導通信号が供給されるまでの１走査期間において、上記任意のゲートバスラインに上記トランジスタを介して接続された上記画素電極に対し、第１の電圧レベルおよび前記第１の電圧レベルと異なる第２の電圧レベルを印加することができる。【００１３】
また、本発明に係る表示パネルにおいては、前記１走査期間において、前記矩形状の電圧信号が前記第１の電圧レベルである期間、および、前記第２の電圧レベルである期間は、それぞれ、前記液晶の応答時間よりも長い。ここで、前記液晶の応答時間とは、前記液晶に電界が印加されてから液晶の配向が変化するまでに要する時間のことであり、一般的に1ms以上を要する。【００１４】
したがって、上記の構成によれば、上記１走査期間において、上記画素電極が形成された画素領域における画像の輝度を２値に変化させることができる。【００１５】
これによって、上記動画ボケの現象を抑制することができるという効果を奏する。【００１６】
また、本発明に係る表示パネルが備えている上記補助容量ドライバは、前記導通信号に同期して、上記第１の電圧レベルおよび上記第２の電圧レベルからなる矩形状の電圧信号を供給することができる。したがって、上記矩形状の電圧信号の電圧レベルは、上記導通信号供給されてから一定の時間が経過した後に変化する。【００１７】
したがって、前記導通信号に同期せずに上記電圧信号を供給する場合と異なり、画面上の全ての画素領域の各々において、映像データが更新されてから、一定の時間が経過した後に明暗の切り替えを行うことができる。【００１８】
また、本発明に係る上記の表示パネルにおいては、画像信号を一旦記憶しておくためのフレームメモリを用いることなく、上記動画ボケを抑制することができる。したがって、画像信号を一旦記憶しておくためのフレームメモリを用いる従来の構成に比べて、製造コストを削減することができるという効果を奏する。また、画像信号を一旦記憶しておくためのフレームメモリを用いる従来の構成に比べて、消費電力を削減することができるという効果を奏する。【００１９】
また、本発明に係る駆動方法は、複数のゲートバスラインと、複数のソースバスラインと、複数の補助容量バスラインと、前記複数のゲートバスラインのうち任意のゲートバスラインに接続されたゲートと、前記複数のソースバスラインのうち任意のソースバスラインに接続されたソースとを備えたトランジスタと、前記トランジスタのドレインに接続された画素電極と、一端が前記画素電極と並列に前記トランジスタのドレインに接続され、他の一端が前記複数の補助容量バスラインのうち任意の補助容量バスラインに接続されたキャパシタと、前記複数のソースバスラインのそれぞれの一端に接続され、前記任意のソースバスラインに対してソース信号を供給するソースドライバと、前記複数のゲートバスラインのそれぞれの一端に接続され、前記トランジスタを導通させる導通信号を前記任意のゲートバスラインに対して逐次的に供給するゲートドライバと、液晶を介して前記画素電極に対向する対向電極と、前記対向電極に接続された対向電極用配線と、前記対向電極用配線に対して共通電位を供給する対向電極ドライバと、を備えた表示パネルを駆動する駆動方法であって、前記ゲートドライバが前記任意のゲートバスラインに対して前記導通信号を供給してから次の前記導通信号を供給するまでの１走査期間において、前記任意の補助容量バスラインに対し、前記導通信号に同期して、少なくとも第１の電圧レベルおよび前記第１の電圧レベルと異なる第２の電圧レベルからなる矩形状の電圧信号を供給する電圧信号供給工程を含んでおり、前記１走査期間において、前記矩形状の電圧信号が前記第１の電圧レベルである期間、および、前記第２の電圧レベルである期間は、それぞれ、前記液晶の応答時間よりも長い、ことを特徴としている。【００２０】
上記の方法によれば、本発明に係る上記表示パネルと同様の効果を奏する。
【発明の効果】
【００２１】
以上のように、本発明に係る表示パネルは、複数のゲートバスラインと、複数のソースバスラインと、複数の補助容量バスラインと、前記複数のゲートバスラインのうち任意のゲートバスラインに接続されたゲートと、前記複数のソースバスラインのうち任意のソースバスラインに接続されたソースとを備えたトランジスタと、前記トランジスタのドレインに接続された画素電極と、一端が前記画素電極と並列に前記トランジスタのドレインに接続され、他の一端が前記複数の補助容量バスラインのうち任意の補助容量バスラインに接続されたキャパシタと、前記複数のソースバスラインのそれぞれの一端に接続され、前記任意のソースバスラインに対してソース信号を供給するソースドライバと、前記複数のゲートバスラインのそれぞれの一端に接続され、前記トランジスタを導通させる導通信号を前記任意のゲートバスラインに対して逐次的に供給するゲートドライバと、液晶を介して前記画素電極に対向する対向電極と、前記対向電極に接続された対向電極用配線と、前記対向電極用配線に対して共通電位を供給する対向電極ドライバと、を備えた表示パネルであって、前記ゲートドライバが前記任意のゲートバスラインに対して前記導通信号を供給してから次の前記導通信号を供給するまでの１走査期間において、前記任意の補助容量バスラインに対し、前記導通信号に同期して、少なくとも第１の電圧レベルおよび前記第１の電圧レベルと異なる第２の電圧レベルからなる矩形状の電圧信号を供給する補助容量ドライバを備えている。また、前記１走査期間において、前記矩形状の電圧信号が前記第１の電圧レベルである期間、および、前記第２の電圧レベルである期間は、それぞれ、前記液晶の応答時間よりも長い。【００２２】
したがって、本発明に係る上記の表示パネルにおいては、画像信号を一旦記憶しておくためのフレームメモリを用いることなく、上記動画ボケを抑制することができる。したがって、画像信号を一旦記憶しておくためのフレームメモリを用いる従来の構成に比べて、製造コストを削減することができる。また、画像信号を一旦記憶しておくためのフレームメモリを用いる従来の構成に比べて、消費電力を削減することができる。
【図面の簡単な説明】
【００２３】
【図１】本発明の第１の実施形態に係る表示パネルの構成を示すブロック図である。
【図２】本発明の第１の実施形態に係る表示パネルの画素領域の構成を示す回路図である。
【図３】本発明の第１の実施形態に係る表示パネルの第１の動作例を説明するためのものであって、（ａ）は、高階調に対応するソース信号の波形を示すタイミングチャートであり、（ｂ）は、ゲート信号の波形を示すタイミングチャートであり、（ｃ）は、共通電位、および、画素電極の電位を示すタイミングチャートであり、（ｄ）は、補助容量信号の波形を示すタイミングチャートである。
【図４】本発明の第１の実施形態に係る表示パネルの第１の動作例を説明するためのものであって、（ａ）は、低階調に対応するソース信号の波形を示すタイミングチャートであり、（ｂ）は、ゲート信号の波形を示すタイミングチャートであり、（ｃ）は、共通電位、および、画素電極の電位を示すタイミングチャートであり、（ｄ）は、補助容量信号の波形を示すタイミングチャートである。
【図５】本発明の第１の実施形態に係る表示パネルの第２の動作例を説明するためのものであって、（ａ）は、高階調に対応するソース信号の波形を示すタイミングチャートであり、（ｂ）は、ゲート信号の波形を示すタイミングチャートであり、（ｃ）は、共通電位、および、画素電極の電位を示すタイミングチャートであり、（ｄ）は、補助容量信号の波形を示すタイミングチャートである。
【図６】本発明の第１の実施形態に係る表示パネルの第２の動作例を説明するためのものであって、（ａ）は、低階調に対応するソース信号の波形を示すタイミングチャートであり、（ｂ）は、ゲート信号の波形を示すタイミングチャートであり、（ｃ）は、共通電位、および、画素電極の電位を示すタイミングチャートであり、（ｄ）は、補助容量信号の波形を示すタイミングチャートである。
【図７】本発明の第１の実施形態に係る表示パネルの第３の動作例を説明するためのものであって、（ａ）は、高階調に対応するソース信号の波形を示すタイミングチャートであり、（ｂ）は、ゲート信号の波形を示すタイミングチャートであり、（ｃ）は、共通電位、および、画素電極の電位を示すタイミングチャートであり、（ｄ）は、補助容量信号の波形を示すタイミングチャートである。
【図８】本発明の第１の実施形態に係る表示パネルの第３の動作例を説明するためのものであって、（ａ）は、低階調に対応するソース信号の波形を示すタイミングチャートであり、（ｂ）は、ゲート信号の波形を示すタイミングチャートであり、（ｃ）は、共通電位、および、画素電極の電位を示すタイミングチャートであり、（ｄ）は、補助容量信号の波形を示すタイミングチャートである。
【図９】本発明の第１の実施形態に係る表示パネルの第４の動作例を説明するためのものであって、（ａ）は、ソース信号の波形を示すタイミングチャートであり、（ｂ）は、ゲート信号の波形を示すタイミングチャートであり、（ｃ）は、共通電位、および、画素電極の電位を示すタイミングチャートであり、（ｄ）は、補助容量信号の波形を示すタイミングチャートである。
【図１０】本発明の第１の実施形態に係る表示パネルの第５の動作例を説明するためのものであって、（ａ）は、ソース信号の波形を示すタイミングチャートであり、（ｂ）は、ゲート信号の波形を示すタイミングチャートであり、（ｃ）は、共通電位、および、画素電極の電位を示すタイミングチャートであり、（ｄ）は、補助容量信号の波形を示すタイミングチャートである。
【図１１】本発明の第１の実施形態に係る表示パネルの第６の動作例を説明するためのものであって、（ａ）は、ソース信号の波形を示すタイミングチャートであり、（ｂ）は、ゲート信号の波形を示すタイミングチャートであり、（ｃ）は、共通電位、および、画素電極の電位を示すタイミングチャートであり、（ｄ）は、補助容量信号の波形を示すタイミングチャートである。
【図１２】本発明の第１の実施形態に係る表示パネルの動作例を説明するためのものであって、（ａ）は、ゲート信号の波形を示すタイミングチャートであり、（ｂ）は、補助容量信号の波形の一例を示すタイミングチャートであり、（ｃ）は、補助容量信号の波形の他の例を示すタイミングチャートである。
【図１３】本発明の第１の実施形態に係る表示パネルの第７の動作例を説明するためのものであって、（ａ）は、ゲート信号の波形を示すタイミングチャートであり、（ｂ）は、補助容量信号の波形を示すタイミングチャートである。
【図１４】本発明の第１の実施形態に係る表示パネルの動作例を説明するためのものであって、（ａ）は、ゲート信号の波形を示すタイミングチャートであり、（ｂ）は、共通電位、および、画素電極の電位を示すタイミングチャートであり、（ｃ）は、あるデューティ比を有する補助容量信号の波形を示すタイミングチャートである。
【図１５】本発明の第１の実施形態に係る表示パネルの動作例を説明するためのものであって、（ａ）は、ゲート信号の波形を示すタイミングチャートであり、（ｂ）は、共通電位、および、画素電極の電位を示すタイミングチャートであり、（ｃ）は、他のデューティ比を有する補助容量信号の波形を示すタイミングチャートである。
【図１６】本発明の第１の実施形態に係る表示パネルの効果を説明するためのものであって、デューティ比と輝度との関係を表すグラフである。
【図１７】本発明の第１の実施形態に係る表示パネルの効果を説明するためのものであって、デューティ比と視認性との関係を表すグラフである。
【図１８】本発明の第１の実施形態に係る表示パネルの動作例を説明するためのものであって、（ａ）は、ゲート信号の波形を示すタイミングチャートであり、（ｂ）は、共通電位、および、画素電極の電位の一例を示すタイミングチャートであり、（ｃ）は、補助容量信号の波形の一例を示すタイミングチャートであり、（ｄ）は、共通電位、および、画素電極の電位の他の例を示すタイミングチャートであり、（ｅ）は、補助容量信号の波形の他の例を示すタイミングチャートである。
【図１９】本発明の第１に実施形態に係る表示パネルにおける補助容量ドライバの構成を示すブロック図である。
【図２０】本発明の第２の実施形態に係る表示パネルの構成を示すブロック図である。
【図２１】本発明の第２の実施形態に係る表示パネルの動作例を説明するためのものであって、（ａ）は、ゲート信号の波形を示すタイミングチャートであり、（ｂ）は、補助容量信号の波形を示すタイミングチャートである。
【図２２】本発明の第３の実施形態に係る表示パネルの構成を示すブロック図である。
【図２３】第３の実施形態に係る表示パネルにおける表示部の構成を示す回路図である。
【図２４】本発明の第４の実施形態に係る表示パネルにおける表示部の構成を示す回路図である。
【図２５】本発明の第４の実施形態に係る表示パネルの動作例を示す図であって、表示パネルの表示部に印加される極性を示す図である。
【発明を実施するための形態】
【００２４】
〔実施形態１〕
本発明の第１の実施形態に係る表示パネルの構成について、図１および図２を参照して説明する。図１は、本実施形態に係る表示パネル１の構成を示すブロック図である。表示パネル１は、アクティブマトリックス型の液晶表示パネルである。
【００２５】
図１に示すように、表示パネル１は、制御部１１、ソースドライバ１２、ゲートドライバ１３、補助容量ドライバ１４、対向電極ドライバ１５、および、表示部１６を備えている。
【００２６】
制御部１１は、ソースドライバ１２を制御する制御信号＃１１ａ、ゲートドライバ１３を制御する制御信号＃１１ｂ、補助容量ドライバ１４を制御する制御信号＃１１ｃ、および、対向電極ドライバ１５を制御する制御信号＃１１ｄを出力する。
【００２７】
表示部１６には、Ｎ本のゲートバスラインＧＬ1〜ＧＬNとＭ本のソースバスラインＳＬ1〜ＳＬMとが互いに交差するように格子状に形成されている。また、表示部１６には、Ｎ本のゲートバスラインＧＬ1〜ＧＬNにほぼ平行に、Ｎ本の補助容量バスラインＣＳＬ1〜ＣＳＬNが形成されている。また、表示部１６には、対向電極用配線ＣＯＭＬが形成されている。図１に示すように、以下では、ｎ番目のゲートバスラインをゲートバスラインＧＬn、ｍ番目のソースバスラインをソースバスラインＳＬm、ｎ番目の補助容量バスラインを補助容量バスラインＣＳＬnと表すことにする。
【００２８】
また、図１に示すように、表示部１６は、ゲートバスラインＧＬn（１≦ｎ≦Ｎ）と、ソースバスラインＳＬm（１≦ｍ≦Ｍ）とによって画定される画素領域Ｐn,mを備えている。
【００２９】
図１に示すように、ソースドライバ１２には、Ｍ本のソースバスラインＳＬ1〜ＳＬMの末端が接続されている。ソースドライバ１２は、Ｍ本のソースバスラインＳＬ1〜ＳＬMに対し、それぞれ、ソース信号＃ＳＬ1〜＃ＳＬMを供給する。
【００３０】
また、ゲートドライバ１３には、Ｎ本のゲートバスラインＧＬ1〜ＧＬNの末端が接続されている。ゲートドライバ１３は、Ｎ本のゲートバスラインＧＬ1〜ＧＬNに対し、それぞれ、ゲート信号＃ＧＬ1〜＃ＧＬNを供給する。
【００３１】
また、補助容量ドライバ１４には、Ｎ本の補助容量バスラインＣＳＬ1〜ＣＳＬNの末端が接続されている。補助容量ドライバ１４は、Ｎ本の補助容量バスラインＣＳＬ1〜ＣＳＬNに対して、それぞれ、補助容量信号＃ＣＳＬ1〜＃ＣＳＬNを供給する。
【００３２】
また、対向電極ドライバ１５には、対向電極用配線ＣＯＭＬの末端が接続されている。対向電極ドライバ１５は、対向電極用配線ＣＯＭＬに対して、共通電位ＶCOMを供給する。
【００３３】
図２は、画素領域Ｐn,mにおける表示パネル１の構成を示す回路図である。図２に示すように、表示パネル１は、画素領域Ｐn,mにおいて、ゲートがゲートバスラインＧＬnに接続され、ソースがソースバスラインＳＬmに接続されたトランジスタＭn,mを備えている。トランジスタＭn,mは、例えば、薄膜トランジスタ（ＴＦＴ：Ｔｈｉｎ  Ｆｉｌｍ  Ｔｒａｎｓｉｓｔｏｒ）であるが、本発明は、具体的なトランジスタの種類によって限定されるものではない。また、本実施形態では、トランジスタＭn,mとして、ゲートに印加される電位がハイレベルであるとき導通状態となり、ゲートに印加される電位がローレベルであるとき遮断状態となるようなトランジスタを例にとり説明を行うが本発明はこれに限定されるものではなくゲートに印加される電位がローレベルであるとき導通状態となり、ゲートに印加される電位がハイレベルであるとき遮断状態となるようなトランジスタであっても本発明に適用することができる。
【００３４】
また、図２に示すように、トランジスタＭn,mのドレインには、画素電極ＰＥn,mが接続されている。また、表示パネル１は、画素領域Ｐn,mにおいて、画素電極ＰＥn,mに対向して対向電極ＥCOMを備えており、対向電極ＥCOMは、対向電極用配線ＣＯＭＬに接続されている。また、表示パネル１は、画素電極ＰＥn,mと対向電極ＥCOMとの間に、液晶ＬＣを備えており、画素電極ＰＥn,mと対向電極ＥCOMとの間には、画素容量ＣLCが形成されている。
【００３５】
画素電極ＰＥn,mと対向電極ＥCOMとの間には、画素電極ＰＥn,mに蓄積された電荷に応じた電場が誘起され、当該電場の大きさに応じて、液晶ＬＣの配向が決定される。換言すれば、画素電極ＰＥn,mと対向電極ＥCOMとの間の電位差の絶対値に応じて、液晶ＬＣの配向が決定される。また、液晶ＬＣの透過率は、当該配向に応じて決まる。本実施形態においては、上記電位差の絶対値が大きくなるにつれて液晶ＬＣの透過率が大きくなるノーマリーブラックの場合を例にとり説明を行うが、本発明はこれに限定されるものではなく、上記電位差の絶対値が大きくなるにつれて液晶ＬＣの透過率が小さくなるノーマリーホワイトの場合であっても適用することができる。また、液晶ＬＣの透過率がより大きくなると、当該液晶ＬＣを備える画素領域Ｐn,mの輝度はより大きくなる。
【００３６】
また、トランジスタＭn,mのドレインには、画素電極ＰＥn,mと並列に、第１の補助容量電極ＣＥ1n,mが接続されている。また、画素領域Ｐn,mは、第１の補助容量電極ＣＥ1n,mに対向して、補助容量バスラインＣＳＬnに接続された第２の補助容量電極ＣＥ2n,mを備えており、第１の補助容量電極ＣＥ1n,mと第２の補助容量電極ＣＥ2n,mとの間には、画素容量ＣLCと並列に、補助容量ＣCSが形成されている。換言すれは、第１の補助容量電極ＣＥ1n,m、および、第２の補助容量電極ＣＥ2n,mは、補助容量ＣCSを有するキャパシタＣn,mを構成している。
【００３７】
（表示パネル１の動作例１）
以下では、図３の（ａ）〜（ｄ）、および、図４の（ａ）〜（ｄ）を参照して、本実施形態に係る表示パネル１の動作の第１の例について説明する。
【００３８】
まず、図３の（ａ）〜（ｄ）を参照して、ソースドライバ１２が、ソースバスラインＳＬmに対して、高階調に対応するソース信号＃ＳＬmを供給する場合について説明する。
【００３９】
図３の（ａ）は、ソースバスラインＳＬmに供給されるソース信号＃ＳＬmの波形の一例を示すタイミングチャートである。
【００４０】
図３の（ｂ）は、ゲートバスラインＧＬnに供給されるゲート信号＃ＧＬnの波形を示すタイミングチャートである。
【００４１】
図３の（ｃ）は、対向電極用配線ＣＯＭＬに供給される共通電位ＶCOMと、画素電極ＰＥn,mに印加される電位ＶPEn,mとを示すタイミングチャートである。
【００４２】
図３の（ｄ）は、補助容量バスラインＣＳＬnに供給される補助容量信号＃ＣＳＬnの波形を示すタイミングチャートである。図３の（ｄ）に示すように、補助容量信号＃ＣＳＬnは、連続する２つの垂直走査期間Ｔvを１周期として、電位ＶCS1、および、電位ＶCS2を交互にとる信号である。より具体的には、図３の（ｄ）に示すように、補助容量信号＃ＣＳＬnは、１垂直走査期間Ｔvにおける期間Ｔ1において電位ＶCS1をとり、期間Ｔ2において電位ＶCS2をとる。また、補助容量信号＃ＣＳＬnは、それに引き続く垂直走査期間Ｔvにおける期間Ｔ3において電位ＶCS2をとり、期間Ｔ4において電位ＶCS1をとる。なお、図３の（ｄ）に示すように、電位ＶCS1、および、電位ＶCS2の具体的な値は、ＶCS1＜ＶCS2を満たすものとする。
【００４３】
図３の（ｃ）および（ｄ）に示すように、補助容量信号＃ＣＳＬnが、最も低い電位（電位ＶCS1）であるときであって、ゲート信号＃ＧＬnがハイレベルであるときに、液晶ＬＣへの印加電圧は正極性へと変化し、補助容量信号＃ＣＳＬnが、最も高い電位（電位ＶCS2）であるときであって、ゲート信号＃ＧＬnがハイレベルであるときに、液晶ＬＣへの印加電圧は負極性へと変化する。
【００４４】
ここで、液晶ＬＣへの印加電圧とは、画素電極ＰＥn,mに印加される電位ＶPEn,mと対向電極ＥCOMに印加される電位ＶCOMとの電位差のことである（以下同様）。
【００４５】
また、本実施形態においては、画素電極ＰＥn,mに印加される電位ＶPEn,mの極性と、画素電極ＰＥn,t（ｔ≠ｍ、１≦ｔ≦Ｍ）に印加される電位ＶPEn,tの極性とが同じ極性である場合について説明を行う。
【００４６】
なお、１垂直走査期間Ｔvは、当該期間の開始時点の境界時刻を含むが、当該期間の終了時点の境界時刻を含まないものとして定義されているものとする。すなわち、図３の（ｄ）においては、１垂直走査期間Ｔvは、ｔ2≦ｔ＜ｔ5を満たす時刻ｔの集合、または、ｔ5≦ｔ＜ｔ8を満たす時刻ｔの集合として定義されているものとする（以下同様）。
【００４７】
以下では、表示パネル１の画素領域Ｐn,mの各部の動作について、説明する。
【００４８】
まず、図３の（ｂ）に示すように、時刻ｔ1において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になる。トランジスタＭn,mが導通状態になると、ソース信号＃ＳＬmが、画素電極ＰＥn,mおよび第１の補助容量電極ＣＥ1n,mに供給される。図３の（ｃ）に示すように、時刻ｔ1から時刻ｔ2までの期間において、画素電極ＰＥn,mに印加される電位ＶPEn,mは、電位Ｖ1から電位Ｖ2（Ｖ2は正）まで立ち上がる。
【００４９】
続いて、時刻ｔ3において、補助容量信号＃ＣＳＬnが、電位ＶCS1から電位ＶCS2まで立ち上がる。このとき、ゲート信号＃ＧＬnはローレベルであるので、トランジスタＭn,mは、遮断状態である。したがって、画素電極ＰＥn,mに蓄積された電荷と第１の補助容量電極ＣＥ1n,mに蓄積された電荷との和は不変である。一方で、補助容量信号＃ＣＳＬnの値が変化すると、画素電極ＰＥn,mおよび第１の補助容量電極ＣＥ1n,mの各々に蓄積された電荷は、変化する。それに伴い、画素電極ＰＥn,mの電位ＶPEn,mは、電位Ｖ2から電位Ｖ3へと変化する。ここで、電位Ｖ3の具体的な値は、
Ｖ3＝（ＶCS2−ＶCS1）×ＣCS／ΣＣ＋Ｖ2
によって定まる。また、ΣＣは、トランジスタＭn,mのドレインに互いに並列に接続された容量の総和であり、本実施形態においては、具体的に、ΣＣ＝ＣLC＋ＣCSである。なお、上述のように、ＶCS1＜ＶCS2であるので、電位Ｖ3は、電位Ｖ2よりも大きい。
【００５０】
また、図３の（ｃ）に示すように、電位Ｖ3と共通電位ＶCOMとの電位差は、電位Ｖ2と共通電位ＶCOMとの電位差よりも大きい。すなわち、時刻ｔ3から時刻ｔ4までの期間における液晶ＬＣの透過率は、時刻ｔ2から時刻ｔ3までの期間における液晶ＬＣの透過率よりも大きい。すなわち、時刻ｔ3から時刻ｔ4までの期間における画素領域Ｐn,mの輝度は、時刻ｔ2から時刻ｔ3までの期間における画素領域Ｐn,mの輝度よりも大きい。
【００５１】
続いて、時刻ｔ4において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になり、ソース信号＃ＳＬmが、画素電極ＰＥn,mおよび第１の補助容量電極ＣＥ1n,mに供給される。
【００５２】
図３の（ｃ）に示すように、時刻ｔ4から時刻ｔ5までの期間において、画素電極ＰＥn,mに印加される電位ＶPEn,mは、電位Ｖ3から電位Ｖ4（Ｖ4は負）まで立ち下がる。
【００５３】
続いて、時刻ｔ6において、補助容量信号＃ＣＳＬnが、電位ＶCS2から電位ＶCS1まで立ち下がる。このとき、ゲート信号＃ＧＬnはローレベルであるので、トランジスタＭn,mは、遮断状態である。したがって、画素電極ＰＥn,mに蓄積された電荷と第１の補助容量電極ＣＥ1n,mに蓄積された電荷との和は不変である。一方で、補助容量信号＃ＣＳＬnの値が変化すると、画素電極ＰＥn,mおよび第１の補助容量電極ＣＥ1n,mの各々に蓄積された電荷は、変化する。それに伴い、画素電極ＰＥn,mの電位ＶPEn,mは、電位Ｖ4から電位Ｖ1へと変化する。ここで、電位Ｖ1の具体的な値は、
Ｖ1＝（ＶCS1−ＶCS2）×ＣCS／ΣＣ＋Ｖ4
によって定まる。また、上述のように、ＶCS1＜ＶCS2であるので、電位Ｖ1は、電位Ｖ4よりも小さい。
【００５４】
また、図３の（ｃ）に示すように、電位Ｖ1と共通電位ＶCOMとの電位差は、電位Ｖ4と共通電位ＶCOMとの電位差よりも大きい。すなわち、時刻ｔ6から時刻ｔ7までの期間における液晶ＬＣの透過率は、時刻ｔ5から時刻ｔ6までの期間における液晶ＬＣの透過率よりも大きい。すなわち、時刻ｔ6から時刻ｔ7までの期間における画素領域Ｐn,mの輝度は、時刻ｔ5から時刻ｔ6までの期間における画素領域Ｐn,mの輝度よりも大きい。
【００５５】
時刻ｔ7以降の動作は、上述した時刻ｔ1以降の動作と同様である。
【００５６】
なお、上記の説明においては、ΣＣ＝ＣLC＋ＣCSとしたが、本発明はこれによって限定されるものではない。例えば、トランジスタＭn,mのドレインと、ゲートバスラインＧＬnとの間に、容量（寄生容量）Ｃgdが存在し、トランジスタＭn,mのドレインと、ソースバスラインＳＬmとの間に、容量（寄生容量）Ｃsdが存在するような場合には、ΣＣ＝ＣLC＋ＣCS＋Ｃgd＋Ｃsdとなる。また、上記の容量に加えて、液晶容量ＣLCに並列に更に容量Ｃextが存在するような場合には、ΣＣ＝ＣLC＋ＣCS＋Ｃgd＋Ｃsd＋Ｃextとなる。ΣＣについての上記の定義は、以下の説明においても同様である。
【００５７】
また、実際上は、図３の（ｂ）に示すゲート信号＃ＧＬnがハイレベルである期間は、１垂直走査期間Ｔvに比べて十分に短い。
【００５８】
以上のように、本実施形態に係る表示パネル１は、複数のゲートバスラインゲートバスラインＧＬ1〜ＧＬNと、複数のソースバスラインＳＬ1〜ＳＬMと、複数の補助容量バスラインＣＳＬ1〜ＣＳＬNと、前記複数のゲートバスラインのうち任意のゲートバスラインＧＬnに接続されたゲートと、前記複数のソースバスラインのうち任意のソースバスラインＳＬmに接続されたソースとを備えたトランジスタＭn,mと、前記トランジスタのドレインに接続された画素電極ＰＥn,mと、一端（第１の補助容量電極ＣＥ1n,m）が前記画素電極と並列に前記トランジスタのドレインに接続され、他の一端（第２の補助容量電極ＣＥ2n,m）が前記複数の補助容量バスラインのうち任意の補助容量バスラインＣＳＬnに接続されたキャパシタＣn,mと、前記複数のソースバスラインのそれぞれの一端に接続され、前記任意のソースバスラインに対してソース信号を供給するソースドライバ１２と、前記複数のゲートバスラインのそれぞれの一端に接続され、前記トランジスタを導通させる導通信号を前記任意のゲートバスラインに対して逐次的に供給するゲートドライバ１３と、液晶層（液晶ＬＣ）を介して前記画素電極に対向する対向電極ＥCOMと、前記対向電極に接続された対向電極用配線ＣＯＭＬと、前記対向電極用配線に対して共通電位ＶCOMを供給する対向電極ドライバ１５と、を備えた表示パネルであって、前記ゲートドライバが前記任意のゲートバスラインに対して前記導通信号（ゲート信号＃ＧＬnのハイレベル区間）を供給してから次の前記導通信号を供給するまでの１走査期間（１垂直走査期間Ｔv）において、前記任意の補助容量バスラインＣＳＬnに対し、前記導通信号に同期して、少なくとも第１の電圧レベルおよび前記第１の電圧レベルと異なる第２の電圧レベル（すなわち少なくとも電位ＶCS1および電位ＶCS2）からなる矩形状の電圧信号（補助容量信号＃ＣＳＬn）を供給する補助容量ドライバ１４を備えている。また、前記１走査期間において、前記矩形状の電圧信号が前記第１の電圧レベルである期間、および、前記第２の電圧レベルである期間、すなわち、期間Ｔ１、および期間Ｔ2は、それぞれ、前記液晶の応答時間よりも長い。
【００５９】
したがって、表示パネル１は、前記１走査期間において、上記任意のゲートバスラインに上記トランジスタを介して接続された上記画素電極に対し、２値の電圧レベルを印加することができる。すなわち、表示パネル１は、上記１走査期間において、上記画素電極ＰＥn,mが形成された画素領域Ｐn,mにおける画像の輝度を２値に変化させることができる。
【００６０】
これによって、上述した動画ボケの現象を抑制することができる。
【００６１】
また、本発明に係る表示パネル１が備えている上記補助容量ドライバ１４は、前記導通信号に同期して、前記矩形状の電圧信号（補助容量信号＃ＣＳＬn）を供給することができる。したがって、前記導通信号に同期せずに電圧信号を供給する場合と異なり、画面のどの場所においても、明るい輝度での表示期間と暗い輝度での表示期間の割合をほぼ等しくすることができるので、動画ボケの抑制を効果的に行うことができる。
【００６２】
また、本発明に係る上記の表示パネル１においては、画像信号を一旦記憶しておくためのフレームメモリを用いることなく、上記動画ボケを抑制することができる。したがって、画像信号を一旦記憶しておくためのフレームメモリを用いる従来の構成に比べて、製造コストを削減することができる。また、画像信号を一旦記憶しておくためのフレームメモリを用いる従来の構成に比べて、消費電力を削減することができる。
【００６３】
また、本動作例においては、前記矩形状の電圧信号（補助容量信号＃ＣＳＬn）は、前記１走査期間の少なくとも１０パーセントの連続した期間において、前記第１の電圧レベルまたは前記第２の電圧レベルのうち一方の値の電圧レベル（すなわち電位ＶCS1または電位ＶCS2のうち一方の電圧レベル）をとっている。
【００６４】
したがって、上記動画ボケの現象を効果的に抑制することができる。
【００６５】
また、本動作例においては、前記矩形状の電圧信号（補助容量信号＃ＣＳＬn）は、前記１走査期間（１垂直走査期間Ｔv）の開始から前記１走査期間の略１０パーセントの期間が経過するまでの期間において、前記第１の電圧レベルまたは前記第２の電圧レベルのうち一方の電圧レベル（電位ＶCS1）をとり、前記１走査期間の略９０パーセントの期間が経過してから前記１走査期間が終了するまでの期間において、前記第１の電圧レベルまたは前記第２の電圧レベルのうち他の一方の電圧レベル（電位ＶCS2）をとっている。
【００６６】
一般に明るい輝度と暗い輝度を切り替えて表示する場合、明るい輝度での表示の比率が９０％以上の場合は動画ボケの改善を感じず、９０〜１０％の間で比率が小さくなるほど動画ボケの改善を感じ、１０％程度でほぼ動画ボケが満足に改善されたと感じる。
【００６７】
したがって、上記の構成によれば、上記動画ボケの現象を効果的に抑制することができる。
【００６８】
次に、図４の（ａ）〜（ｄ）を参照して、ソースドライバ１２が、ソースバスラインＳＬmに対して、低階調に対応するソース信号＃ＳＬmを供給する場合について説明する。なお、上記の説明と重複する部分については、説明を省略する。
【００６９】
図４の（ａ）は、ソースバスラインＳＬmに供給されるソース信号＃ＳＬmの波形の一例を示すタイミングチャートである。以下では、図４の（ａ）に示すように、導通信号＃ＧＬｎがハイレベルのときであって、補助容量バスライン＃ＣＳＬｎが低レベルであるときのソース信号＃ＳＬｍの電位が、同条件での図３の（ａ）に示された波形の電位よりも低い場合、若しくは、導通信号＃ＧＬｎがハイレベルのときであって、補助容量バスライン＃ＣＳＬｎが高レベルであるときのソース信号＃ＳＬｍの電位が、同条件での図３の（ａ）に示された波形の電位より高い場合について説明する。
【００７０】
図４の（ｂ）は、ゲートバスラインＧＬnに供給されるゲート信号＃ＧＬnの波形を示すタイミングチャートであり、図３の（ｂ）と同様の波形である。
【００７１】
図４の（ｃ）は、対向電極用配線ＣＯＭＬに供給される共通電位ＶCOMと、画素電極ＰＥn,mに印加される電位ＶPEn,mとを示すタイミングチャートである。
【００７２】
図４の（ｄ）は、補助容量バスラインＣＳＬnに供給される補助容量信号＃ＣＳＬnの波形を示すタイミングチャートであり、図３の（ｄ）と同様の波形である。
【００７３】
まず、図４の（ｂ）に示すように、時刻ｔ1において、ゲート信号＃ＧＬnがローレベルからハイレベルに立ち上がり、一定期間経過後、ローレベルへと立ち下がる。図４の（ａ）に示すように、時刻ｔ1から時刻ｔ2までの期間において、ソース信号＃ＳＬmの共通電位ＶCOMに対する相対的な電位が、画素電極ＰＥn,mの電位とほぼ等しいような場合には、画素電極ＰＥn,mの電位ＶPEn,mは、電位Ｖ01のままほとんど変化しない。
【００７４】
続いて、時刻ｔ3において、補助容量信号＃ＣＳＬnが、電位ＶCS1から電位ＶCS2まで立ち上がる。それに伴い、画素電極ＰＥn,mの電位ＶPEn,mは、電位Ｖ01から電位Ｖ02へと変化する。ここで、電位Ｖ02の具体的な値は、
Ｖ02＝（ＶCS2−ＶCS1）×ＣCS／ΣＣ＋Ｖ01
によって定まる。上述のように、ＶCS1＜ＶCS2であるので、電位Ｖ02は、電位Ｖ01よりも大きい。
【００７５】
続いて、時刻ｔ4において、ゲート信号＃ＧＬnがローレベルからハイレベルに立ち上がり、一定期間経過後、ローレベルへと立ち下がる。図４の（ａ）に示すように、時刻ｔ4から時刻ｔ5までの期間において、ソース信号＃ＳＬmの共通電位ＶCOMに対する相対的な電位が、画素電極ＰＥn,mの電位ＶPEn,mとほぼ等しいような場合には、画素電極ＰＥn,mの電位ＶPEn,mは、電位Ｖ02のままほとんど変化しない。
【００７６】
続いて、時刻ｔ6において、補助容量信号＃ＣＳＬnが、電位ＶCS2から電位ＶCS1まで立ち下がる。それに伴い、画素電極ＰＥn,mの電位ＶPEn,mは、例えば、電位Ｖ02から電位Ｖ01へと変化する。
【００７７】
時刻ｔ7以降の動作は、上述した時刻ｔ1以降の動作と同様である。
【００７８】
図４の（ｃ）に示すように、画素電極ＰＥn,mの電位ＶPEn,mと、共通電位ＶCOMとの電位差の絶対値は、全期間において常にほぼ一定に保たれている。すなわち、低階調に対応するソース信号＃ＳＬmを供給する場合には、図４の（ｄ）のように補助容量信号＃ＣＳＬnの値を変化させる場合であっても、画素領域Ｐn,mが備える液晶ＬＣの透過率をほぼ一定に保つことができる。
【００７９】
以上のように、本動作例においては、前記１走査期間（１垂直走査期間Ｔv）において、前記矩形状の電圧信号（補助容量信号＃ＣＳＬn）が前記第１の電圧レベルであるときの前記液晶への印加電圧の極性と、前記矩形状の電圧信号が前記第２の電圧レベルであるときの前記液晶への印加電圧の極性とは、互いに異なった極性である。すなわち、補助容量信号＃ＣＳＬnが電位ＶCS1であるときの画素電極ＰＥn,mの電位Ｖ01と対向電極の電位ＶCOMとの差で表される液晶への印加電圧と、補助容量信号＃ＣＳＬnが電位ＶCS2であるときの画素電極ＰＥn,mの電位Ｖ02と対向電極の電位ＶCOMの差で表される液晶への印加電圧とは、互いに反対極性である。
【００８０】
上記の構成によれば、前記矩形状の電圧信号が前記第１の電圧レベルであるときであっても、前記矩形状の電圧信号が前記第２の電圧レベルであるときであっても、前記液晶への印加電圧の絶対値を十分に小さくすることができる。
【００８１】
したがって、上記の構成によれば、前記液晶への印加電圧の絶対値がより小さい場合により低輝度となるノーマリーブラック方式において、前記矩形状の電圧信号が前記第１の電圧レベルであるときであっても、前記矩形状の電圧信号が前記第２の電圧レベルであるときであっても、十分に低輝度な黒表示を行うことができる。
【００８２】
また、本動作例においては、前記第１の電圧レベルと、前記第２の電圧レベルとの電位差の絶対値は、液晶の閾値電圧の２倍以下である、ことが好ましい。すなわち、電位ＶCS1と電位ＶCS2との電位差の絶対値は、液晶の閾値電圧の２倍以下であることが好ましい。
【００８３】
一般に、液晶の配向は、当該液晶に閾値電圧以下の電圧が印加されても、影響を受けない。換言すれば、前記閾値電圧とは、液晶の配向が影響を受け始める電圧のことである（以下同様）。前記閾値電圧は、例えば、上記液晶の透過率が飽和する飽和電圧の１００分の１の電圧であると定義することができる。
【００８４】
補助容量信号＃ＣＳＬnの電位が電位ＶCS1である場合における画素電極ＰＥn,mの電位と対向電極の電位ＶCOMとの差で表される液晶への印加電圧と、補助容量信号＃ＣＳＬnの電位が電位ＶCS2である場合における画素電極ＰＥn,mの電位と対向電極の電位ＶCOMとの差で表される液晶への印加電圧との電圧差をΔＶＬＣと表すことにすると、ΔＶＬＣは、
ΔＶＬＣ＝（ＶＣＳ２−ＶＣＳ１）×ＣＣＳ／ΣＣ
を満たす。ここで、ＣＣＳ／ΣＣ＜１であるので、ΔＶＬＣ＜（ＶＣＳ２−ＶＣＳ１）が導かれる。
【００８５】
また、画素電極ＰＥn,mの電位と対向電極の電位ＶCOMとの差で表される液晶への印加電圧をＶＬＣと現すことにすると、補助容量信号＃ＣＳＬnの電位が電位ＶCS1である場合に、
ＶＬＣ＝−ΔＶＬＣ／２
となるように設定し、補助容量信号＃ＣＳＬnの電位が電位ＶCS2である場合に、
ＶＬＣ＝ΔＶＬＣ／２
と設定することが望ましい。ここで、ΔＶＬＣ／２が前記閾値電圧ＶＬＣｔｈ以下、すなわち、
ΔＶＬＣ／２≦ＶＬＣｔｈ
であれば、補助容量信号＃ＣＳＬnの電位が電位ＶCS1であっても、電位ＶCS2であっても、黒表示を行うことができる。しがたがって、
ＶＣＳ２−ＶＣＳ１≦２×ＶＬＣｔｈ
であれば、補助容量信号＃ＣＳＬnの電位が電位ＶCS1であっても、電位ＶCS2であっても、黒表示を行うことができる。
【００８６】
以上のように、上記の構成によれば、前記液晶への印加電圧の絶対値がより小さい場合により低輝度となるノーマリーブラック方式において、前記矩形状の電圧信号の電圧レベルが前記第１の電圧レベルであっても、前記第２の電圧レベルであっても、黒表示を行うことができる。
【００８７】
なお、後述する動作例に対しても、上記の導出方法をほぼ同様に当てはめることができる。
【００８８】
（表示パネル１の動作例２）
以下では、図５の（ａ）〜（ｄ）、および、図６の（ａ）〜（ｄ）を参照して、本実施形態に係る表示パネル１の動作の第２の例について説明する。
【００８９】
まず、図５の（ａ）〜（ｄ）を参照して、ソースドライバ１２が、ソースバスラインＳＬmに対して、高階調に対応するソース信号＃ＳＬmを供給する場合について説明する。
【００９０】
図５の（ａ）は、ソースバスラインＳＬmに供給されるソース信号＃ＳＬmの波形の一例を示すタイミングチャートであり、図３の（ａ）に示すソース信号＃ＳＬmの波形と同様の波形である。
【００９１】
図５の（ｂ）は、ゲートバスラインＧＬnに供給されるゲート信号＃ＧＬnの波形を示すタイミングチャートである。図５の（ｂ）に示すように、本動作例におけるゲート信号＃ＧＬnの波形は、図３の（ｂ）に示すゲート信号＃ＧＬnの波形と同様であるとして説明を行う。
【００９２】
図５の（ｃ）は、対向電極用配線ＣＯＭＬに供給される共通電位ＶCOMと、画素電極ＰＥn,mに印加される電位ＶPEn,mとを示すタイミングチャートである。
【００９３】
図５の（ｄ）は、補助容量バスラインＣＳＬnに供給される補助容量信号＃ＣＳＬnの波形を示すタイミングチャートである。図５の（ｄ）に示すように、本動作例における補助容量信号＃ＣＳＬnは、連続する２つの垂直走査期間Ｔv’を１周期として、電位ＶCS1’、電位ＶCS2’、および、電位ＶCS3’をとる信号である。より具体的には、図５の（ｄ）に示すように、補助容量信号＃ＣＳＬnは、１垂直走査期間Ｔv’における期間Ｔ1’において電位ＶCS2’をとり、期間Ｔ2’において電位ＶCS3’をとる。また、補助容量信号＃ＣＳＬnは、それに引き続く垂直走査期間Ｔv’における期間Ｔ3’において電位ＶCS2’をとり、期間Ｔ4’において電位ＶCS1’をとる。なお、図５の（ｄ）に示すように、電位ＶCS1’、電位ＶCS2’、および、電位ＶCS2’の具体的な値は、ＶCS1’＜ＶCS2’＜ＶCS3’を満たすものとする。
【００９４】
図５の（ｃ）および（ｄ）に示すように、補助容量信号＃ＣＳＬnが、最も低い電位（電位ＶCS1’）であるときであって、ゲート信号＃ＧＬnがハイレベルであるときに、液晶ＬＣへの印加電圧は正極性へと変化し、補助容量信号＃ＣＳＬnが、最も高い電位（電位ＶCS3’）であるときであって、ゲート信号＃ＧＬnがハイレベルであるときに、液晶ＬＣへの印加電圧は負極性へと変化する。
【００９５】
以下では、本動作例における表示パネル１の画素領域Ｐn,mの各部の動作について、説明する。
【００９６】
まず、図５の（ｂ）に示すように、時刻ｔ1’において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になる。トランジスタＭn,mが導通状態になると、ソース信号＃ＳＬmが、画素電極ＰＥn,mおよび第１の補助容量電極ＣＥ1n,mに供給される。図５の（ｃ）に示すように、時刻ｔ1’から時刻ｔ2’までの期間において、画素電極ＰＥn,mに印加される電位ＶPEn,mは、電位Ｖ1’から電位Ｖ2’（Ｖ2’は正）まで立ち上がる。
【００９７】
また、時刻ｔ2’において、補助容量信号＃ＣＳＬnが、電位ＶCS1’から電位ＶCS2’まで立ち上がる。このとき、ゲート信号＃ＧＬnはローレベルであるので、トランジスタＭn,mは、遮断状態である。したがって、画素電極ＰＥn,mに蓄積された電荷と第１の補助容量電極ＣＥ1n,mに蓄積された電荷との和は不変である。一方で、補助容量信号＃ＣＳＬnの値が変化すると、画素電極ＰＥn,mおよび第１の補助容量電極ＣＥ1n,mの各々に蓄積された電荷は、変化する。それに伴い、画素電極ＰＥn,mの電位ＶPEn,mは、電位Ｖ2’から電位Ｖ3’へと変化する。ここで、電位Ｖ3’の具体的な値は、
Ｖ3’＝（ＶCS2’−ＶCS1’）×ＣCS／ΣＣ＋Ｖ2’
によって定まる。なお、上述のように、ＶCS1’＜ＶCS2’であるので、電位Ｖ3’は、電位Ｖ2’よりも大きい。
【００９８】
続いて、時刻ｔ3’において、補助容量信号＃ＣＳＬnが、電位ＶCS2’から電位ＶCS3’まで立ち上がる。それに伴い、画素電極ＰＥn,mの電位ＶPEn,mは、電位Ｖ3’から電位Ｖ4’へと変化する。ここで、電位Ｖ4’の具体的な値は、
Ｖ4’＝（ＶCS3’−ＶCS2’）×ＣCS／ΣＣ＋Ｖ3’
によって定まる。なお、上述のように、ＶCS2’＜ＶCS3’であるので、電位Ｖ4’は、電位Ｖ3’よりも大きい。
【００９９】
また、図５の（ｃ）に示すように、電位Ｖ4’と共通電位ＶCOMとの電位差は、電位Ｖ3’と共通電位ＶCOMとの電位差よりも大きい。すなわち、時刻ｔ3’から時刻ｔ4’までの期間における液晶ＬＣの透過率は、時刻ｔ2’から時刻ｔ3’までの期間における液晶ＬＣの透過率よりも大きい。すなわち、時刻ｔ3’から時刻ｔ4’までの期間における画素領域Ｐn,mの輝度は、時刻ｔ2’から時刻ｔ3’までの期間における画素領域Ｐn,mの輝度よりも大きい。
【０１００】
続いて、時刻ｔ4’において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になり、ソース信号＃ＳＬmが、画素電極ＰＥn,mおよび第１の補助容量電極ＣＥ1n,mに供給される。
【０１０１】
図５の（ｃ）に示すように、時刻ｔ4’から時刻ｔ5’までの期間において、画素電極ＰＥn,mに印加される電位ＶPEn,mは、電位Ｖ4’から電位Ｖ5’（Ｖ5’は負）まで立ち下がる。
【０１０２】
また、時刻ｔ5’において、補助容量信号＃ＣＳＬnが、電位ＶCS3’から電位ＶCS2’まで立ち下がる。それに伴い、画素電極ＰＥn,mの電位ＶPEn,mは、電位Ｖ5’から電位Ｖ6’へと変化する。ここで、電位Ｖ6’の具体的な値は、
Ｖ6’＝（ＶCS2’−ＶCS3’）×ＣCS／ΣＣ＋Ｖ5’
によって定まる。なお、上述のように、ＶCS2’＜ＶCS3’であるので、電位Ｖ6’は、電位Ｖ5’よりも小さい。
【０１０３】
続いて、時刻ｔ6’において、補助容量信号＃ＣＳＬnが、電位ＶCS2’から電位ＶCS1’まで立ち下がる。それに伴い、画素電極ＰＥn,mの電位ＶPEn,mは、電位Ｖ6’から電位Ｖ1’へと変化する。ここで、電位Ｖ1’の具体的な値は、
Ｖ1’＝（ＶCS1’−ＶCS2’）×ＣCS／ΣＣ＋Ｖ6’
によって定まる。なお、上述のように、ＶCS1’＜ＶCS2’であるので、電位Ｖ1’は、電位Ｖ6’よりも小さい。
【０１０４】
また、図５の（ｃ）に示すように、電位Ｖ1’と共通電位ＶCOMとの電位差は、電位Ｖ6’と共通電位ＶCOMとの電位差よりも大きい。すなわち、時刻ｔ6’から時刻ｔ7’までの期間における液晶ＬＣの透過率は、時刻ｔ5’から時刻ｔ6’までの期間における液晶ＬＣの透過率よりも大きい。すなわち、時刻ｔ6’から時刻ｔ7’までの期間における画素領域Ｐn,mの輝度は、時刻ｔ5’から時刻ｔ6’までの期間における画素領域Ｐn,mの輝度よりも大きい。
【０１０５】
時刻ｔ7’以降の動作は、上述した時刻ｔ1’以降の動作と同様である。
【０１０６】
なお、上記の動作例においては、時刻ｔ2’において、補助容量信号＃ＣＳＬnが、電位ＶCS1’から電位ＶCS2’まで立ち上がり、時刻ｔ5’において、補助容量信号＃ＣＳＬnが、電位ＶCS3’から電位ＶCS2’まで立ち下がる場合について説明を行ったが、より一般には、補助容量信号＃ＣＳＬnは、時刻ｔ2’から数水平期間（水平期間Ｔhの複数倍の期間）が経過するまでの間に電位ＶCS1’から電位ＶCS2’まで立ち上がり、時刻ｔ5’から数水平期間（水平期間Ｔhの複数倍の期間）が経過するまでの間に電位ＶCS3’から電位ＶCS2’まで立ち下がる。
【０１０７】
また、本動作例においては、前記補助容量ドライバ１４は、前記１走査期間（１垂直走査期間Ｔv’）において、前記任意の補助容量バスラインに対し、前記導通信号に同期して、前記第１の電圧レベルと、前記第２の電圧レベルと、前記第１の電圧レベルおよび前記第２の電圧レベルの何れとも異なる第３の電圧レベルとからなる矩形状の電圧信号（補助容量信号＃ＣＳＬn）を供給する。
【０１０８】
すなわち、本動作例においては、前記補助容量ドライバ１４は、１垂直走査期間（１垂直走査期間Ｔv’）において、電位ＶCS1’、電位ＶCS2’、および、電位ＶCS3’からなる矩形状の電圧信号（補助容量信号＃ＣＳＬn）を供給する。
【０１０９】
したがって、本動作例においては、上記１走査期間において、上記任意の補助容量バスラインに印加される電圧レベルは、３値に変化する。換言すれば、上記１走査期間において、補助容量バスラインに印加される電圧レベルは、２回遷移する。上記１走査期間における上記電圧レベルの第１回目の遷移によって、上記電圧レベルの第１回目の遷移後において上記液晶に印加される電圧を、上記電圧レベルの第１回目の遷移後における表示に好適なものとし、上記電圧レベルの第２回目の遷移によって、高輝度と低輝度との切り替えを行うことができる。
【０１１０】
すなわち、本動作例によれば、動画ボケの現象を効果的に抑制しつつ、より高輝度な表示が可能となる。
【０１１１】
また、本動作例においては、前記ゲートドライバ１３が前記任意のゲートバスラインＧＬnに対して前記導通信号（ゲート信号＃ＧＬnのハイレベル区間）を供給したときに、前記任意の補助容量バスラインＣＳＬｎに対して前記電圧レベルのうち、最も低い電圧レベルが供給されている場合には、前記補助容量ドライバ１４は、前記任意の補助容量バスラインＣＳＬｎに対して、前記１走査期間（１垂直走査期間Ｔv’）において、前記電圧レベルが昇順である前記矩形状の電圧信号＃ＣＳＬｎを供給する。
【０１１２】
すなわち、上述のように、時刻ｔ1’から時刻ｔ2’までの期間において、補助容量バスラインＣＳＬnに対し、電圧レベルＶCS1’、ＶCS2’、ＶCS3’のうち、最も低い電圧レベルＶCS1’が供給されている場合には、補助容量ドライバ１４は、補助容量バスラインＣＳＬnに対し、時刻ｔ2’から時刻ｔ5’までの１走査期間（１垂直走査期間Ｔv’）において、時刻ｔ2’から時刻ｔ3’までの期間Ｔ1’において電圧レベルＶCS2’をとり、時刻ｔ3’から時刻ｔ5’までの期間Ｔ2’において電圧レベルＶCS3’（ＶCS2’＜ＶCS3’）をとる補助容量信号＃ＣＳＬnを供給する。
【０１１３】
一般に、画素電極に電圧が印加されていない場合に、黒表示となるノーマリーブラック方式においては、液晶の応答に有限の時間を有することに起因して、低輝度から高輝度への立ち上がりが不十分となる現象が生じる。換言すれば、低輝度から高輝度への変化に要する時間が、高輝度から低輝度への変化に要する時間よりも大きいという特性がある。上記現象は、画素電極に印加される信号が正極性である場合には、画素電極の電位が高電圧へと変化するタイミングにおいて生じ得る。
【０１１４】
上記の構成によれば、前記ゲートドライバが前記任意のゲートバスラインに対して前記導通信号を供給したときに、前記任意の補助容量バスラインに対して前記電圧レベルのうち、最も低い電圧レベルが供給されている場合には、上記１走査期間において、前記画素電極に対して、電圧レベルのより低い電圧信号を供給し、それに引き続き、電圧レベルのより高い電圧信号を供給することができる。
【０１１５】
したがって、画素電極に印加される電位を段階的に高い電圧へと変化させることができる。これによって、ノーマリーブラック方式において生じ得る上記の低輝度から高輝度への立ち上がりが不十分となる現象を抑制することができる。
【０１１６】
また、本動作例においては、前記ゲートドライバ１３が前記任意のゲートバスラインＧＬnに対して前記導通信号（ゲート信号＃ＧＬnのハイレベル区間）を供給したときに、前記任意の補助容量バスラインＣＳＬｎに対して前記電圧レベルのうち、最も高い電圧レベルが供給されている場合には、前記補助容量ドライバ１４は、前記任意の補助容量バスラインＣＳＬｎに対して、前記１走査期間において、前記電圧レベルが降順である前記矩形状の電圧信号を供給する。
【０１１７】
すなわち、上述のように、時刻ｔ4’から時刻ｔ5’までの期間において、補助容量バスラインＣＳＬnに対し、電圧レベルＶCS1’、ＶCS2’、ＶCS3’のうち、最も高い電圧レベルＶCS3’が供給されている場合には、補助容量ドライバ１４は、補助容量バスラインＣＳＬnに対し、時刻ｔ5’から時刻ｔ8’までの１走査期間（１垂直走査期間Ｔv’）において、時刻ｔ5’から時刻ｔ6’までの期間Ｔ3’において電圧レベルＶCS2’をとり、時刻ｔ6’から時刻ｔ8’までの期間Ｔ4’において電圧レベルＶCS1’（ＶCS1’＜ＶCS2’）をとる補助容量信号＃ＣＳＬnを供給する。
【０１１８】
一般に、画素電極に電圧が印加されていない場合に、黒表示となるノーマリーブラック方式においては、液晶の応答に有限の時間を有することに起因して、低輝度から高輝度への立ち上がりが不十分となる現象が生じる。換言すれば、低輝度から高輝度への変化に要する時間が、高輝度から低輝度への変化に要する時間よりも大きいという特性がある。上記現象は、画素電極に印加される信号が負極性である場合には、画素電極の電位が低電圧へと変化するタイミングにおいて生じ得る。
【０１１９】
上記の構成によれば、前記ゲートドライバが前記任意のゲートバスラインに対して前記導通信号を供給したときに、前記任意の補助容量バスラインに対して前記電圧レベルのうち、最も高い電圧レベルが供給されている場合には、前記１走査期間において、前記画素電極に対して、電圧レベルのより高い電圧信号を供給し、それに引き続き、電圧レベルのより低い電圧信号を供給することができる。
【０１２０】
したがって、画素電極に印加される電位を段階的に低い電圧へと変化させることができる。これによって、ノーマリーブラック方式において生じ得る上記の低輝度から高輝度への立ち上がりが不十分となる現象を抑制することができる。
【０１２１】
次に、図６の（ａ）〜（ｄ）を参照して、ソースドライバ１２が、ソースバスラインＳＬmに対して、低階調に対応するソース信号＃ＳＬmを供給する場合について説明する。なお、上記の説明と重複する部分については、説明を省略する。
【０１２２】
図６の（ａ）は、ソースバスラインＳＬmに供給されるソース信号＃ＳＬmの波形の一例を示すタイミングチャートである。以下では、図６の（ａ）に示すように、導通信号＃ＧＬｎがハイレベルのときであって、補助容量バスライン＃ＣＳＬｎが低レベルであるときのソース信号＃ＳＬｍの電位が、同条件での図３の（ａ）に示された波形の電位よりも低い場合、若しくは、導通信号＃ＧＬｎがハイレベルのときであって、補助容量バスライン＃ＣＳＬｎが高レベルであるときのソース信号＃ＳＬｍの電位が、同条件での図３（ａ）に示された波形の電位より高い場合について説明する。
【０１２３】
図６の（ｂ）は、ゲートバスラインＧＬnに供給されるゲート信号＃ＧＬnの波形を示すタイミングチャートであり、図３の（ｂ）と同様の波形である。
【０１２４】
図６の（ｃ）は、対向電極用配線ＣＯＭＬに供給される共通電位ＶCOMと、画素電極ＰＥn,mに印加される電位ＶPEn,mとを示すタイミングチャートである。
【０１２５】
図６の（ｄ）は、補助容量バスラインＣＳＬnに供給される補助容量信号＃ＣＳＬnの波形を示すタイミングチャートであり、図５の（ｄ）と同様の波形である。
【０１２６】
まず、図６の（ｂ）に示すように、時刻ｔ1’において、ゲート信号＃ＧＬnがローレベルからハイレベルに立ち上がり、一定期間経過後、ローレベルへと立ち下がる。図６の（ｃ）に示すように、時刻ｔ1’から時刻ｔ2’までの期間において、画素電極ＰＥn,mに印加される電位ＶPEn,mは、例えば、電位Ｖ01’から電位Ｖ02’まで立ち下がる。
【０１２７】
また、時刻ｔ2’において、補助容量信号＃ＣＳＬnが、電位ＶCS1’から電位ＶCS2’まで立ち上がる。それに伴い、画素電極ＰＥn,mの電位ＶPEn,mは、電位Ｖ02’から例えば電位Ｖ01’へと変化する。
【０１２８】
続いて、時刻ｔ3’において、補助容量信号＃ＣＳＬnが、電位ＶCS2’から電位ＶCS3’まで立ち上がる。それに伴い、画素電極ＰＥn,mの電位ＶPEn,mは、電位Ｖ01’から電位Ｖ03’へと変化する。ここで、電位Ｖ03’の具体的な値は、
Ｖ03’＝（ＶCS3’−ＶCS2’）×ＣCS／ΣＣ＋Ｖ01’
によって定まる。なお、上述のように、ＶCS2’＜ＶCS3’であるので、電位Ｖ03’は、電位Ｖ01’よりも大きい。
【０１２９】
続いて、時刻ｔ4’において、ゲート信号＃ＧＬnがローレベルからハイレベルに立ち上がり、一定期間経過後、ローレベルへと立ち下がる。図６の（ｃ）に示すように、時刻ｔ4’から時刻ｔ5’までの期間において、画素電極ＰＥn,mに印加される電位ＶPEn,mは、電位Ｖ03’から電位Ｖ04’まで立ち上がる。
【０１３０】
また、時刻ｔ5’において、補助容量信号＃ＣＳＬnが、電位ＶCS3’から電位ＶCS2’まで立ち下がる。それに伴い、画素電極ＰＥn,mの電位ＶPEn,mは、電位Ｖ04’から例えば電位Ｖ03’へと変化する。
【０１３１】
続いて、時刻ｔ6’において、補助容量信号＃ＣＳＬnが、電位ＶCS2’から電位ＶCS1’まで立ち下がる。それに伴い、画素電極ＰＥn,mの電位ＶPEn,mは、電位Ｖ03’から電位Ｖ01’へと変化する。
【０１３２】
時刻ｔ7’以降の動作は、上述した時刻ｔ1’以降の動作と同様である。
【０１３３】
図６の（ｃ）に示すように、画素電極ＰＥn,mの電位ＶPEn,mと、共通電位ＶCOMとの電位差の絶対値は、全期間において常にほぼ一定に保たれている。すなわち、図６の（ｄ）のように補助容量信号＃ＣＳＬnの値を変化させる場合であっても、画素領域Ｐn,mが備える液晶ＬＣの透過率をほぼ一定に保つことができる。
【０１３４】
また、本動作例においては、前記１走査期間（１垂直走査期間Ｔv’）において、最初の前記電圧レベルの遷移後の前記液晶への印加電圧の極性と、次の前記電圧レベルの遷移後の前記液晶への印加電圧の極性とは、互いに異なった極性である。補助容量信号＃ＣＳＬnが電位ＶCS2’であるときの画素電極ＰＥn,mの電位Ｖ01’と対向電極の電位ＶCOMの差で表される液晶への印加電圧と、補助容量信号＃ＣＳＬnが電位ＶCS3’であるときの画素電極ＰＥn,mの電位Ｖ03’と対向電極の電位ＶCOMの差で表される液晶への印加電圧とは、互いに反対極性である。
【０１３５】
上記の構成によれば、前記１走査期間において、最初の前記電圧レベルの遷移後であっても、次の前記電圧レベルの遷移後であっても、前記液晶への印加電圧の絶対値を十分に小さくすることができる。
【０１３６】
したがって、上記の構成によれば、前記液晶への印加電圧の絶対値がより小さい場合により低輝度となるノーマリーブラック方式において、前記１走査期間における最初の前記電圧レベルの遷移後であっても、次の前記電圧レベルの遷移後であっても、十分に低輝度な黒表示を行うことができる。
【０１３７】
また、本動作例においては、前記第１の電圧レベル、前記第２の電圧レベル、および、前記第３の電圧レベルのうち、中間の電圧レベルと、前記第１の電圧レベル、前記第２の電圧レベル、および、前記第３の電圧レベルのうち、最も高い電圧レベルとの電位差の絶対値は、液晶の閾値電圧の２倍以下であることが好ましい。すなわち、本動作例においては、電位ＶCS1’、電位ＶCS2’、電位ＶCS3’のうち、中間の電圧レベルＶCS2’と、最も高い電圧レベルＶCS3’との電位差の絶対値は、液晶の閾値電圧の２倍以下であることが好ましい。
【０１３８】
上記の構成によれば、前記第１の電圧レベル、前記第２の電圧レベル、および、前記第３の電圧レベルのうち、中間の電圧レベルと、前記第１の電圧レベル、前記第２の電圧レベル、および、前記第３の電圧レベルのうち、最も高い電圧レベルとの電位差の絶対値は、液晶の閾値電圧の２倍以下であるため、すなわち、本動作例においては、電位ＶCS1’、電位ＶCS2’、電位ＶCS3’のうち、中間の電圧レベルＶCS2’と、最も高い電圧レベルＶCS3’との電位差の絶対値は、液晶の閾値電圧の２倍以下であるため、前記矩形状の電圧信号の電圧レベルが前記第１の電圧レベル、前記第２の電圧レベル、および、前記第３の電圧レベルのうち、何れの電圧レベルであっても、前記液晶の配向が影響を受けないようにすることができる。
【０１３９】
したがって、上記の構成によれば、前記液晶への印加電圧の絶対値がより小さい場合により低輝度となるノーマリーブラック方式において、前記矩形状の電圧信号の電圧レベルが前記第１の電圧レベル、前記第２の電圧レベル、および、前記第３の電圧レベルの何れであっても、黒表示を行うことができる。
【０１４０】
（表示パネル１の動作例３）
以下では、図７の（ａ）〜（ｄ）、および、図８の（ａ）〜（ｄ）を参照して、本実施形態に係る表示パネル１の動作の第３の例について説明する。
【０１４１】
まず、図７の（ａ）〜（ｄ）を参照して、ソースドライバ１２が、ソースバスラインＳＬmに対して、高階調に対応するソース信号＃ＳＬmを供給する場合について説明する。
【０１４２】
図７の（ａ）は、ソースバスラインＳＬmに供給されるソース信号＃ＳＬmの波形の一例を示すタイミングチャートである。図７の（ａ）に示すように、本動作例におけるソース信号＃ＳＬmの波形は、図３の（ａ）に示すソース信号＃ＳＬmの波形と同様であるとして説明を行う。
【０１４３】
図７の（ｂ）は、ゲートバスラインＧＬnに供給されるゲート信号＃ＧＬnの波形を示すタイミングチャートである。図７の（ｂ）に示すように、本動作例におけるゲート信号＃ＧＬnの波形は、図３の（ｂ）に示すゲート信号＃ＧＬnの波形と同様であるとして説明を行う。
【０１４４】
図７の（ｃ）は、対向電極用配線ＣＯＭＬに供給される共通電位ＶCOMと、画素電極ＰＥn,mに印加される電位ＶPEn,mとを示すタイミングチャートである。
【０１４５】
図７の（ｄ）は、補助容量バスラインＣＳＬnに供給される補助容量信号＃ＣＳＬnの波形を示すタイミングチャートである。図７の（ｄ）に示すように、本動作例における補助容量信号＃ＣＳＬnは、連続する２つの垂直走査期間Ｔv’’を１周期として、電位ＶCS1’’、電位ＶCS2’’、電位ＶCS3’’、および、電位ＶCS4’’をとる信号である。より具体的には、図７の（ｄ）に示すように、補助容量信号＃ＣＳＬnは、１垂直走査期間Ｔv’’における期間Ｔ1’’において電位ＶCS2’’をとり、期間Ｔ2’’において電位ＶCS3’’をとる。また、補助容量信号＃ＣＳＬnは、それに引き続く垂直走査期間Ｔv’における期間Ｔ3’’において電位ＶCS4’’をとり、期間Ｔ4’’において電位ＶCS1’’をとる。なお、図７の（ｄ）に示すように、電位ＶCS1’’、電位ＶCS2’’、電位ＶCS3’’、および、電位ＶCS4’’の具体的な値は、ＶCS1’’＜ＶCS2’’＜ＶCS4’’＜ＶCS3’’、および、ＶCS2’’−ＶCS1’’＜ＶCS3’’−ＶCS2’’、ならびに、ＶCS3’’−ＶCS4’’＜ＶCS4’’−ＶCS1’’を満たすものとする。
【０１４６】
図７の（ｃ）および（ｄ）に示すように、補助容量信号＃ＣＳＬnが、最も低い電位（電位ＶCS1’’）であるときであって、ゲート信号＃ＧＬnがハイレベルであるときに、液晶ＬＣへの印加電圧は正極性へと変化し、補助容量信号＃ＣＳＬnが、最も高い電位（電位ＶCS3’’）であるときであって、ゲート信号＃ＧＬnがハイレベルであるときに、液晶ＬＣへの印加電圧は負極性へと変化する。
【０１４７】
以下では、本動作例における表示パネル１の画素領域Ｐn,mの各部の動作について、説明する。
【０１４８】
まず、図７の（ｂ）に示すように、時刻ｔ1’’において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になる。トランジスタＭn,mが導通状態になると、ソース信号＃ＳＬmが、画素電極ＰＥn,mおよび第１の補助容量電極ＣＥ1n,mに供給される。図７の（ｃ）に示すように、時刻ｔ1’’から時刻ｔ2’’までの期間において、画素電極ＰＥn,mに印加される電位ＶPEn,mは、電位Ｖ1’’から電位Ｖ2’’（Ｖ2’’は正）まで立ち上がる。
【０１４９】
また、時刻ｔ2’’において、補助容量信号＃ＣＳＬnが、電位ＶCS1’’から電位ＶCS2’’まで立ち上がる。それに伴い、画素電極ＰＥn,mの電位ＶPEn,mは、電位Ｖ2’’から電位Ｖ3’’へと変化する。ここで、電位Ｖ3’’の具体的な値は、
Ｖ3’’＝（ＶCS2’’−ＶCS1’’）×ＣCS／ΣＣ＋Ｖ2’’
によって定まる。なお、上述のように、ＶCS1’’＜ＶCS2’’であるので、電位Ｖ3’’は、電位Ｖ2’’よりも大きい。
【０１５０】
続いて、時刻ｔ3’’において、補助容量信号＃ＣＳＬnが、電位ＶCS2’’から電位ＶCS3’’まで立ち上がる。それに伴い、画素電極ＰＥn,mの電位ＶPEn,mは、電位Ｖ3’’から電位Ｖ4’’へと変化する。ここで、電位Ｖ4’’の具体的な値は、
Ｖ4’’＝（ＶCS3’’−ＶCS2’’）×ＣCS／ΣＣ＋Ｖ3’’
によって定まる。なお、上述のように、ＶCS2’’＜ＶCS3’’であるので、電位Ｖ4’’は、電位Ｖ3’’よりも大きい。
【０１５１】
また、図７の（ｃ）に示すように、電位Ｖ4’’と共通電位ＶCOMとの電位差は、電位Ｖ3’’と共通電位ＶCOMとの電位差よりも大きい。すなわち、時刻ｔ3’’から時刻ｔ4’’までの期間における液晶ＬＣの透過率は、時刻ｔ2’’から時刻ｔ3’’までの期間における液晶ＬＣの透過率よりも大きい。すなわち、時刻ｔ3’’から時刻ｔ4’’までの期間における画素領域Ｐn,mの輝度は、時刻ｔ2’’から時刻ｔ3’’までの期間における画素領域Ｐn,mの輝度よりも大きい。
【０１５２】
続いて、時刻ｔ4’’において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になり、ソース信号＃ＳＬmが、画素電極ＰＥn,mおよび第１の補助容量電極ＣＥ1n,mに供給される。
【０１５３】
図７の（ａ）に示すように、時刻ｔ4’’から時刻ｔ5’’までの期間において、画素電極ＰＥn,mに印加される電位ＶPEn,mは、電位Ｖ4’’から電位Ｖ5’’（Ｖ5’’は負）まで立ち下がる。
【０１５４】
また、時刻ｔ5’’において、補助容量信号＃ＣＳＬnが、電位ＶCS3’’から電位ＶCS4’’まで立ち下がる。それに伴い、画素電極ＰＥn,mの電位ＶPEn,mは、電位Ｖ5’’から電位Ｖ6’’へと変化する。ここで、電位Ｖ6’’の具体的な値は、
Ｖ6’’＝（ＶCS4’’−ＶCS3’’）×ＣCS／ΣＣ＋Ｖ5’’
によって定まる。なお、上述のように、ＶCS4’’＜ＶCS3’’であるので、電位Ｖ6’’は、電位Ｖ5’’よりも小さい。
【０１５５】
続いて、時刻ｔ6’’において、補助容量信号＃ＣＳＬnが、電位ＶCS4’’から電位ＶCS1’’まで立ち下がる。それに伴い、画素電極ＰＥn,mの電位ＶPEn,mは、電位Ｖ6’’から電位Ｖ1’’へと変化する。ここで、電位Ｖ1’’の具体的な値は、
Ｖ1’’＝（ＶCS1’’−ＶCS4’’）×ＣCS／ΣＣ＋Ｖ6’’
によって定まる。なお、上述のように、ＶCS1’’＜ＶCS4’’であるので、電位Ｖ1’’は、電位Ｖ6’’よりも小さい。
【０１５６】
また、図７の（ｃ）に示すように、電位Ｖ1’’と共通電位ＶCOMとの電位差は、電位Ｖ6’’と共通電位ＶCOMとの電位差よりも大きい。すなわち、時刻ｔ6’’から時刻ｔ7’’までの期間における液晶ＬＣの透過率は、時刻ｔ5’’から時刻ｔ6’’までの期間における液晶ＬＣの透過率よりも大きい。すなわち、時刻ｔ6’’から時刻ｔ7’’までの期間における画素領域Ｐn,mの輝度は、時刻ｔ5’’から時刻ｔ6’’までの期間における画素領域Ｐn,mの輝度よりも大きい。
【０１５７】
時刻ｔ7’’以降の動作は、上述した時刻ｔ1’’以降の動作と同様である。
【０１５８】
なお、上記の動作例においては、時刻ｔ2’’において、補助容量信号＃ＣＳＬnが、電位ＶCS1’’から電位ＶCS2’’まで立ち上がり、時刻ｔ5’’において、補助容量信号＃ＣＳＬnが、電位ＶCS3’’から電位ＶCS4’’まで立ち下がる場合について説明を行ったが、より一般には、補助容量信号＃ＣＳＬnは、時刻ｔ2’’から数水平期間（水平期間Ｔhの複数倍の期間）が経過するまでの間に電位ＶCS1’’から電位ＶCS2’’まで立ち上がり、時刻ｔ5’’から数水平期間（水平期間Ｔhの複数倍の期間）が経過するまでの間に電位ＶCS3’’から電位ＶCS4’’まで立ち下がる。
【０１５９】
また、本動作例においては、前記補助容量ドライバ１４は、前記１走査期間（垂直走査期間Ｔv’’）において、前記任意の補助容量バスラインＣＳＬnに対し、前記導通信号に同期して、前記第１の電圧レベルと、前記第２の電圧レベルと、前記第１の電圧レベルおよび前記第２の電圧レベルの何れとも異なる第３の電圧レベルとからなる矩形状の電圧信号を供給し、前記１走査期間（垂直走査期間Ｔv’’）の次の１走査期間において、前記第１の電圧レベル、前記第２の電圧レベル、および、前記第３の電圧レベルのうち、何れか２つの電圧レベルと、前記第１の電圧レベル、前記第２の電圧レベル、および、前記第３の電圧レベルの何れとも異なる第４の電圧レベルとからなる矩形状の電圧信号（補助容量信号＃ＣＳＬn）を供給する。
【０１６０】
すなわち、本動作例においては、前記補助容量ドライバ１４は、連続する２垂直走査期間において、電位ＶCS1’’、電位ＶCS2’’、電位ＶCS3’’、および、電位ＶCS4’’からなる矩形状の電圧信号（補助容量信号＃ＣＳＬn）を供給する。
【０１６１】
したがって、本動作例においては、前記補助容量ドライバ１４は、前記１走査期間において、前記任意の補助容量バスラインに対し、前記導通信号に同期して、前記第１の電圧レベルと、前記第２の電圧レベルと、前記第１の電圧レベルおよび前記第２の電圧レベルの何れとも異なる第３の電圧レベルとからなる矩形状の電圧信号を供給することができるので、上記１走査期間において、上記任意の補助容量バスラインに印加される電圧レベルは、３値に変化する。換言すれば、上記１走査期間において、補助容量バスラインに印加される電圧レベルは、２回遷移する。上記１走査期間における上記電圧レベルの第１回目の遷移によって、上記電圧レベルの第１回目の遷移後において上記液晶に印加される電圧を、上記電圧レベルの第１回目の遷移後における表示に好適なものとし、上記電圧レベルの第２回目の遷移によって、高輝度と低輝度との切り替えを行うことができる。
【０１６２】
したがって、上記の構成によれば、動画ボケの現象を効果的に抑制しつつ、より高輝度な表示が可能となる。
【０１６３】
さらに、上記の構成によれば、前記１走査期間の次の１走査期間において、前記第１の電圧レベル、前記第２の電圧レベル、および、前記第３の電圧レベルのうち、何れか２つの電圧レベルと、前記第１の電圧レベル、前記第２の電圧レベル、および、前記第３の電圧レベルの何れとも異なる第４の電圧レベルとからなる矩形状の電圧信号を供給することができるので、前記１走査期間の次の１走査期間において、前記第１の電圧レベル、前記第２の電圧レベル、および、前記第３の電圧レベルとからなる矩形状の電圧信号を供給する場合に比べて、高輝度と低輝度の輝度レベルの調整をより柔軟に行うことができる。
【０１６４】
したがって、上記の構成によれば、上記動画ボケの現象をより一層効果的に抑制しつつ、高輝度な表示を行うことができる。
【０１６５】
また、本発明に係る表示パネルにおいては、前記１走査期間（垂直走査期間Ｔv’’）における最初の前記電圧レベルの遷移の前後における前記電圧レベルの電位差の絶対値|ＶCS2’’−ＶCS1’’|は、前記１走査期間における次の前記電圧レベルの遷移の前後における前記電圧レベルの電位差の絶対値|ＶCS3’’−ＶCS2’’|よりも小さい。ここで、記号｜ａ｜はａの絶対値を表すものとする。
【０１６６】
したがって、本動作例においては、時刻ｔ3’’における補助容量信号＃ＣＳＬnの電圧レベルの遷移に伴う画素領域Ｐn,mの輝度の変化を、輝度を高める効果は維持しつつ大きくすることができる。
【０１６７】
したがって、本動作例においては、上記動画ボケの現象をより効果的に抑制することができる。また、時刻ｔ5’’から時刻ｔ8’’までの１垂直走査期間Ｔv’’についても同様である。
【０１６８】
次に、図８の（ａ）〜（ｄ）を参照して、ソースドライバ１２が、ソースバスラインＳＬmに対して、低階調に対応するソース信号＃ＳＬmを供給する場合について説明する。なお、上記の説明と重複する部分については、説明を省略する。
【０１６９】
図８の（ａ）は、ソースバスラインＳＬmに供給されるソース信号＃ＳＬmの波形の一例を示すタイミングチャートであり、図６の（ａ）と同様の波形である。
【０１７０】
図８の（ｂ）は、ゲートバスラインＧＬnに供給されるゲート信号＃ＧＬnの波形を示すタイミングチャートである。図８の（ｂ）に示すように、本動作例におけるゲート信号＃ＧＬnの波形は、図３の（ｂ）に示すゲート信号＃ＧＬnの波形と同様であるとして説明を行う。
【０１７１】
図８の（ｃ）は、対向電極用配線ＣＯＭＬに供給される共通電位ＶCOMと、画素電極ＰＥn,mに印加される電位ＶPEn,mとを示すタイミングチャートである。
【０１７２】
図８の（ｄ）は、補助容量バスラインＣＳＬnに供給される補助容量信号＃ＣＳＬnの波形を示すタイミングチャートであり、図６の（ｄ）と同様の波形である。
【０１７３】
まず、図８の（ｂ）に示すように、時刻ｔ1’’において、ゲート信号＃ＧＬnがローレベルからハイレベルに立ち上がり、一定期間経過後、ローレベルへと立ち下がる。図８の（ａ）に示すように、時刻ｔ1’’から時刻ｔ2’’までの期間において、画素電極ＰＥn,mに印加される電位ＶPEn,mは、電位Ｖ01’’から電位Ｖ02’’まで立ち下がる。
【０１７４】
また、時刻ｔ2’’において、補助容量信号＃ＣＳＬnが、電位ＶCS1’’から電位ＶCS2’’まで立ち上がる。それに伴い、画素電極ＰＥn,mの電位ＶPEn,mは、電位Ｖ2’’から例えば電位Ｖ01’’へと変化する。
【０１７５】
続いて、時刻ｔ3’’において、補助容量信号＃ＣＳＬnが、電位ＶCS2’’から電位ＶCS3’’まで立ち上がる。それに伴い、画素電極ＰＥn,mの電位ＶPEn,mは、電位Ｖ01’’から電位Ｖ03’’へと変化する。ここで、電位Ｖ03’’の具体的な値は、
Ｖ03’’＝（ＶCS3’’−ＶCS2’’）×ＣCS／ΣＣ＋Ｖ01’’
によって定まる。なお、上述のように、ＶCS2’’＜ＶCS3’’であるので、電位Ｖ03’’は、電位Ｖ01’’よりも大きい。
【０１７６】
続いて、時刻ｔ4’’において、ゲート信号＃ＧＬnがローレベルからハイレベルに立ち上がり、一定期間経過後、ローレベルへと立ち下がる。図８の（ｃ）に示すように、時刻ｔ4’’から時刻ｔ5’’までの期間において、画素電極ＰＥn,mに印加される電位ＶPEn,mは、電位Ｖ03’’から電位Ｖ04’’まで立ち上がる。
【０１７７】
また、時刻ｔ5’’において、補助容量信号＃ＣＳＬnが、電位ＶCS3’’から電位ＶCS4’’まで立ち下がる。それに伴い、画素電極ＰＥn,mの電位ＶPEn,mは、電位Ｖ04’’から例えば電位Ｖ03’’へと変化する。
【０１７８】
続いて、時刻ｔ6’’において、補助容量信号＃ＣＳＬnが、電位ＶCS4’’から電位ＶCS1’’まで立ち下がる。それに伴い、画素電極ＰＥn,mの電位ＶPEn,mは、電位Ｖ03’’から例えば電位Ｖ01’’へと変化する。
【０１７９】
時刻ｔ7’’以降の動作は、上述した時刻ｔ1’’以降の動作と同様である。
【０１８０】
図８の（ｃ）に示すように、画素電極ＰＥn,mの電位ＶPEn,mと、共通電位ＶCOMとの電位差の絶対値は、全期間において常にほぼ一定に保たれている。すなわち、図８の（ｄ）のように補助容量信号＃ＣＳＬnの値を変化させる場合であっても、画素領域Ｐn,mが備える液晶ＬＣの透過率をほぼ一定に保つことができる。
【０１８１】
上記の動作例１から動作例３においては、１垂直走査期間の後半における画素領域Ｐn,mの輝度が、当該１垂直走査期間の前半における画素領域Ｐn,mの輝度よりも大きい場合について説明を行ったが、本発明はこれに限られるものではない。以下では、１垂直走査期間の後半における画素領域Ｐn,mの輝度が、当該１垂直走査期間の前半における画素領域Ｐn,mの輝度よりも小さくなる場合の動作例４〜動作例６について、図９〜図１１を参照して説明する。
【０１８２】
なお、本動作例においては、前記１走査期間１垂直走査期間Ｔv’’において、最初の前記電圧レベルの遷移後における前記画素電極の電位と前記対向電極の電位との差によって表される前記液晶への印加電圧の極性と、次の前記電圧レベルの遷移後における前記画素電極の電位と前記対向電極の電位との差によって表される前記液晶への印加電圧の極性とは、互いに異なった極性である。すなわち、補助容量信号＃ＣＳＬnが電位ＶCS2’’であるときの画素電極ＰＥn,mの電位Ｖ01’’と対向電極の電位ＶCOMとの差で表される液晶への印加電圧と、補助容量信号＃ＣＳＬnが電位ＶCS3’’であるときの画素電極ＰＥn,mの電位Ｖ03’’と対向電極の電位ＶCOMの差で表される液晶への印加電圧とは、互いに反対極性である。
【０１８３】
上記の構成によれば、前記１走査期間において、最初の前記電圧レベルの遷移後であっても、次の前記電圧レベルの遷移後であっても、前記液晶への印加電圧の絶対値を十分に小さくすることができる。
【０１８４】
したがって、上記の構成によれば、前記液晶への印加電圧の絶対値がより小さい場合により低輝度となるノーマリーブラック方式において、前記１走査期間における最初の前記電圧レベルの遷移後であっても、次の前記電圧レベルの遷移後であっても、十分に低輝度な黒表示を行うことができる。
【０１８５】
また、本動作例においては、前記第１の電圧レベル、前記第２の電圧レベル、前記第３の電圧レベル、および、前記第４の電圧レベルのうち、２番目に低い電圧レベルと、前記第１の電圧レベル、前記第２の電圧レベル、前記第３の電圧レベル、および、前記第４の電圧レベルのうち、最も高い電圧レベルとの電位差の絶対値は、液晶の閾値電圧の２倍以下である、ことが好ましい。すなわち、本動作例においては、電位ＶCS1’’、電位ＶCS2’’、電位ＶCS3’’、および、電位ＶCS4’’のうち、２番目に低い電圧レベルＶCS2’’と、最も高い電圧レベルＶCS3’’との電位差の絶対値は、液晶の閾値電圧の２倍以下であることが好ましい。
【０１８６】
上記の構成によれば、前記第１の電圧レベル、前記第２の電圧レベル、前記第３の電圧レベル、および、前記第４の電圧レベルのうち、２番目に低い電圧レベルと、前記第１の電圧レベル、前記第２の電圧レベル、前記第３の電圧レベル、および、前記第４の電圧レベルのうち、最も高い電圧レベルとの電位差の絶対値は、液晶の閾値電圧の２倍以下である、ことが好ましい。すなわち、本動作例においては、電位ＶCS1’’、電位ＶCS2’’、電位ＶCS3’’、および、電位ＶCS4’’のうち、２番目に低い電圧レベルＶCS2’’と、最も高い電圧レベルＶCS3’’との電位差の絶対値は、液晶の閾値電圧の２倍以下であるため、前記第３の電圧レベル、および、前記第４の電圧レベルの何れの電圧レベルであっても、前記液晶の配向が影響を受けないようにすることができる。
【０１８７】
したがって、上記の構成によれば、前記液晶への印加電圧の絶対値がより小さい場合により低輝度となるノーマリーブラック方式において、前記矩形状の電圧信号の電圧レベルが前記第１の電圧レベル、前記第２の電圧レベル、前記第３の電圧レベル、および、前記第４の電圧レベルの何れであっても、黒表示を行うことができる。
【０１８８】
（表示パネル１の動作例４）
以下では、図９の（ａ）〜（ｄ）を参照して、本実施形態に係る表示パネル１の動作の第４の例について説明する。
【０１８９】
図９の（ａ）は、ソースバスラインＳＬmに供給されるソース信号＃ＳＬmの波形の一例を示すタイミングチャートである。図９の（ａ）に示すように、本動作例におけるソース信号＃ＳＬmの波形は、図３の（ａ）に示すソース信号＃ＳＬmの波形とほぼ同様であるとして説明を行う。
【０１９０】
図９の（ｂ）は、ゲートバスラインＧＬnに供給されるゲート信号＃ＧＬnの波形を示すタイミングチャートである。図９の（ｂ）に示すように、本動作例におけるゲート信号＃ＧＬnの波形は、図３の（ｂ）に示すゲート信号＃ＧＬnの波形と同様であるとして説明を行う。
【０１９１】
図９の（ｃ）は、対向電極用配線ＣＯＭＬに供給される共通電位ＶCOMと、画素電極ＰＥn,mに印加される電位ＶPEn,mとを示すタイミングチャートである。
【０１９２】
図９の（ｄ）は、補助容量バスラインＣＳＬnに供給される補助容量信号＃ＣＳＬnの波形を示すタイミングチャートである。図９の（ｄ）に示すように、本動作例における補助容量信号＃ＣＳＬnは、連続する２つの垂直走査期間Ｔvを１周期として、電位ＶCS11、電位ＶCS12をとる信号である。より具体的には、図９の（ｄ）に示すように、補助容量信号＃ＣＳＬnは、１垂直走査期間Ｔvにおける期間Ｔ11において電位ＶCS12をとり、期間Ｔ12における時刻ｔ13から時刻ｔ14において電位ＶCS11をとり、期間Ｔ12における時刻ｔ14から時刻ｔ15において電位ＶCS12をとる。また、補助容量信号＃ＣＳＬnは、それに引き続く垂直走査期間Ｔvにおける期間Ｔ13において電位ＶCS11をとり、期間Ｔ14における時刻ｔ16から時刻ｔ17において電位ＶCS12をとり、期間Ｔ14における時刻ｔ17から時刻ｔ18において電位ＶCS11をとる。なお、図９の（ｄ）に示すように、電位ＶCS11、および、電位ＶCS12の具体的な値は、ＶCS11＜ＶCS12を満たすものとする。
【０１９３】
以下では、本動作例における表示パネル１の画素領域Ｐn,mの各部の動作について、説明する。
【０１９４】
まず、図９の（ｂ）に示すように、時刻ｔ11において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になる。トランジスタＭn,mが導通状態になると、ソース信号＃ＳＬmが、画素電極ＰＥn,mおよび第１の補助容量電極ＣＥ1n,mに供給される。図９の（ｃ）に示すように、時刻ｔ11から時刻ｔ12までの期間において、画素電極ＰＥn,mに印加される電位ＶPEn,mは、電位Ｖ11から電位Ｖ12（Ｖ12は正）まで立ち上がる。
【０１９５】
また、時刻ｔ12において、補助容量信号＃ＣＳＬnが、電位ＶCS11から電位ＶCS12まで立ち上がる。それに伴い、画素電極ＰＥn,mの電位ＶPEn,mは、電位Ｖ12から電位Ｖ13へと変化する。ここで、電位Ｖ13の具体的な値は、
Ｖ13＝（ＶCS12−ＶCS11）×ＣCS／ΣＣ＋Ｖ12
によって定まる。なお、上述のように、ＶCS11＜ＶCS12であるので、電位Ｖ13は、電位Ｖ12よりも大きい。
【０１９６】
続いて、時刻ｔ13において、補助容量信号＃ＣＳＬnが、電位ＶCS12から電位ＶCS11まで立ち下がる。それに伴い、画素電極ＰＥn,mの電位ＶPEn,mは、電位Ｖ13から電位Ｖ12へと変化する。
【０１９７】
図９の（ｃ）に示すように、電位Ｖ13と共通電位ＶCOMとの電位差は、電位Ｖ12と共通電位ＶCOMとの電位差よりも大きい。すなわち、時刻ｔ12から時刻ｔ13までの期間における液晶ＬＣの透過率は、時刻ｔ13から時刻ｔ14までの期間における液晶ＬＣの透過率よりも大きい。すなわち、時刻ｔ12から時刻ｔ13までの期間における画素領域Ｐn,mの輝度は、時刻ｔ13から時刻ｔ14までの期間における画素領域Ｐn,mの輝度よりも大きい。
【０１９８】
続いて、時刻ｔ14において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になり、ソース信号＃ＳＬmが、画素電極ＰＥn,mおよび第１の補助容量電極ＣＥ1n,mに供給される。また、時刻ｔ14において、補助容量信号＃ＣＳＬnが、電位ＶCS11から電位ＶCS12まで立ち上がる。
【０１９９】
図９の（ａ）に示すように、時刻ｔ14から時刻ｔ15までの期間において、画素電極ＰＥn,mに印加される電位ＶPEn,mは、電位Ｖ12から、例えば、電位Ｖ11まで立ち下がる。
【０２００】
また、時刻ｔ15において、補助容量信号＃ＣＳＬnが、電位ＶCS12から電位ＶCS11まで立ち下がる。それに伴い、画素電極ＰＥn,mの電位ＶPEn,mは、電位Ｖ11から電位Ｖ14へと変化する。ここで、電位Ｖ14の具体的な値は、
Ｖ14＝（ＶCS11−ＶCS12）×ＣCS／ΣＣ＋Ｖ11
によって定まる。なお、上述のように、ＶCS11＜ＶCS12であるので、電位Ｖ14は、電位Ｖ11よりも小さい。
【０２０１】
続いて、時刻ｔ16において、補助容量信号＃ＣＳＬnが、電位ＶCS11から電位ＶCS12へと立ち上がる。それに伴い、画素電極ＰＥn,mの電位ＶPEn,mは、電位Ｖ14から電位Ｖ11へと変化する。
【０２０２】
図９の（ｃ）に示すように、電位Ｖ14と共通電位ＶCOMとの電位差は、電位Ｖ11と共通電位ＶCOMとの電位差よりも大きい。すなわち、時刻ｔ15から時刻ｔ16までの期間における液晶ＬＣの透過率は、時刻ｔ16から時刻ｔ17までの期間における液晶ＬＣの透過率よりも大きい。すなわち、時刻ｔ15から時刻ｔ16までの期間における画素領域Ｐn,mの輝度は、時刻ｔ16から時刻ｔ17までの期間における画素領域Ｐn,mの輝度よりも大きい。
【０２０３】
続いて、時刻ｔ17において、ゲート信号＃ＧＬnがローレベルからハイレベルに立ち上がり、一定期間経過後、ローレベルへと立ち下がる。また、補助容量信号＃ＣＳＬnが、電位ＶCS12から電位ＶCS11まで立ち下がる。時刻ｔ17以降の動作は、上述した時刻ｔ11以降の動作と同様である。
【０２０４】
なお、上記の動作例においては、補助容量信号＃ＣＳＬnが、時刻ｔ12において、電位ＶCS11から電位ＶCS12まで立ち上がり、時刻ｔ15において、電位ＶCS12から電位ＶCS11まで立ち下がる場合について説明を行ったが、より一般には、補助容量信号＃ＣＳＬnは、時刻ｔ12から数水平期間（水平期間Ｔhの複数倍の期間）が経過するまでの間に電位ＶCS11から電位ＶCS12まで立ち上がり、時刻ｔ15から数水平期間（水平期間Ｔhの複数倍の期間）が経過するまでの間に電位ＶCS12から電位ＶCS11まで立ち下がる。
【０２０５】
また、上記の動作例においては、補助容量信号＃ＣＳＬnが、時刻ｔ14において、電位ＶCS11から電位ＶCS12まで立ち上がる場合について説明を行ったが、より一般には、補助容量信号＃ＣＳＬnは、時刻ｔ13から時刻ｔ15までの間に電位ＶCS11から電位ＶCS12まで立ち上がる。
【０２０６】
本動作例のように、本発明に係る表示パネル１は、１垂直走査期間の後半における画素領域Ｐn,mの輝度が当該１垂直走査期間の前半における画素領域Ｐn,mの輝度よりも小さくなるように補助容量信号＃ＣＳＬnを供給することによっても、１垂直走査期間における画素領域Ｐn,mの輝度の変化を生じせしめることができる。
【０２０７】
したがって、本動作例においても、上記動画ボケの現象を抑制することができる。
【０２０８】
（表示パネル１の動作例５）
以下では、図１０の（ａ）〜（ｄ）を参照して、本実施形態に係る表示パネル１の動作の第５の例について説明する。
【０２０９】
図１０の（ａ）は、ソースバスラインＳＬmに供給されるソース信号＃ＳＬmの波形の一例を示すタイミングチャートである。図１０の（ａ）に示すように、本動作例におけるソース信号＃ＳＬmの波形は、図３の（ａ）に示すソース信号＃ＳＬmの波形とほぼ同様であるとして説明を行う。
【０２１０】
図１０の（ｂ）は、ゲートバスラインＧＬnに供給されるゲート信号＃ＧＬnの波形を示すタイミングチャートである。図１０の（ｂ）に示すように、本動作例におけるゲート信号＃ＧＬnの波形は、図３の（ｂ）に示すゲート信号＃ＧＬnの波形とほぼ同様であるとして説明を行う。
【０２１１】
図１０の（ｃ）は、対向電極用配線ＣＯＭＬに供給される共通電位ＶCOMと、画素電極ＰＥn,mに印加される電位ＶPEn,mとを示すタイミングチャートである。
【０２１２】
図１０の（ｄ）は、補助容量バスラインＣＳＬnに供給される補助容量信号＃ＣＳＬnの波形を示すタイミングチャートである。図１０の（ｄ）に示すように、本動作例における補助容量信号＃ＣＳＬnは、連続する２つの垂直走査期間Ｔv’を１周期として、電位ＶCS11’、電位ＶCS12’、および、電位ＶCS13’をとる信号である。より具体的には、図１０の（ｄ）に示すように、補助容量信号＃ＣＳＬnは、１垂直走査期間Ｔv’における期間Ｔ11’において電位ＶCS12’をとり、期間Ｔ12’における時刻ｔ13’から時刻ｔ14’において電位ＶCS13’をとり、期間Ｔ12’における時刻ｔ14’から時刻ｔ15’において電位ＶCS12’をとる。また、補助容量信号＃ＣＳＬnは、それに引き続く垂直走査期間Ｔv’における期間Ｔ13’において電位ＶCS11’をとり、期間Ｔ14’における時刻ｔ16’から時刻ｔ17’において電位ＶCS13’をとり、期間Ｔ14’における時刻ｔ17’から時刻ｔ18’において電位ＶCS11’をとる。なお、図１０の（ｄ）に示すように、電位ＶCS11’、電位ＶCS12’、および、電位ＶCS13’の具体的な値は、ＶCS11’＜ＶCS13’＜ＶCS12’を満たすものとする。
【０２１３】
以下では、本動作例における表示パネル１の画素領域Ｐn,mの各部の動作について、説明する。
【０２１４】
まず、図１０の（ｂ）に示すように、時刻ｔ11’において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になる。トランジスタＭn,mが導通状態になると、ソース信号＃ＳＬmが、画素電極ＰＥn,mおよび第１の補助容量電極ＣＥ1n,mに供給される。図１０の（ａ）に示すように、時刻ｔ11’から時刻ｔ12’までの期間において、画素電極ＰＥn,mに印加される電位ＶPEn,mは、電位Ｖ11’から電位Ｖ12’（Ｖ12’は正）まで立ち上がる。
【０２１５】
また、時刻ｔ12’において、補助容量信号＃ＣＳＬnが、電位ＶCS11’から電位ＶCS12’まで立ち上がる。それに伴い、画素電極ＰＥn,mの電位ＶPEn,mは、電位Ｖ12’から電位Ｖ13’へと変化する。ここで、電位Ｖ13’の具体的な値は、
Ｖ13’＝（ＶCS12’−ＶCS11’）×ＣCS／ΣＣ＋Ｖ12’
によって定まる。なお、上述のように、ＶCS11’＜ＶCS12’であるので、電位Ｖ13’は、電位Ｖ12’よりも大きい。
【０２１６】
続いて、時刻ｔ13’において、補助容量信号＃ＣＳＬnが、電位ＶCS12’から電位ＶCS13’まで立ち下がる。それに伴い、画素電極ＰＥn,mの電位ＶPEn,mは、電位Ｖ13’から電位Ｖ14’へと変化する。ここで、電位Ｖ14’の具体的な値は、
Ｖ14’＝（ＶCS13’−ＶCS12’）×ＣCS／ΣＣ＋Ｖ13’
によって定まる。なお、上述のように、ＶCS13’＜ＶCS12’であるので、電位Ｖ14’は、電位Ｖ13’よりも小さい。
【０２１７】
図１０の（ｃ）に示すように、電位Ｖ13’と共通電位ＶCOMとの電位差は、電位Ｖ14’と共通電位ＶCOMとの電位差よりも大きい。すなわち、時刻ｔ12’から時刻ｔ13’までの期間における液晶ＬＣの透過率は、時刻ｔ13’から時刻ｔ14’までの期間における液晶ＬＣの透過率よりも大きい。すなわち、時刻ｔ12’から時刻ｔ13’までの期間における画素領域Ｐn,mの輝度は、時刻ｔ13’から時刻ｔ14’までの期間における画素領域Ｐn,mの輝度よりも大きい。
【０２１８】
続いて、時刻ｔ14’において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になり、ソース信号＃ＳＬmが、画素電極ＰＥn,mおよび第１の補助容量電極ＣＥ1n,mに供給される。また、時刻ｔ14’において、補助容量信号＃ＣＳＬnが、電位ＶCS13’から電位ＶCS12’まで立ち上がる。
【０２１９】
図１０の（ｃ）に示すように、時刻ｔ14’から時刻ｔ15’までの期間において、画素電極ＰＥn,mに印加される電位ＶPEn,mは、電位Ｖ14’から電位Ｖ15’（Ｖ15’は負）まで立ち下がる。
【０２２０】
また、時刻ｔ15’において、補助容量信号＃ＣＳＬnが、電位ＶCS12’から電位ＶCS11’まで立ち下がる。それに伴い、画素電極ＰＥn,mの電位ＶPEn,mは、電位Ｖ15’から電位Ｖ16’へと変化する。ここで、電位Ｖ16’の具体的な値は、
Ｖ16’＝（ＶCS11’−ＶCS12’）×ＣCS／ΣＣ＋Ｖ15’
によって定まる。なお、上述のように、ＶCS11’＜ＶCS12’であるので、電位Ｖ16’は、電位Ｖ15’よりも小さい。
【０２２１】
続いて、時刻ｔ16’において、補助容量信号＃ＣＳＬnが、電位ＶCS11’から電位ＶCS13’へと立ち上がる。それに伴い、画素電極ＰＥn,mの電位ＶPEn,mは、電位Ｖ16’から電位Ｖ11’へと変化する。
【０２２２】
図１０の（ｃ）に示すように、電位Ｖ16’と共通電位ＶCOMとの電位差は、電位Ｖ11’と共通電位ＶCOMとの電位差よりも大きい。すなわち、時刻ｔ15’から時刻ｔ16’までの期間における液晶ＬＣの透過率は、時刻ｔ16’から時刻ｔ17’までの期間における液晶ＬＣの透過率よりも大きい。すなわち、時刻ｔ15’から時刻ｔ16’までの期間における画素領域Ｐn,mの輝度は、時刻ｔ16’から時刻ｔ17’までの期間における画素領域Ｐn,mの輝度よりも大きい。
【０２２３】
続いて、時刻ｔ17’において、ゲート信号＃ＧＬnがローレベルからハイレベルに立ち上がり、一定期間経過後、ローレベルへと立ち下がる。また、補助容量信号＃ＣＳＬnが、電位ＶCS12’から電位ＶCS11’まで立ち下がる。時刻ｔ17’以降の動作は、上述した時刻ｔ11’以降の動作と同様である。
【０２２４】
なお、上記の動作例においては、補助容量信号＃ＣＳＬnが、時刻ｔ12’において、電位ＶCS11’から電位ＶCS12’まで立ち上がり、時刻ｔ15’において、電位ＶCS12’から電位ＶCS11’まで立ち下がる場合について説明を行ったが、より一般には、補助容量信号＃ＣＳＬnは、時刻ｔ12’から数水平期間（水平期間Ｔhの複数倍の期間）が経過するまでの間に電位ＶCS11’から電位ＶCS12’まで立ち上がり、時刻ｔ15’から数水平期間（水平期間Ｔhの複数倍の期間）が経過するまでの間に電位ＶCS12’から電位ＶCS11’まで立ち下がる。
【０２２５】
また、上記の動作例においては、補助容量信号＃ＣＳＬnが、時刻ｔ14’において、電位ＶCS13’から電位ＶCS12’まで立ち上がる場合について説明を行ったが、より一般には、補助容量信号＃ＣＳＬnは、時刻ｔ13’から時刻ｔ15’までの間に電位ＶCS13’から電位ＶCS12’まで立ち上がる。
【０２２６】
本動作例のように、本発明に係る表示パネル１は、１垂直走査期間の後半における画素領域Ｐn,mの輝度が当該１垂直走査期間の前半における画素領域Ｐn,mの輝度よりも小さくなるように補助容量信号＃ＣＳＬnを供給することによっても、１垂直走査期間における画素領域Ｐn,mの輝度の変化を生じせしめることができる。
【０２２７】
したがって、本動作例においても、上記動画ボケの現象を抑制することができる。また、本動作例においては、補助容量信号＃ＣＳＬnは、３値の電圧レベルをとる。したがって、上述した動作例４に比べて、上記動画ボケの現象を抑制する効果は維持しつつ、高輝度な表示を行うことができる。
【０２２８】
（表示パネル１の動作例６）
以下では、図１１の（ａ）〜（ｄ）を参照して、本実施形態に係る表示パネル１の動作の第６の例について説明する。
【０２２９】
図１１の（ａ）は、ソースバスラインＳＬmに供給されるソース信号＃ＳＬmの波形の一例を示すタイミングチャートである。図１１の（ａ）に示すように、本動作例におけるソース信号＃ＳＬmの波形は、図３の（ａ）に示すソース信号＃ＳＬmの波形とほぼ同様であるとして説明を行う。
【０２３０】
図１１の（ｂ）は、ゲートバスラインＧＬnに供給されるゲート信号＃ＧＬnの波形を示すタイミングチャートである。図１１の（ｂ）に示すように、本動作例におけるゲート信号＃ＧＬnの波形は、図３の（ｂ）に示すゲート信号＃ＧＬnの波形とほぼ同様であるとして説明を行う。
【０２３１】
図１１の（ｃ）は、対向電極用配線ＣＯＭＬに供給される共通電位ＶCOMと、画素電極ＰＥn,mに印加される電位ＶPEn,mとを示すタイミングチャートである。
【０２３２】
図１１の（ｄ）は、補助容量バスラインＣＳＬnに供給される補助容量信号＃ＣＳＬnの波形を示すタイミングチャートである。図１１の（ｄ）に示すように、本動作例における補助容量信号＃ＣＳＬnは、連続する２つの垂直走査期間Ｔv’’を１周期として、電位ＶCS11’’、電位ＶCS12’’、電位ＶCS13’’、および、電位ＶCS14’’をとる信号である。より具体的には、図１１の（ｄ）に示すように、補助容量信号＃ＣＳＬnは、１垂直走査期間Ｔv’’における期間Ｔ11’’において電位ＶCS12’をとり、期間Ｔ12’’における時刻ｔ13’’から時刻ｔ14’’において電位ＶCS13’’をとり、期間Ｔ12’’における時刻ｔ14’’から時刻ｔ15’’において電位ＶCS12’’をとる。また、補助容量信号＃ＣＳＬnは、それに引き続く垂直走査期間Ｔv’’における期間Ｔ13’’において電位ＶCS11’’をとり、期間Ｔ14’’における時刻ｔ16’’から時刻ｔ17’’において電位ＶCS14’’をとり、期間Ｔ14’’における時刻ｔ17’’から時刻ｔ18’’において電位ＶCS11’’をとる。なお、図１１の（ｄ）に示すように、電位ＶCS11’’、電位ＶCS12’’、電位ＶCS13’’、および、電位ＶCS14’’の具体的な値は、ＶCS11’’＜ＶCS13’’＜ＶCS14’’＜ＶCS12’’を満たすものとする。
【０２３３】
以下では、本動作例における表示パネル１の画素領域Ｐn,mの各部の動作について、説明する。
【０２３４】
まず、図１１の（ｂ）に示すように、時刻ｔ11’’において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になる。トランジスタＭn,mが導通状態になると、ソース信号＃ＳＬmが、画素電極ＰＥn,mおよび第１の補助容量電極ＣＥ1n,mに供給される。図１１の（ｃ）に示すように、時刻ｔ11’’から時刻ｔ12’’までの期間において、画素電極ＰＥn,mに印加される電位ＶPEn,mは、電位Ｖ11’’から電位Ｖ12’’（Ｖ12’’は正）まで立ち上がる。
【０２３５】
また、時刻ｔ12’’において、補助容量信号＃ＣＳＬnが、電位ＶCS11’’から電位ＶCS12’’まで立ち上がる。それに伴い、画素電極ＰＥn,mの電位ＶPEn,mは、電位Ｖ12’’から電位Ｖ13’’へと変化する。ここで、電位Ｖ13’’の具体的な値は、
Ｖ13’’＝（ＶCS12’’−ＶCS11’’）×ＣCS／ΣＣ＋Ｖ12’’
によって定まる。なお、上述のように、ＶCS11’’＜ＶCS12’’であるので、電位Ｖ13’’は、電位Ｖ12’’よりも大きい。
【０２３６】
続いて、時刻ｔ13’’において、補助容量信号＃ＣＳＬnが、電位ＶCS12’’から電位ＶCS13’’まで立ち下がる。それに伴い、画素電極ＰＥn,mの電位ＶPEn,mは、電位Ｖ13’’から電位Ｖ14’’へと変化する。ここで、電位Ｖ14’’の具体的な値は、
Ｖ14’’＝（ＶCS13’’−ＶCS12’’）×ＣCS／ΣＣ＋Ｖ13’’
によって定まる。なお、上述のように、ＶCS13’’＜ＶCS12’’であるので、電位Ｖ14’’は、電位Ｖ13’’よりも小さい。
【０２３７】
図１１の（ｃ）に示すように、電位Ｖ13’’と共通電位ＶCOMとの電位差は、電位Ｖ14’’と共通電位ＶCOMとの電位差よりも大きい。すなわち、時刻ｔ12’’から時刻ｔ13’’までの期間における液晶ＬＣの透過率は、時刻ｔ13’’から時刻ｔ14’’までの期間における液晶ＬＣの透過率よりも大きい。すなわち、時刻ｔ12’’から時刻ｔ13’’までの期間における画素領域Ｐn,mの輝度は、時刻ｔ13’’から時刻ｔ14’’までの期間における画素領域Ｐn,mの輝度よりも大きい。
【０２３８】
続いて、時刻ｔ14’’において、ゲート信号＃ＧＬnがローレベルからハイレベルに立ち上がり、一定期間経過後、ローレベルへと立ち下がる。ゲート信号＃ＧＬnがハイレベルである期間において、トランジスタＭn,mは導通状態になり、ソース信号＃ＳＬmが、画素電極ＰＥn,mおよび第１の補助容量電極ＣＥ1n,mに供給される。また、時刻ｔ14’’において、補助容量信号＃ＣＳＬnが、電位ＶCS13’’から電位ＶCS12’’まで立ち上がる。
【０２３９】
図１１の（ａ）に示すように、時刻ｔ14’’から時刻ｔ15’’までの期間において、画素電極ＰＥn,mに印加される電位ＶPEn,mは、電位Ｖ14’’から電位Ｖ15’’（Ｖ15’’は負）まで立ち下がる。
【０２４０】
また、時刻ｔ15’’において、補助容量信号＃ＣＳＬnが、電位ＶCS12’’から電位ＶCS11’’まで立ち下がる。それに伴い、画素電極ＰＥn,mの電位ＶPEn,mは、電位Ｖ15’’から電位Ｖ16’’へと変化する。ここで、電位Ｖ16’’の具体的な値は、
Ｖ16’’＝（ＶCS11’’−ＶCS12’’）×ＣCS／ΣＣ＋Ｖ15’’
によって定まる。なお、上述のように、ＶCS11’’＜ＶCS12’’であるので、電位Ｖ16’’は、電位Ｖ15’’よりも小さい。
【０２４１】
続いて、時刻ｔ16’’において、補助容量信号＃ＣＳＬnが、電位ＶCS11’’から電位ＶCS14’’へと立ち上がる。それに伴い、画素電極ＰＥn,mの電位ＶPEn,mは、電位Ｖ16’’から電位Ｖ17’’へと変化する。ここで、電位Ｖ17’’の具体的な値は、
Ｖ17’’＝（ＶCS14’’−ＶCS11’’）×ＣCS／ΣＣ＋Ｖ16’’
によって定まる。なお、上述のように、ＶCS11’’＜ＶCS14’’であるので、電位Ｖ17’’は、電位Ｖ16’’よりも大きい。
【０２４２】
図１１の（ｃ）に示すように、電位Ｖ16’’と共通電位ＶCOMとの電位差は、電位Ｖ17’’と共通電位ＶCOMとの電位差よりも大きい。すなわち、時刻ｔ15’’から時刻ｔ16’’までの期間における液晶ＬＣの透過率は、時刻ｔ16’’から時刻ｔ17’’までの期間における液晶ＬＣの透過率よりも大きい。すなわち、時刻ｔ15’’から時刻ｔ16’’までの期間における画素領域Ｐn,mの輝度は、時刻ｔ16’’から時刻ｔ17’’までの期間における画素領域Ｐn,mの輝度よりも大きい。
【０２４３】
続いて、時刻ｔ17’’において、ゲート信号＃ＧＬnがローレベルからハイレベルに立ち上がり、一定期間経過後、ローレベルへと立ち下がる。また、補助容量信号＃ＣＳＬnが、電位ＶCS14’’から電位ＶCS11’’まで立ち下がる。時刻ｔ17’’以降の動作は、上述した時刻ｔ11’’以降の動作と同様である。
【０２４４】
なお、上記の動作例においては、補助容量信号＃ＣＳＬnが、時刻ｔ12’’において、電位ＶCS11’’から電位ＶCS12’’まで立ち上がり、時刻ｔ15’’において、電位ＶCS12’’から電位ＶCS11’’まで立ち下がる場合について説明を行ったが、より一般には、補助容量信号＃ＣＳＬnは、時刻ｔ12’’から数水平期間（水平期間Ｔhの複数倍の期間）が経過するまでの間に電位ＶCS11’’から電位ＶCS12’’まで立ち上がり、時刻ｔ15’’から数水平期間（水平期間Ｔhの複数倍の期間）が経過するまでの間に電位ＶCS12’’から電位ＶCS11’’まで立ち下がる。
【０２４５】
また、上記の動作例においては、補助容量信号＃ＣＳＬnが、時刻ｔ14’’において、電位ＶCS13’’から電位ＶCS12’’まで立ち上がる場合について説明を行ったが、より一般には、補助容量信号＃ＣＳＬnは、時刻ｔ13’’から時刻ｔ15’’までの間に電位ＶCS13’’から電位ＶCS12’’まで立ち上がる。
【０２４６】
本動作例のように、本発明に係る表示パネル１は、１垂直走査期間の後半における画素領域Ｐn,mの輝度が当該１垂直走査期間の前半における画素領域Ｐn,mの輝度よりも小さくなるように補助容量信号＃ＣＳＬnを供給することによっても、１垂直走査期間における画素領域Ｐn,mの輝度の変化を生じせしめることができる。
【０２４７】
したがって、本動作例においても、上記動画ボケの現象を抑制することができる。また、本動作例においては、補助容量信号＃ＣＳＬnは、４値の電圧レベルをとる。したがって、動作例４、および、動作例５に比べて、より高輝度の表示を行い、より効果的に上記動画ボケの現象を抑制することができる。
【０２４８】
上記の動作例１〜６では、ｎ番目のゲートバスラインＧＬnに供給されるゲート信号＃ＧＬn、および、ｎ番目の補助容量バスラインＣＳＬnに供給される補助容量信号＃ＣＳＬnを例に挙げ説明を行ったが、ｎ番目以外のゲートバスラインＧＬp（ｐ≠ｎ）に供給されるゲート信号＃ＧＬp、および、ｎ番目以外の補助容量バスラインＣＳＬp（ｐ≠ｎ）に供給される補助容量信号＃ＣＳＬpに対しても同様である。
【０２４９】
また、本発明に係る表示パネル１における補助容量ドライバ１４は、補助容量バスラインＣＳＬnに対し、補助容量信号＃ＣＳＬnを、ゲート信号＃ＧＬnに同期して供給する。
【０２５０】
さらに、画素電極ＰＥn,mに対して上述のような極性反転信号が印加される場合、すなわち、画素電極ＰＥn,mの電位ＶPEn,mが１水平走査期間ごとに対向電極の電圧ＶCOMに対する極性を反転する場合には、補助容量ドライバ１４は、補助容量信号＃ＣＳＬn+1の極性を補助容量信号＃ＣＳＬnの極性に対し反転させて供給する。
【０２５１】
図１２の（ａ）は、ゲートバスラインＧＬn〜ＧＬn+3に対してそれぞれ供給されるゲート信号＃ＧＬn〜＃ＧＬn+3の波形の一例を示すタイミングチャートであり、図１２の（ｂ）は、上述した動作例１における、補助容量バスラインＣＳＬn〜ＣＳＬn+3のそれぞれに対して供給される補助容量信号＃ＣＳＬn〜＃ＣＳＬn+3の波形の一例を示すタイミングチャートであり、図１２の（ｃ）は、上述した動作例２における、補助容量バスラインＣＳＬn〜ＣＳＬn+3のそれぞれに対して供給される＃ＣＳＬn〜＃ＣＳＬn+3の波形の一例を示すタイミングチャートである。
【０２５２】
動作例１のように、選択期間における補助容量信号の電位レベルが、１水平ライン期間ごとに、複数の電位レベルのうちの最大の電位レベルと、最小の電位レベルとに切り替わる場合、すなわちライン反転駆動である場合には、図１２の（ｂ）〜（ｃ）に示すように、補助容量ドライバ１４は、補助容量信号＃ＣＳＬn+1の極性を補助容量信号＃ＣＳＬnの極性に対し反転させて供給する。
【０２５３】
また、図１２の（ｂ）〜（ｃ）に示すように、補助容量ドライバ１４は、補助容量バスラインＣＳＬnに対し、補助容量信号＃ＣＳＬn〜＃ＣＳＬn+3を、それぞれ、ゲート信号＃ＧＬn〜＃ＧＬn+3に同期して供給する。
【０２５４】
また、その他のゲート信号＃ＧＬq（ｑ≦ｎ−１、ｑ≧ｎ＋４）、および、その他の補助容量信号＃ＣＳＬq（ｑ≦ｎ−１、ｑ≧ｎ＋４）に対しても同様である。
【０２５５】
なお、選択期間における補助容量信号の電位レベルが、複数の水平ライン期間ごとに、複数の電位レベルのうちの最大の電位レベルと、最小の電位レベルとに切り替わる場合には、補助容量ドライバ１４は、複数の補助容量バスラインごとに極性を反転させた補助容量信号を供給するような構成とすることが好ましい。
【０２５６】
（表示パネル１の動作例７）
上述した動作例１〜６においては、補助容量ドライバ１４が、複数の補助容量バスラインＣＳＬ1〜ＣＳＬNのそれぞれに対し、水平走査期間Ｔh毎に補助容量信号＃ＣＳＬ1〜＃ＣＳＬNを順次供給する場合、すなわち、補助容量信号＃ＣＳＬnと補助容量信号＃ＣＳＬn+1との間に、水平走査期間Ｔhの長さに対応する位相差が存在する場合を例に挙げ説明を行ったが、本発明はこれに限られるものではない。
【０２５７】
以下では、図１３の（ａ）〜（ｂ）を参照して、本実施形態に係る表示パネル１の動作の第７の例について説明する。また、本動作例においては、選択期間における補助容量信号の電位レベルが、２つの水平ライン期間ごとに、複数の電位レベルのうちの最大の電位レベルと、最小の電位レベルとに切り替わる場合を例にとり説明を行う。
【０２５８】
図１３の（ａ）は、ゲートバスラインＧＬn〜ＧＬn+3に対してそれぞれ供給されるゲート信号＃ＧＬn〜＃ＧＬn+3の波形の一例を示すタイミングチャートであり、図１３の（ｂ）は、本動作例における、補助容量バスラインＣＳＬn〜ＣＳＬn+3のそれぞれに対して供給される補助容量信号＃ＣＳＬn〜＃ＣＳＬn+3の波形の一例を示すタイミングチャートである。
【０２５９】
図１３の（ｂ）に示すように、補助容量ドライバ１４は、補助容量バスラインＣＳＬn、および、補助容量バスラインＣＳＬn+1に対し、互いに同相である補助容量信号＃ＣＳＬn、および、補助容量信号＃ＣＳＬn+1を供給する。換言すれば、補助容量ドライバ１４は、隣接する２本の補助容量バスラインを１対とし、当該１対の補助容量バスラインに対して、共通の補助容量信号を供給する。
【０２６０】
このように、本動作例においては、前記補助容量ドライバ１４は、前記複数のゲートバスラインＧＬ1〜ＧＬNのうちｎ番目のゲートバスラインＧＬnに前記トランジスタＭn,m及び前記キャパシタＣn,mを介して接続された前記補助容量バスラインＣＳＬnと、前記複数のゲートバスラインＧＬ1〜ＧＬNのうちｎ＋１番目のゲートバスラインＧＬn+1に前記トランジスタＭn+1,m及び前記キャパシタＣn+1,mを介して接続された前記補助容量バスラインＣＳＬn+1とに対し、前記矩形状の電圧信号（補助容量信号＃ＣＳＬn、および補助容量信号＃ＣＳＬn+1）を同期して供給する。
【０２６１】
１対の補助容量バスラインに対して共通の補助容量信号を供給するための構成としては、例えば、補助容量信号＃ＣＳＬn、および、補助容量信号＃ＣＳＬn+1を、補助容量ドライバ１４における同一の信号生成手段によって生成し、それぞれ、補助容量バスラインＣＳＬn、および、補助容量バスラインＣＳＬn+1に対し供給すればよい。
【０２６２】
したがって、本動作例においては、より簡単な構成の前記補助容量ドライバ１４により、上記動画ボケの現象を抑制することができる。
【０２６３】
また、本発明に係る表示パネルにおいては、前記補助容量ドライバ１４は、前記複数のゲートバスラインＧＬ1〜ＧＬNのうちｎ番目のゲートバスラインＧＬnに前記トランジスタＭn,m及び前記キャパシタＣn,mを介して接続された前記補助容量バスラインＣＳＬnと、前記複数のゲートバスラインＧＬ1〜ＧＬNのうちｎ＋２番目のゲートバスラインＧＬn+2に前記トランジスタＭn+2,m及び前記キャパシタＣn+2,mを介して接続された前記補助容量バスラインＣＳＬn+2とに対し、前記矩形状の電圧信号（補助容量信号＃ＣＳＬn、および補助容量信号＃ＣＳＬn+2）を同期して供給するような構成としてもよい。
【０２６４】
上記の構成によれば、より簡単な構成の前記補助容量ドライバ１４により、フリッカや極性反転に応じたスジの発生を抑制しつつ、上記動画ボケの現象を抑制することができるという更なる効果を奏する。
【０２６５】
また、補助容量ドライバ１４は、隣接する３本以上の補助容量バスラインを１組とし、当該１組の補助容量バスラインに対して、共通の補助容量信号を供給するような構成としてもよい。
【０２６６】
以上の動作例１〜７において説明したように、本実施形態に係る表示パネル１は、補助容量バスラインＣＳＬ1〜ＣＳＬNに対し、１垂直走査期間において、複数の電圧レベルからなる矩形状の補助容量信号＃ＣＳＬ1〜＃ＣＳＬNを供給することによって、１垂直走査期間において、画素領域Ｐn,mの輝度が相対的に高い期間（以下、「明期間」と呼ぶ）と、画素領域Ｐn,mの輝度が相対的に低い期間（以下、「暗期間」と呼ぶ）とを生じせしめることができる。
【０２６７】
また、１垂直走査期間において、明期間と暗期間が存在することによって、表示パネル１に表示される画像のぼやけを抑制することができる。
【０２６８】
また、１垂直走査期間における明期間の長さと暗期間の長さとは、補助容量ドライバ１４が供給する補助容量信号＃ＣＳＬnのデューティ比を変えることにより、調整することが可能である。
【０２６９】
ここで、選択期間における補助容量信号＃ＣＳＬnの電位レベルが、複数の電位レベルのうち、最小の電位レベルをとった直後の１垂直走査期間においては、補助容量信号＃ＣＳＬnのデューティ比とは、当該１垂直走査期間における補助容量信号＃ＣＳＬnの電圧レベルが複数の電圧レベルのうち最大の電圧レベルをとる期間の割合のことであり、選択期間における補助容量信号＃ＣＳＬnの電位レベルが、複数の電位レベルのうち、最大の電位レベルをとった直後の１垂直走査期間においては、補助容量信号＃ＣＳＬnのデューティ比とは、当該１垂直走査期間における補助容量信号＃ＣＳＬnの電圧レベルが複数の電圧レベルのうち最小の電圧レベルをとる期間の割合のことである。
【０２７０】
図１４の（ｃ）は、図５の（ｄ）に示された補助容量信号＃ＣＳＬnであって、デューティ比が約９０パーセントとなるように設定された補助容量信号＃ＣＳＬnの波形を示している。
【０２７１】
図１４の（ｃ）に示すように、補助容量信号＃ＣＳＬnの電圧レベルが相対的に低い期間である期間ＴDは、１垂直走査期間Ｔv’の約１０パーセントであり、補助容量信号＃ＣＳＬnの電圧レベルが相対的に高い期間である期間ＴBは１垂直走査期間Ｔv’の約９０パーセントである。また、図１４の（ｃ）に示した１垂直走査期間Ｔv’は、画素電極ＰＥn,mに対し、正極性の電位が印加された直後の垂直走査期間である。したがって、当該補助容量信号＃ＣＳＬnのデューティ比は約９０パーセントである。
【０２７２】
図１４の（ｂ）に示すように、期間ＴDにおける画素電極ＰＥn,mの電位ＶPEn,mと供給電位ＶCOMとの電位差は、期間ＴBにおける画素電極ＰＥn,mの電位ＶPEn,mと供給電位ＶCOMとの電位差よりも小さいので、期間ＴDは暗期間に対応し、期間ＴBは明期間に対応する。換言すれば、デューティ比が約９０パーセントとなるように設定された補助容量信号＃ＣＳＬnを供給することによって、１垂直走査期間の約９０パーセントの期間が明期間となり、残りの約１０パーセントの期間が暗期間となる。
【０２７３】
図１５の（ｃ）は、図５の（ｄ）に示された補助容量信号＃ＣＳＬnであって、デューティ比が約１０パーセントとなるように設定された補助容量信号＃ＣＳＬnの波形を示している。
【０２７４】
図１５の（ｃ）に示すように、補助容量信号＃ＣＳＬnの電圧レベルが相対的に低い期間である期間ＴDは、１垂直走査期間Ｔv’の約９０パーセントであり、補助容量信号＃ＣＳＬnの電圧レベルが相対的に高い期間である期間ＴBは１垂直走査期間Ｔv’の約１０パーセントである。また、図１５の（ｃ）に示した１垂直走査期間Ｔv’は、画素電極ＰＥn,mに対し、正極性の電位が印加された直後の垂直走査期間である。したがって、当該補助容量信号＃ＣＳＬnのデューティ比は約１０パーセントである。
【０２７５】
図１５の（ｂ）に示すように、期間ＴDにおける画素電極ＰＥn,mの電位ＶPEn,mと供給電位ＶCOMとの電位差は、期間ＴBにおける画素電極ＰＥn,mの電位ＶPEn,mと供給電位ＶCOMとの電位差よりも小さいので、期間ＴDは暗期間に対応し、期間ＴBは明期間に対応する。換言すれば、デューティ比が約１０パーセントとなるように設定された補助容量信号＃ＣＳＬnを供給することによって、１垂直走査期間の約１０パーセントの期間が明期間となり、残りの約９０パーセントの期間が暗期間となる。
【０２７６】
図１６は、上記デューティ比と輝度の関係を示すグラフである。図１６の縦軸は、最低輝度を０．０、最高輝度を１．０とした相対輝度を表しており、図１６の横軸は、上記デューティ比を表している。
【０２７７】
図１６に示すように、デューティ比が大きいほど、相対輝度は大きい。
【０２７８】
図１７は、上記デューティ比と表示パネル１に表示される動画像の視認性との関係を示す実験データのグラフである。
【０２７９】
図１７の縦軸は、表示パネル１に表示される動画像を観察する観察者が感じる視認性を５段階評価で表しており、当該視認性が高いほど、観察者によって当該動画像がよりクリアに、すなわち、よりぼやけが少なく見えていることを示している。図１７の横軸は、上述したデューティ比を表している。
【０２８０】
図１７における点線は、複数の観察者のそれぞれによってなされた視認性の評価のうち、最も低い評価を表すグラフであり、図１７における破線は、複数の観察者のそれぞれによってなされた視認性の評価のうち、最も高い評価を表すグラフであり、図１７における実線は複数の観察者のそれぞれによってなされた視認性の評価の平均値を示すグラフである。
【０２８１】
図１７に示すように、デューティ比が約１０パーセント以下では、全ての観察者が視認性に対して最高の評価を行っている。一方で、デューティ比が約９０パーセント以上になると、ほとんどの観察者が視認性の変化を感じ取ることができないことがわかる。
【０２８２】
図１７に示された実験データから、上述したデューティ比の設定は、約１０パーセントから約９０パーセントの範囲内で行うことが好ましいことがわかる。
【０２８３】
また、本実施形態に係る表示パネル１においては、ソースドライバ１２は、補助容量ドライバ１４が供給する補助容量信号＃ＣＳＬ1〜＃ＣＳＬNの振幅の大きさに応じて、ソース信号＃ＳＬ1〜＃ＳＬMの振幅の大きさを設定することが好ましい。
【０２８４】
図１８の（ａ）は、ゲート信号＃ＧＬnの波形を示すタイミングチャートであり、図１８の（ｂ）は、共通電位ＶCOMと、ソース信号＃ＳＬmの振幅がより大きい場合に画素電極ＰＥn,mに印加される電位ＶPEn,mの波形を示すタイミングチャートであり、図１８の（ｃ）は、ソース信号＃ＳＬmの振幅がより大きい場合に補助容量バスラインＣＳＬnに供給される補助容量信号＃ＣＳＬnの波形を示すタイミングチャートである。
【０２８５】
また、図１８の（ｄ）は、共通電位ＶCOMと、ソース信号＃ＳＬmの振幅がより小さい場合に画素電極ＰＥn,mに印加される電位ＶPEn,mの波形を示すタイミングチャートであり、図１８の（ｅ）は、ソース信号＃ＳＬmの振幅がより小さい場合に補助容量バスラインＣＳＬnに供給される補助容量信号＃ＣＳＬnの波形を示すタイミングチャートである。
【０２８６】
図１８の（ｂ）に示す振幅Ａ1、および、図１８の（ｄ）に示す振幅Ａ2は、ソース信号＃ＳＬmの振幅を表している。
【０２８７】
図１８の（ｂ）〜（ｅ）に示すように、補助容量ドライバ１４は、ソース信号＃ＳＬmの振幅がより大きい場合には、振幅のより小さい補助容量信号＃ＣＳＬnを供給し、ソース信号＃ＳＬmの振幅がより小さい場合には、振幅のより大きい補助容量信号＃ＣＳＬnを供給する。
【０２８８】
このように、補助容量ドライバ１４が振幅のより小さい補助容量信号＃ＣＳＬnを供給する場合には、ソースドライバ１２が、より振幅の大きいソース信号＃ＳＬmを供給し、補助容量ドライバ１４が振幅のより大きい補助容量信号＃ＣＳＬnを供給する場合には、ソースドライバ１２が、より振幅の小さいソース信号＃ＳＬmを供給することによって、補助容量信号＃ＣＳＬｎの振幅がより大きい場合であっても、より小さい場合であっても、１垂直走査期間Ｔvにおける画素領域Ｐn,mの輝度の平均値をほぼ一定に保つことができる。
【０２８９】
また、上述したような、補助容量バスラインＣＳＬ1〜ＣＳＬNに対し複数の電圧レベルからなる矩形状の補助容量信号＃ＣＳＬ1〜＃ＣＳＬNを供給するための具体的な構成は、例えば、補助容量ドライバ１４が、当該複数の電圧レベルを供給する複数の電源と、当該複数の電源から供給される電圧レベルのうち、何れかを選択するセレクタとを備えることによって実現することができる。
【０２９０】
図１９は、４値の電圧レベルからなる補助容量信号＃ＣＳＬ1〜＃ＣＳＬNを供給するための、補助容量ドライバ１４の構成を示すブロック図である。
【０２９１】
図１９に示すように、補助容量ドライバ１４は、第１の電源Ｂ１、第２の電源Ｂ２、第３の電源Ｂ３、および、第４の電源Ｂ４を備えている。また、図１９に示すように、補助容量ドライバ１４は、補助容量バスラインＣＳＬn（１≦ｎ≦Ｎ）に接続された第ｎのセレクタＳＥＬn（１≦ｎ≦Ｎ）を備えている。
【０２９２】
また、図１９に示すように、第ｎのセレクタＳＥＬnには、制御部１１から出力される制御信号＃１１ｃが供給される。
【０２９３】
図１９に示すように、第１の電源Ｂ１から出力される第１の電位、第２の電源から出力される第２の電位、第３の電源から出力される第３の電位、および、第４の電源から出力される第４の電位は、第ｎのセレクタＳＥＬn（１≦ｎ≦Ｎ）に供給されている。第ｎのセレクタＳＥＬnは、上記第１の電位、第２の電位、第３の電位、および、第４の電位のうち、制御信号＃１１ｃに応じて、何れか１つの電位を選択し、補助容量バスラインＣＳＬnに対して供給する。
【０２９４】
なお、上記第１〜第４の電源の具体的な構成は、本発明を限定するものではないが、例えば、それぞれ、上記第１〜第４の電位に対応するデジタル値が入力されるＤＡＣ（Ｄｉｇｉｔａｌ−Ａｎａｌｏｇ  Ｃｏｎｖｅｒｔｅｒ）を用いてもよいし、他の構成を用いてもよい。
【０２９５】
上記のように、本発明に係る表示パネル１における前記補助容量ドライバ１４は、前記矩形状の電圧信号（補助容量信号＃ＣＳＬn）の振幅の大きさを変更する振幅変更手段を備えていることが好ましい。
【０２９６】
このように、前記補助容量ドライバ１４が、前記矩形状の電圧信号の振幅の大きさを変更する振幅変更手段を備えることによって、より効果的に動画ボケの現象を抑制することができる。
【０２９７】
また、本発明に係る表示パネル１においては、前記ソースドライバ１２は、前記矩形状の電圧信号の振幅（補助容量信号＃ＣＳＬn）がより小さい場合に、より振幅の大きな前記ソース信号＃ＳＬmを供給し、前記矩形状の電圧信号（補助容量信号＃ＣＳＬn）の振幅がより大きい場合に、より振幅の小さな前記ソース信号＃ＳＬmを供給する。
【０２９８】
上記の構成によれば、前記ソースドライバは、前記矩形状の電圧信号の振幅がより小さい場合に、より振幅の大きな前記ソース信号を供給し、前記矩形状の電圧信号の振幅がより大きい場合に、より振幅の小さな前記ソース信号を供給することができるため、前記矩形状の電圧信号の振幅がより大きい場合であっても、前記矩形状の電圧信号の振幅がより小さい場合であっても、上記動画ボケの現象を効果的に抑制することができるという更なる効果を奏する。
【０２９９】
なお、前記ソース信号の振幅とは、正極性書き込み時における前記ソース信号の電位から負極性書き込み時における前記ソース信号の電位を引き算したものとして定義されるものとする（以下同様）。また、正極性書き込み時とは、前記導通信号供給時であって前記矩形状の電圧信号が最も低い電圧レベルである場合を指し、負極性書き込み時とは、前記導通信号供給時であって前記矩形状の電圧信号が最も高い電圧レベルである場合を指す（以下同様）。
【０３００】
〔実施形態２〕
実施形態１においては、表示パネル１が、Ｎ本のゲートバスラインＧＬ1〜ＧＬN、および、Ｎ本の補助容量バスラインＣＳＬ1〜ＣＳＬNを備える構成について説明を行ったが、本発明はこれに限られるものではない。
【０３０１】
以下では、図２０および図２１を参照して、本発明の第２の実施形態に係る表示パネル２について説明を行う。なお、すでに説明した部分については、同じ符号を付し、説明を省略する。
【０３０２】
図２０は、本実施形態に係る表示パネル２の構成を示すブロック図である。図２０に示すように、表示パネル２は、表示パネル１における補助容量ドライバ１４に代えて、補助容量ドライバ２４を備えており、表示パネル１における表示部１６に代えて、表示部２６を備えている。
【０３０３】
図２０に示すように、表示部２６には、Ｎ本のゲートバスラインＧＬ1〜ＧＬN（本実施形態においては、Ｎは偶数であるとして説明を行う）とＭ本のソースバスラインＳＬ1〜ＳＬMとに加えて、Ｎ／２本の補助容量バスラインＣＳＬ1〜ＣＳＬN/2を備えている。
【０３０４】
また、図２０に示すように、ゲートバスラインＧＬn（ｎは奇数とする）によって画定される画素領域Ｐn,mに形成された第２の補助容量電極ＣＥ2n,m、および、ゲートバスラインＧＬn+1によって画定される画素領域Ｐn+1,mに形成された第２の補助容量電極ＣＥ2 n+1,mは、共に、補助容量バスラインＣＳＬp（ｐ＝（ｎ＋１）／２）に接続されている。
【０３０５】
補助容量ドライバ２４は、Ｎ／２本の補助容量バスラインＣＳＬ1〜ＣＳＬN/2のそれぞれに対して、補助容量信号＃ＣＳＬ1〜＃ＣＳＬN/2を供給する。
【０３０６】
また、本実施形態におけるソースドライバ１２は、ソースバスラインＳＬmに対し、連続する２つの水平走査期間ごとに極性を反転させるソース信号を供給するものとして説明を行う。
【０３０７】
表示パネル２のその他の構成は、表示パネル１と同様である。
【０３０８】
図２１の（ａ）は、表示パネル２におけるゲートドライバ１３が、ゲートバスラインＧＬn〜ＧＬn+3のそれぞれに対して供給するゲート信号＃ＧＬn〜＃ＧＬn+3の波形の一例を示すタイミングチャートであり、図２１の（ｂ）は、表示パネル２における補助容量ドライバ２４が、補助容量バスラインＣＳＬp（ｐ＝（ｎ＋１）／２）および補助容量バスラインＣＳＬp+1のそれぞれに対して供給する補助容量信号＃ＣＳＬpおよび補助容量信号＃ＣＳＬp+1の波形の一例を示すタイミングチャートである。
【０３０９】
図２１の（ａ）〜（ｂ）に示すように、補助容量ドライバ２４は、ゲート信号＃ＧＬn、および、ゲート信号＃ＧＬn+1に同期して、補助容量バスラインＣＳＬp（ｐ＝（ｎ＋１）／２）に対して、補助容量信号＃ＣＳＬp（ｐ＝（ｎ＋１）／２）を供給し、ゲート信号＃ＧＬn+2、および、ゲート信号＃ＧＬn+3に同期して、補助容量バスラインＣＳＬp+1（ｐ＝（ｎ＋１）／２）に対して、補助容量信号＃ＣＳＬp+1（ｐ＝（ｎ＋１）／２）を供給する。
【０３１０】
このように、本実施形態に係る表示パネル２においては、前記複数のゲートバスラインＧＬ1〜ＧＬNの本数は偶数であり、前記複数の補助容量バスラインの本数は、前記ゲートバスラインの本数の半数（すなわちＮ／２本）であり、前記複数のゲートバスラインのうち２ｋ−１番目（ｋは自然数）のゲートバスラインＧＬ2k-1に前記トランジスタＭ2k-1,mを介して接続された前記キャパシタＣ2k-1,mの前記他の一端（第２の補助容量電極ＣＥ2 2k-1,m）と、前記複数のゲートバスラインのうち２ｋ番目のゲートバスラインＧＬ2k,mに前記トランジスタＭ2k,mを介して接続された前記キャパシタＣ2k,mの前記他の一端（第２の補助容量電極ＣＥ2 2k）とが、前記複数の補助容量バスラインのうちｋ番目の補助容量バスラインＣＳＬkに接続されている。
【０３１１】
本実施形態に係る表示パネル２は、実施形態１における表示パネル１に比べて、補助容量バスラインの本数を半分にすることができる。したがって、表示パネル２における表示部２６の構成を、表示パネル１における表示部１６の構成に比べて簡単にすることができる。また、表示パネル２における補助容量ドライバ２４は、Ｎ／２本の補助容量バスラインＣＳＬ1〜ＣＳＬN/2のそれぞれに対して、補助容量信号＃ＣＳＬ1〜＃ＣＳＬN/2を供給すればよいので、Ｎ本の補助容量バスラインＣＳＬ1〜ＣＳＬNのそれぞれに対して、補助容量信号＃ＣＳＬ1〜＃ＣＳＬNを供給する表示パネル１における補助容量ドライバ１４に比べて構成を簡単にすることができる。すなわち、本実施形態に係る表示パネル２によれば、実施形態１における表示パネル１に比べてより簡単な構成により、上記動画ボケの現象を抑制することができる。
【０３１２】
〔実施形態３〕
以下では、図２２および図２３を参照して、本発明の第３の実施形態に係る表示パネル３について説明する。
【０３１３】
図２２は、本実施形態に係る表示パネル３の構成を示すブロック図である。図２２に示すように、表示パネル３は、制御部３１、ソースドライバ１２、補助容量ドライバ１４１、補助容量ドライバ１４２、および、表示部３６を備えている。また、表示パネル３は、図示しないゲートドライバ、および、図示しない対向電極ドライバを備えている。ここで、上記図示しないゲートドライバ、および、上記図示しない対向電極ドライバは、それぞれ、表示パネル１におけるゲートドライバ１３、および、対向電極ドライバ１５と同様の構成である。
【０３１４】
図２２に示すように、表示部３６の両側には、それぞれ、補助容量ドライバ１４１、および、補助容量ドライバ１４２が配置されている。また、補助容量ドライバ１４１には、制御部３１から制御信号＃１１ｃ２が供給され、補助容量ドライバ１４２には、制御部３１から制御信号＃１１ｃ１が供給されている。
【０３１５】
表示部３６には、Ｍ本のソースバスラインＳＬ1〜ＳＬM、および、図示しないＮ本のゲートバスラインが形成されている。なお、当該図示しないＮ本のゲートバスラインは、表示パネル１におけるＮ本のゲートバスラインＧＬ1〜ＧＬNと同様の構成である。また、表示部３６には、表示パネル１における対向電極用配線ＣＯＭＬと同様の図示しない対向電極用配線が形成されている。
【０３１６】
また、図２２に示すように、表示部３６の左側半面には、ソースバスラインＳＬ1〜ＳＬMとほぼ垂直に、Ｎ本の補助容量バスラインＣＳＬＬ1〜ＣＳＬＬNが形成されており、表示部３６の右側半面には、ソースバスラインＳＬ1〜ＳＬMとほぼ垂直に、Ｎ本の補助容量バスラインＣＳＬＲ1〜ＣＳＬＲNが形成されている。また、Ｎ本の補助容量バスラインＣＳＬＬ1〜ＣＳＬＬNとＮ本の補助容量バスラインＣＳＬＲ1〜ＣＳＬＲNとは互いに絶縁されている。また、図２２に示すように、補助容量バスラインＣＳＬＬnと補助容量バスラインＣＳＬＲnとは、同一直線上に配置されている。したがって、換言すれば、本実施形態においては、表示パネル１における補助容量バスラインＣＳＬnが、絶縁部を介して同一直線上に形成された２本の補助容量バスラインＣＳＬＬn、および、補助容量バスラインＣＳＬＲnから構成されている。
【０３１７】
また、Ｎ本の補助容量バスラインＣＳＬＬ1〜ＣＳＬＬNのぞれぞれの一端は、補助容量ドライバ１４１に接続されており、Ｎ本の補助容量バスラインＣＳＬＲ1〜ＣＳＬＲNのぞれぞれの一端は、補助容量ドライバ１４２に接続されている。
【０３１８】
なお、補助容量バスラインＣＳＬＬ1〜ＣＳＬＬNと、補助容量バスラインＣＳＬＲ1〜ＣＳＬＲNとは絶縁されている。
【０３１９】
補助容量ドライバ１４１は、補助容量バスラインＣＳＬＬ1〜ＣＳＬＬNに対し、それぞれ、補助容量信号＃ＣＳＬＬ1〜＃ＣＳＬＬNを供給し、補助容量ドライバ１４２は、補助容量バスラインＣＳＬＲ1〜ＣＳＬＲNに対し、それぞれ、補助容量信号＃ＣＳＬＲ1〜＃ＣＳＬＲNを供給する。
【０３２０】
図２３は、図２２に示す領域Ｒにおける表示部３６の構成を示す回路図である。図２３に示すように、ソースバスラインＳＬ1〜ＳＬkによって画定される画素領域Ｐn,1〜Ｐn,kに形成されている第２の補助容量電極ＣＥ2n,1〜ＣＥ2n,kは、補助容量バスラインＣＳＬＬnに接続されており、ソースバスラインＳＬk+1〜ＳＬMによって画定される画素領域Ｐn,k+1〜Ｐn,Mに形成されている第２の補助容量電極ＣＥ2n,k+1〜ＣＥ2n,Mは、補助容量バスラインＣＳＬＲnに接続されている。画素領域Ｐs,1〜Ｐs,k、（ｓ≠ｎ、１≦ｓ≦Ｎ）および、画素領域Ｐs,k+1〜Ｐs,M（ｓ≠ｎ、１≦ｓ≦Ｎ）に対しても同様である。
【０３２１】
ここで、上記ｋの値は、Ｍ／２程度であることが好ましい。ここで、Ｍはソースバスラインの本数である。また、上記ｋの値は、ほぼ０．４５×Ｍから０．５５×Ｍまでの範囲であることが好ましい。
【０３２２】
補助容量ドライバ１４１、および、補助容量ドライバ１４２は、実施形態１において説明した補助容量ドライバ１４と同様の動作を行う構成としてもよいし、互いに異なる補助容量信号を供給するような構成としてもよい。例えば、補助容量ドライバ１４１が実施形態１の動作例２のような補助容量信号＃ＣＳＬＬ1〜＃ＣＳＬＬNを供給し、補助容量ドライバ１４２が実施形態１の動作例５のような補助容量信号ＣＳＬＲ1〜＃ＣＳＬＲNを供給してもよい。また、補助容量ドライバ１４１が出力する補助容量信号＃ＣＳＬＬ1〜＃ＣＳＬＬNのデューティ比と、補助容量ドライバ１４２が出力する補助容量信号＃ＣＳＬＲ1〜＃ＣＳＬＲNのデューティ比とが異なるような構成としてもよい。
【０３２３】
また、ソースドライバ１２が、ソースバスラインＳＬ1〜ＳＬkに対し、図１８の（ｂ）に示すような振幅のより大きいソース信号＃ＳＬ1〜＃ＳＬkを供給し、ソースバスラインＳＬk+1〜ＳＬMに対し、図１８の（ｄ）に示すような振幅のより小さいソース信号＃ＳＬk+1〜＃ＳＬMを供給する場合には、補助容量ドライバ１４１は、補助容量バスラインＣＳＬＬ1〜ＣＳＬＬNに対し、図１８の（ｃ）に示すような振幅のより小さい補助容量信号＃ＣＳＬＬ1〜＃ＣＳＬＬNを供給し、補助容量ドライバ１４２は、補助容量バスラインＣＳＬＲ1〜ＣＳＬＲNに対し、図１８の（ｅ）に示すような振幅のより大きい補助容量信号＃ＣＳＬＲ1〜＃ＣＳＬＲNを供給することが好ましい。
【０３２４】
また、本実施形態に係る表示パネル３は、２つの前記補助容量ドライバ（補助容量ドライバ１４１、および、補助容量ドライバ１４２）を備え、前記任意の補助容量バスライン（補助容量バスラインＣＳＬn）は、絶縁部を介して同一直線上に形成された２本の補助容量バスライン（補助容量バスラインＣＳＬＬn、および、補助容量バスラインＣＳＬＲn）から構成され、２つの前記補助容量ドライバのうち一方の前記補助容量ドライバ（補助容量ドライバ１４１）は、前記１走査期間（１垂直走査期間）において、前記２本の補助容量バスラインのうち一方の補助容量バスライン（補助容量バスラインＣＳＬＬn）に対し、前記導通信号（ゲート信号ＧＬnのハイレベル区間）に同期して、第１の電圧レベルおよび前記第１の電圧レベルと異なる第２の電圧レベルからなる矩形状の電圧信号（補助容量信号＃ＣＳＬＬn）を供給し、２つの前記補助容量ドライバのうち他の一方の前記補助容量ドライバ（補助容量ドライバ１４２）は、前記１走査期間において、前記２本の補助容量バスラインのうち他の一方の補助容量バスライン（補助容量バスラインＣＳＬＲn）に対し、前記導通信号に同期して、第１の電圧レベルおよび前記第１の電圧レベルと異なる第２の電圧レベルからなる矩形状の電圧信号（補助容量信号＃ＣＳＬＲn）を供給する。
【０３２５】
本実施形態に係る表示パネル３によれば、上記一方の補助容量バスライン（補助容量バスラインＣＳＬＬn）に接続された画素電極と、上記他の補助容量バスライン（補助容量バスラインＣＳＬＲn）に接続された画素電極とに対し、互いに独立に上記矩形状の電圧信号（補助容量信号＃ＣＳＬＬn、および、補助容量信号＃ＣＳＬＲn）を供給することができる。
【０３２６】
したがって、上記の構成によれば、上記一方の補助容量バスラインに接続された画素電極を備える画素領域と、上記他の一方の補助容量バスラインに接続された画素電極を備える画素領域とが、それぞれ上記動画ボケの現象の改善効果が異なる画像を表示することができるため、ユーザに対して、本発明による上記動画ボケの改善効果を訴求することができる。すなわち、ユーザに対して、本発明による上記動画ボケの改善効果を効果的にアピールすることができる。
【０３２７】
また、上述のように、前記ソースドライバ１２は、前記一方の補助容量バスライン（補助容量バスラインＣＳＬＬn）に前記キャパシタＣn,m（ｍ≦ｋ）および前記トランジスタＭn,mを介して接続された前記ソースバスラインＳＬmと、前記他の補助容量バスライン（補助容量バスラインＣＳＬＲn）に前記キャパシタＣn,r（ｒ≧ｋ＋１）および前記トランジスタＭn,rを介して接続された前記ソースバスラインＳＬrとに対し、それぞれ振幅の異なったソース信号を供給してもよい。
【０３２８】
したがって、本動作例においては、上記一方の補助容量バスライン（補助容量バスラインＣＳＬＬn）に接続された画素電極ＰＥn,m（ｍ≦ｋ）と、上記他の一方の補助容量バスライン（補助容量バスラインＣＳＬＲn）に接続された画素電極ＰＥn,m（ｍ≧ｋ＋１）とに対し、互いに独立に上記矩形状の電圧信号（補助容量信号＃ＣＳＬＬn、および、補助容量信号＃ＣＳＬＲn）を供給することによって、上記動画ボケの現象以外の画像の視認性を同一にしつつ、上記一方の補助容量バスラインに接続された画素電極を備える画素領域と、上記他の一方の補助容量バスラインに接続された画素電極を備える画素領域とが、それぞれ上記動画ボケの現象の改善効果が異なる画像を表示することができるため、ユーザに対して、本発明による上記動画ボケの改善効果をより効果的に訴求することができる。すなわち、ユーザに対して、本発明による上記動画ボケの改善効果をより効果的にアピールすることができる。
【０３２９】
また、上記一方の補助容量バスライン（補助容量バスラインＣＳＬＬn）の長さは、上記任意の補助容量バスライン（表示パネル１における補助容量バスラインＣＳＬn）の長さの略４５パーセントから略５５パーセントの長さであり、上記他の補助容量バスライン（補助容量バスラインＣＳＬＲn）の長さは、上記任意の補助容量バスライン（表示パネル１における補助容量バスラインＣＳＬn）の長さから上記一方の補助容量バスライン（補助容量バスラインＣＳＬＬn）の長さを引いた長さに略等しい。
【０３３０】
したがって、上記の構成のように構成された表示パネル３によれば、上記表示部３６の一方の半面に配置された画素電極ＰＥn,m（ｎ≦ｋ）を備える画素領域の輝度、および、もう一方の半面に配置された画素電極ＰＥn,m（ｎ≧ｋ＋１）を備える画素領域の輝度を、上記１走査期間において、各々独立に制御することができる。したがって、上記の構成によれば、上記動画ボケの現象をより効果的に抑制することができる。
【０３３１】
また、前記一方の補助容量バスラインの負荷特性と、前記他の一方の補助容量バスラインの負荷特性とを略同一にすることができるため、前記一方の補助容量バスラインに接続された補助容量ドライバの構成と、前記他の一方の補助容量バスラインに接続された補助容量ドライバの構成とを略同一にすることができる。
【０３３２】
したがって、上記の構成によれば、設計および製造がより容易な構成によって、ユーザに対して、本発明による上記動画ボケの改善効果を効果的にアピールすることができる。
【０３３３】
また、本実施形態に係る表示パネル３においては、前記一方の補助容量ドライバ（補助容量ドライバ１４１）は、前記矩形状の電圧信号の振幅の大きさを変更する第１の振幅変更手段（図１９に示す構成と同様の構成）を備えており、前記他の一方の補助容量ドライバ（補助容量ドライバ１４２）は、前記矩形状の電圧信号の振幅の大きさを変更する第２の振幅変更手段（図１９に示す構成と同様の構成）を備えている。
【０３３４】
したがって、上記の構成によれば、前記一方の補助容量ドライバ、および、前記他の一方の補助容量ドライバが、それぞれ振幅の異なった前記矩形状の電圧信号を供給することによって、上記一方の補助容量バスラインに接続された画素電極を備える画素領域と、上記他の一方の補助容量バスラインに接続された画素電極を備える画素領域とが、それぞれ上記動画ボケの現象の改善効果が異なる画像を表示することができるため、ユーザに対して、本発明による上記動画ボケの改善効果を訴求することができる。すなわち、ユーザに対して、本発明による上記動画ボケの改善効果をより効果的にアピールすることができる。
【０３３５】
また、前記ソースドライバ１２は、前記一方の補助容量ドライバ（補助容量ドライバ１４１）が前記一方の補助容量バスラインＣＳＬＬnに振幅のより小さい前記矩形状の電圧信号（補助容量信号＃ＣＳＬＬn）を供給した場合には、前記一方の補助容量バスラインＣＳＬＬnに前記キャパシタＣn,m（ｍ≦ｋ）および前記トランジスタＭn,mを介して接続された前記ソースバスラインＳＬmに対して振幅のより大きい前記ソース信号＃ＳＬmを供給し、前記一方の補助容量ドライバ（補助容量ドライバ１４１）が前記一方の補助容量バスラインＣＳＬＬnに振幅のより大きい前記矩形状の電圧信号（補助容量信号＃ＣＳＬＬn）を供給した場合には、前記一方の補助容量バスラインＣＳＬＬnに前記キャパシタＣn,mおよび前記トランジスタＭn,mを介して接続された前記ソースバスラインＳＬmに対して振幅のより小さい前記ソース信号＃ＳＬmを供給し、前記他の一方の補助容量ドライバ（補助容量ドライバ１４２）が前記他の一方の補助容量バスラインＣＳＬＲnに振幅のより小さい前記矩形状の電圧信号（補助容量信号＃ＣＳＬＲn）を供給した場合には、前記他の一方の補助容量バスラインに前記キャパシタＣn,mおよび前記トランジスタＭn,mを介して接続された前記ソースバスラインＳＬmに対して振幅のより大きい前記ソース信号＃ＳＬmを供給し、前記他の一方の補助容量ドライバ（補助容量ドライバ１４２）が前記他の一方の補助容量バスラインＣＳＬＲnに振幅のより大きい前記矩形状の電圧信号（補助容量信号＃ＣＳＬＲn）を供給した場合には、前記他の一方の補助容量バスラインＣＳＬＲnに前記キャパシタＣn,mおよび前記トランジスタＭn,mを介して接続された前記ソースバスラインＳＬmに対して振幅のより小さい前記ソース信号＃ＳＬmを供給することが好ましい。
【０３３６】
上記の構成によれば、前記一方の補助容量ドライバが前記一方の補助容量バスラインに供給する前記矩形状の電圧信号の振幅に応じて、前記一方の補助容量バスラインに前記キャパシタおよび前記トランジスタを介して接続された前記ソースバスラインに対して前記ソースドライバが供給するソース信号の振幅を制御し、前記他の一方の補助容量ドライバが前記他の一方の補助容量バスラインに供給する前記矩形状の電圧信号の振幅に応じて、前記他の一方の補助容量バスラインに前記キャパシタおよび前記トランジスタを介して接続された前記ソースバスラインに対して前記ソースドライバが供給するソース信号の振幅を制御することによって、上記動画ボケの現象以外の画像の視認性を同一にしつつ、上記一方の補助容量バスラインに接続された画素電極を備える画素領域と、上記他の一方の補助容量バスラインに接続された画素電極を備える画素領域とが、それぞれ上記動画ボケの現象の改善効果が異なる画像を表示することができる。したがって、ユーザに対して、本発明による上記動画ボケの改善効果をより効果的にアピールすることができる。
【０３３７】
〔実施形態４〕
実施形態１〜３においては、主に、ライン反転駆動方式に対する本発明の適用について説明を行ったが、本発明はこれに限定されるものではない。以下では、隣り合う画素電極に対して、互いに反対極性の電位が供給されるドット反転駆動方式に対して本発明を適用した場合について図２４および図２５を参照して説明を行う。
【０３３８】
図２４は、本実施形態に係る表示パネルにおける表示部４６の構成を示す回路図である。本実施形態に係る表示パネルの他の構成は、実施形態１における表示パネル１の構成と同様である。
【０３３９】
図２５は、表示部４６の各画素電極に印加される電位の極性を示す図である。図２５に示すように、本実施形態においては、互いに隣接する画素に対して、反対極性の電位が印加される。このようなドット反転駆動を行うためには、例えば、本実施形態におけるソースドライバが、任意のタイミングにおいて、ソース信号＃ＳＬmの極性とソース信号＃ＳＬm+1の極性とが反対の極性であるようなソース信号＃ＳＬ1〜＃ＳＬMを供給するような構成とすればよい。
【０３４０】
図２４に示すように、表示部４６における画素領域Ｐn,mに形成された第２の補助容量電極ＣＥ2n,mは、補助容量バスラインＣＳＬnに接続され、画素領域Ｐn,m+1に形成された第２の補助容量電極ＣＥ2n,m+1は、補助容量バスラインＣＳＬn-1に接続されている。
【０３４１】
また、画素領域Ｐn+1,mに形成された第２の補助容量電極ＣＥ2n+1,mは、補助容量バスラインＣＳＬn+1に接続され、画素領域Ｐn+1,m+1に形成された第２の補助容量電極ＣＥ2n+1,m+1は、補助容量バスラインＣＳＬnに接続されている。
【０３４２】
また、本実施形態における補助容量ドライバは、補助容量信号＃ＣＳＬnの極性と補助容量信号＃ＣＳＬn+1の極性とが反対の極性であるような補助容量信号＃ＣＳＬ1〜＃ＣＳＬNを供給する。これは、例えば、本実施形態における補助容量ドライバを実施形態１における補助容量ドライバ１４と同じ構成とすることによって実現することができる。
【０３４３】
このように、本実施形態に係る表示パネルにおいては、前記キャパシタＣn,mの前記一端（第１の補助容量電極ＣＥ1n,m）が、前記複数のゲートバスラインのうちｎ番目のゲートバスラインＧＬnと、前記複数のソースラインのうちｍ番目のソースバスラインＳＬmとに接続された前記トランジスタＭn,mに接続されている場合には、前記キャパシタＣn,mの前記他の一端（第１の補助容量電極ＣＥ2n,m）は、前記複数の補助容量バスラインのうちｎ番目の補助容量バスラインＣＳＬnに接続され、前記キャパシタＣn,m+1の前記一端（第１の補助容量電極ＣＥ1n,m+1）が、前記複数のゲートバスラインのうちｎ番目のゲートバスラインＧＬnと、前記複数のソースラインのうちｍ＋１番目のソースバスラインＳＬm+1とに接続された前記トランジスタＭn,m+1に接続されている場合には、前記キャパシタＣn,m+1の前記他の一端（第２の補助容量電極ＣＥ2n,m+1）は、前記複数の補助容量バスラインのうちｎ−１番目の補助容量バスラインＣＳＬn-1に接続されている。
【０３４４】
上記のように構成された表示パネルによれば、互いに隣接する画素電極に印加される電位が互いに反対の極性であるドット反転駆動を行うことによって、フリッカやクロストークなどを抑制しつつ、上記動画ボケの現象を抑制することができる。
【０３４５】
（まとめ）
以上のように、本発明に係る表示パネルは、複数のゲートバスラインと、複数のソースバスラインと、複数の補助容量バスラインと、前記複数のゲートバスラインのうち任意のゲートバスラインに接続されたゲートと、前記複数のソースバスラインのうち任意のソースバスラインに接続されたソースとを備えたトランジスタと、前記トランジスタのドレインに接続された画素電極と、一端が前記画素電極と並列に前記トランジスタのドレインに接続され、他の一端が前記複数の補助容量バスラインのうち任意の補助容量バスラインに接続されたキャパシタと、前記複数のソースバスラインのそれぞれの一端に接続され、前記任意のソースバスラインに対してソース信号を供給するソースドライバと、前記複数のゲートバスラインのそれぞれの一端に接続され、前記トランジスタを導通させる導通信号を前記任意のゲートバスラインに対して逐次的に供給するゲートドライバと、液晶を介して前記画素電極に対向する対向電極と、前記対向電極に接続された対向電極用配線と、前記対向電極用配線に対して共通電位を供給する対向電極ドライバと、を備えた表示パネルであって、前記ゲートドライバが前記任意のゲートバスラインに対して前記導通信号を供給してから次の前記導通信号を供給するまでの１走査期間において、前記任意の補助容量バスラインに対し、前記導通信号に同期して、少なくとも第１の電圧レベルおよび前記第１の電圧レベルと異なる第２の電圧レベルからなる矩形状の電圧信号を供給する補助容量ドライバを備えており、前記１走査期間において、前記矩形状の電圧信号が前記第１の電圧レベルである期間、および、前記第２の電圧レベルである期間は、それぞれ、前記液晶の応答時間よりも長い、ことを特徴としている。
【０３４６】
液晶表示装置のようなホールド型の表示装置においては、あるフレームが表示されてから次のフレームが表示されるまで、物体がその位置に留まって表示されるが、観察者の視線は、物体が留まって表示されている期間であってもその物体を追尾しようと画面上を移動するため、当該動く物体の輪郭がぼけているように認識されてしまうという動画ボケの現象が発生する。
【０３４７】
本発明に係る表示パネルは、上記のように、複数のゲートバスラインと、複数のソースバスラインと、複数の補助容量バスラインと、前記複数のゲートバスラインのうち任意のゲートバスラインに接続されたゲートと、前記複数のソースバスラインのうち任意のソースバスラインに接続されたソースとを備えたトランジスタと、前記トランジスタのドレインに接続された画素電極と、一端が前記画素電極と並列に前記トランジスタのドレインに接続され、他の一端が前記複数の補助容量バスラインのうち任意の補助容量バスラインに接続されたキャパシタと、前記複数のソースバスラインのそれぞれの一端に接続され、前記任意のソースバスラインに対してソース信号を供給するソースドライバと、前記複数のゲートバスラインのそれぞれの一端に接続され、前記トランジスタを導通させる導通信号を前記任意のゲートバスラインに対して逐次的に供給するゲートドライバと、液晶層を介して前記画素電極に対向する対向電極と、前記対向電極に接続された対向電極用配線と、前記対向電極用配線に対して共通電位を供給する対向電極ドライバと、を備えた表示パネルであって、前記ゲートドライバが前記任意のゲートバスラインに対して前記導通信号を供給してから次の前記導通信号を供給するまでの１走査期間において、前記任意の補助容量バスラインに対し、前記導通信号に同期して、第１の電圧レベルおよび前記第１の電圧レベルと異なる第２の電圧レベルからなる矩形状の電圧信号を供給する補助容量ドライバを備えているため、上記任意のゲートバスラインに上記導通信号が供給されてから次の上記導通信号が供給されるまでの１走査期間において、上記任意のゲートバスラインに上記トランジスタを介して接続された上記画素電極に対し、第１の電圧レベルおよび前記第１の電圧レベルと異なる第２の電圧レベルを印加することができる。
【０３４８】
また、本発明に係る表示パネルにおいては、前記１走査期間において、前記矩形状の電圧信号が前記第１の電圧レベルである期間、および、前記第２の電圧レベルである期間は、それぞれ、前記液晶の応答時間よりも長い。ここで、前記液晶の応答時間とは、前記液晶に電界が印加されてから液晶の配向が変化するまでに要する時間のことであり、一般的に1ms以上を要する。
【０３４９】
したがって、上記の構成によれば、上記１走査期間において、上記画素電極が形成された画素領域における画像の輝度を２値に変化させることができる。
【０３５０】
これによって、上記動画ボケの現象を抑制することができるという効果を奏する。
【０３５１】
また、本発明に係る表示パネルが備えている上記補助容量ドライバは、前記導通信号に同期して、上記第１の電圧レベルおよび上記第２の電圧レベルからなる矩形状の電圧信号を供給することができる。したがって、上記矩形状の電圧信号の電圧レベルは、上記導通信号供給されてから一定の時間が経過した後に変化する。
【０３５２】
したがって、前記導通信号に同期せずに上記電圧信号を供給する場合と異なり、画面上の全ての画素領域の各々において、映像データが更新されてから、一定の時間が経過した後に明暗の切り替えを行うことができる。
【０３５３】
また、本発明に係る上記の表示パネルにおいては、画像信号を一旦記憶しておくためのフレームメモリを用いることなく、上記動画ボケを抑制することができる。したがって、画像信号を一旦記憶しておくためのフレームメモリを用いる従来の構成に比べて、製造コストを削減することができるという効果を奏する。また、画像信号を一旦記憶しておくためのフレームメモリを用いる従来の構成に比べて、消費電力を削減することができるという効果を奏する。
【０３５４】
また、本発明に係る表示パネルにおいては、前記矩形状の電圧信号は、前記１走査期間の少なくとも１０パーセントの連続した期間において、前記第１の電圧レベルまたは前記第２の電圧レベルのうち一方の値の電圧レベルをとる、ことが好ましい。
【０３５５】
上記の構成によれば、前記矩形状の電圧信号は、前記１走査期間の少なくとも１０パーセントの連続した期間において、前記第１の電圧レベルまたは前記第２の電圧レベルのうち一方の値の電圧レベルをとるため、上記動画ボケの現象を効果的に抑制することができるという更なる効果を奏する。
【０３５６】
また、本発明に係る表示パネルにおいては、前記矩形状の電圧信号は、前記１走査期間の開始から前記１走査期間の略１０パーセントの期間が経過するまでの期間において、前記第１の電圧レベルまたは前記第２の電圧レベルのうち一方の電圧レベルをとり、前記１走査期間の略９０パーセントの期間が経過してから前記１走査期間が終了するまでの期間において、前記第１の電圧レベルまたは前記第２の電圧レベルのうち他の一方の電圧レベルをとる、ことが好ましい。
【０３５７】
一般に明るい輝度と暗い輝度を切り替えて表示する場合、視聴者は、明るい輝度での表示の比率が９０％以上の場合は動画ボケの改善を感じず、９０〜１０％の間で比率が小さくなるほど動画ボケの改善を感じ、１０％程度でほぼ動画ボケが満足に改善されたと感じる。
【０３５８】
したがって、上記の構成によれば、上記動画ボケの現象を効果的に抑制することができるという更なる効果を奏する。
【０３５９】
また、本発明に係る表示パネルにおいては、前記１走査期間において、前記矩形状の電圧信号が前記第１の電圧レベルであるときの前記画素電極の電位と前記対向電極の電位との差によって表される前記液晶への印加電圧の極性と、前記矩形状の電圧信号が前記第２の電圧レベルであるときの前記画素電極の電位と前記対向電極の電位との差によって表される前記液晶への印加電圧の極性とは、互いに異なった極性である、ことが好ましい。
【０３６０】
上記の構成によれば、前記矩形状の電圧信号が前記第１の電圧レベルであるときであっても、前記矩形状の電圧信号が前記第２の電圧レベルであるときであっても、前記液晶への印加電圧の絶対値を十分に小さくすることができる。
【０３６１】
したがって、上記の構成によれば、前記液晶への印加電圧の絶対値がより小さい場合により低輝度となるノーマリーブラック方式において、前記矩形状の電圧信号が前記第１の電圧レベルであるときであっても、前記矩形状の電圧信号が前記第２の電圧レベルであるときであっても、十分に低輝度な黒表示を行うことができるという更なる効果を奏する。
【０３６２】
また、本発明に係る表示パネルにおいては、前記第１の電圧レベルと、前記第２の電圧レベルとの電位差の絶対値は、液晶の閾値電圧の２倍以下である、ことが好ましい。
【０３６３】
一般に、液晶の配向は、当該液晶に閾値電圧以下の電圧が印加されても、影響を受けない。換言すれば、前記閾値電圧とは、液晶の配向が影響を受け始める電圧のことである（以下同様）。
【０３６４】
上記の構成によれば、前記第１の電圧レベルと、前記第２の電圧レベルとの電位差の絶対値は、液晶の閾値電圧の２倍以下であるため、前記矩形状の電圧信号の電圧レベルが前記第１の電圧レベルであっても、前記第２の電圧レベルであっても、前記液晶の配向が影響を受けないようにすることができる。
【０３６５】
したがって、上記の構成によれば、前記液晶への印加電圧の絶対値がより小さい場合により低輝度となるノーマリーブラック方式において、前記矩形状の電圧信号の電圧レベルが前記第１の電圧レベルであっても、前記第２の電圧レベルであっても、黒表示を行うことができるという更なる効果を奏する。
【０３６６】
また、本発明に係る表示パネルにおいては、前記補助容量ドライバは、前記１走査期間において、前記任意の補助容量バスラインに対し、前記導通信号に同期して、前記第１の電圧レベルと、前記第２の電圧レベルと、前記第１の電圧レベルおよび前記第２の電圧レベルの何れとも異なる第３の電圧レベルとからなる矩形状の電圧信号を供給する、ことが好ましい。
【０３６７】
上記の構成によれば、前記補助容量ドライバは、前記１走査期間において、前記任意の補助容量バスラインに対し、前記導通信号に同期して、前記第１の電圧レベルと、前記第２の電圧レベルと、前記第１の電圧レベルおよび前記第２の電圧レベルの何れとも異なる第３の電圧レベルとからなる矩形状の電圧信号を供給することができるので、上記１走査期間において、上記任意の補助容量バスラインに印加される電圧レベルは、３値に変化する。換言すれば、上記１走査期間において、補助容量バスラインに印加される電圧レベルは、２回遷移する。上記１走査期間における上記電圧レベルの第１回目の遷移によって、上記電圧レベルの第１回目の遷移後において上記液晶に印加される電圧を、上記電圧レベルの第１回目の遷移後における表示に好適なものとし、上記電圧レベルの第２回目の遷移によって、高輝度と低輝度との切り替えを行うことができる。
【０３６８】
すなわち、上記の構成によれば、動画ボケの現象を効果的に抑制しつつ、より高輝度な表示が可能となるという更なる効果を奏する。
【０３６９】
また、本発明に係る表示パネルにおいては、前記矩形状の電圧信号は、前記１走査期間の少なくとも１０パーセントの期間において、前記第１の電圧レベル、前記第２の電圧レベル、または、前記第３の電圧レベルのうち、何れかの電圧レベルをとる、ことが好ましい。
【０３７０】
上記の構成によれば、前記矩形状の電圧信号は、前記１走査期間の少なくとも１０パーセントの期間において、前記第１の電圧レベル、前記第２の電圧レベル、または、前記第３の電圧レベルのうち、何れかの電圧レベルをとるため、上記動画ボケの現象を効果的に抑制することができるという更なる効果を奏する。
【０３７１】
また、本発明に係る表示パネルにおいては、前記矩形状の電圧信号は、前記１走査期間の開始から前記１走査期間の略１０パーセントの期間が経過するまでの期間において、前記第１の電圧レベル、前記第２の電圧レベル、または、前記第３の電圧レベルのうち何れか１つの電圧レベルをとり、前記１走査期間の略９０パーセントの期間が経過してから前記１走査期間が終了するまでの期間において、前記第１の電圧レベル、前記第２の電圧レベル、または、前記第３の電圧レベルのうち他の１つの電圧レベルをとる、ことが好ましい。
【０３７２】
一般に明るい輝度と暗い輝度を切り替えて表示する場合、視聴者は、明るい輝度での表示の比率が９０％以上の場合は動画ボケの改善を感じず、９０〜１０％の間で比率が小さくなるほど動画ボケの改善を感じ、１０％程度でほぼ動画ボケが満足に改善されたと感じる。
【０３７３】
したがって、上記の構成によれば、上記動画ボケの現象を効果的に抑制することができるという更なる効果を奏する。
【０３７４】
また、本発明に係る表示パネルにおいては、前記１走査期間において、最初の前記電圧レベルの遷移後における前記画素電極の電位と前記対向電極の電位との差によって表される前記液晶への印加電圧の極性と、次の前記電圧レベルの遷移後における前記画素電極の電位と前記対向電極の電位との差によって表される前記液晶への印加電圧の極性とは、互いに異なった極性である、ことが好ましい。
【０３７５】
上記の構成によれば、前記１走査期間において、最初の前記電圧レベルの遷移後であっても、次の前記電圧レベルの遷移後であっても、前記液晶への印加電圧の絶対値を十分に小さくすることができる。
【０３７６】
したがって、上記の構成によれば、前記液晶への印加電圧の絶対値がより小さい場合により低輝度となるノーマリーブラック方式において、前記１走査期間における最初の前記電圧レベルの遷移後であっても、次の前記電圧レベルの遷移後であっても、十分に低輝度な黒表示を行うことができるという更なる効果を奏する。
【０３７７】
また、本発明に係る表示パネルにおいては、前記第１の電圧レベル、前記第２の電圧レベル、および、前記第３の電圧レベルのうち、最も高い電圧レベルと、前記第１の電圧レベル、前記第２の電圧レベル、および、前記第３の電圧レベルのうち、中間の電圧レベルとの電位差の絶対値は、液晶の閾値電圧の２倍以下である、ことが好ましい。
【０３７８】
上記の構成によれば、前記第１の電圧レベル、前記第２の電圧レベル、および、前記第３の電圧レベルのうち、最も高い電圧レベルと、前記第１の電圧レベル、前記第２の電圧レベル、および、前記第３の電圧レベルのうち、中間の電圧レベルとの電位差の絶対値は、液晶の閾値電圧の２倍以下であるため、前記矩形状の電圧信号の電圧レベルが前記第１の電圧レベル、前記第２の電圧レベル、および、前記第３の電圧レベルのうち何れの電圧レベルであっても、前記液晶の配向が影響を受けないようにすることができる。
【０３７９】
したがって、上記の構成によれば、前記液晶への印加電圧の絶対値がより小さい場合により低輝度となるノーマリーブラック方式において、前記矩形状の電圧信号の電圧レベルが前記第１の電圧レベル、前記第２の電圧レベル、および、前記第３の電圧レベルの何れであっても、黒表示を行うことができるという更なる効果を奏する。
【０３８０】
また、本発明に係る表示パネルにおいては、前記補助容量ドライバは、前記１走査期間において、前記任意の補助容量バスラインに対し、前記導通信号に同期して、前記第１の電圧レベルと、前記第２の電圧レベルと、前記第１の電圧レベルおよび前記第２の電圧レベルの何れとも異なる第３の電圧レベルとからなる矩形状の電圧信号を供給し、前記１走査期間の次の１走査期間において、前記第１の電圧レベル、前記第２の電圧レベル、および、前記第３の電圧レベルのうち、何れか２つの電圧レベルと、前記第１の電圧レベル、前記第２の電圧レベル、および、前記第３の電圧レベルの何れとも異なる第４の電圧レベルとからなる矩形状の電圧信号を供給する、ことが好ましい。
【０３８１】
上記の構成によれば、前記補助容量ドライバは、前記１走査期間において、前記任意の補助容量バスラインに対し、前記導通信号に同期して、前記第１の電圧レベルと、前記第２の電圧レベルと、前記第１の電圧レベルおよび前記第２の電圧レベルの何れとも異なる第３の電圧レベルとからなる矩形状の電圧信号を供給することができるので、上記１走査期間において、上記任意の補助容量バスラインに印加される電圧レベルは、３値に変化する。換言すれば、上記１走査期間において、補助容量バスラインに印加される電圧レベルは、２回遷移する。上記１走査期間における上記電圧レベルの第１回目の遷移によって、上記電圧レベルの第１回目の遷移後において上記液晶に印加される電圧を、上記電圧レベルの第１回目の遷移後における表示に好適なものとし、上記電圧レベルの第２回目の遷移によって、高輝度と低輝度との切り替えを行うことができる。
【０３８２】
したがって、上記の構成によれば、動画ボケの現象を効果的に抑制しつつ、より高輝度な表示が可能となるという更なる効果を奏する。
【０３８３】
さらに、上記の構成によれば、前記１走査期間の次の１走査期間において、前記第１の電圧レベル、前記第２の電圧レベル、および、前記第３の電圧レベルのうち、何れか２つの電圧レベルと、前記第１の電圧レベル、前記第２の電圧レベル、および、前記第３の電圧レベルの何れとも異なる第４の電圧レベルとからなる矩形状の電圧信号を供給することができるので、前記１走査期間の次の１走査期間において、前記第１の電圧レベル、前記第２の電圧レベル、および、前記第３の電圧レベルとからなる矩形状の電圧信号を供給する場合に比べて、高輝度と低輝度の輝度レベルの調整をより柔軟に行うことができる。
【０３８４】
したがって、上記の構成によれば、上記動画ボケの現象をより一層効果的に抑制しつつ、高輝度な表示を行うことができるという更なる効果を奏する。
【０３８５】
また、本発明に係る表示パネルにおいては、前記１走査期間における最初の前記電圧レベルの遷移の前後における前記電圧レベルの電位差の絶対値は、前記１走査期間における次の前記電圧レベルの遷移の前後における前記電圧レベルの電位差の絶対値よりも小さい、ことが好ましい。
【０３８６】
上記の構成によれば、前記１走査期間における最初の前記電圧レベルの遷移の前後における前記電圧レベルの電位差の絶対値は、前記１走査期間における次の前記電圧レベルの遷移の前後における前記電圧レベルの電位差の絶対値よりも小さいため、前記次の前記電圧レベルの遷移の前後における輝度差を、前記最初の前記電圧レベルの遷移の前後における輝度差よりも大きくすることができる。したがって、上記の構成によれば、上記動画ボケの現象をより効果的に抑制することができるという更なる効果を奏する。
【０３８７】
また、本発明に係る表示パネルにおいては、前記矩形状の電圧信号は、前記１走査期間の少なくとも１０パーセントの期間において、前記第１の電圧レベル、前記第２の電圧レベル、前記第３の電圧レベル、または、前記第４の電圧レベルのうち、何れかの電圧レベルをとる、ことが好ましい。
【０３８８】
上記の構成によれば、前記矩形状の電圧信号は、前記１走査期間の少なくとも１０パーセントの期間において、前記第１の電圧レベル、前記第２の電圧レベル、前記第３の電圧レベル、または、前記第４の電圧レベルのうち、何れかの電圧レベルをとるため、上記動画ボケの現象を効果的に抑制することができるという更なる効果を奏する。
【０３８９】
また、本発明に係る表示パネルにおいては、前記矩形状の電圧信号は、前記１走査期間の開始から前記１走査期間の略１０パーセントの期間が経過するまでの期間において、前記第１の電圧レベル、前記第２の電圧レベル、前記第３の電圧レベル、または、前記第４の電圧レベルのうち何れか１つの電圧レベルをとり、前記１走査期間の略９０パーセントの期間が経過してから前記１走査期間が終了するまでの期間において、前記第１の電圧レベル、前記第２の電圧レベル、前記第３の電圧レベル、または、前記第４の電圧レベルのうち他の１つの電圧レベルをとる、ことが好ましい。
【０３９０】
一般に明るい輝度と暗い輝度を切り替えて表示する場合、視聴者は、明るい輝度での表示の比率が９０％以上の場合は動画ボケの改善を感じず、９０〜１０％の間で比率が小さくなるほど動画ボケの改善を感じ、１０％程度でほぼ動画ボケが満足に改善されたと感じる。
【０３９１】
したがって、上記の構成によれば、上記動画ボケの現象を効果的に抑制することができるという更なる効果を奏する。
【０３９２】
また、本発明に係る表示パネルにおいては、前記１走査期間において、最初の前記電圧レベルの遷移後における前記画素電極の電位と前記対向電極の電位との差によって表される前記液晶への印加電圧の極性と、次の前記電圧レベルの遷移後における前記画素電極の電位と前記対向電極の電位との差によって表される前記液晶への印加電圧の極性とは、互いに異なった極性である、ことが好ましい。
【０３９３】
上記の構成によれば、前記１走査期間において、最初の前記電圧レベルの遷移後であっても、次の前記電圧レベルの遷移後であっても、前記液晶への印加電圧の絶対値を十分に小さくすることができる。
【０３９４】
したがって、上記の構成によれば、前記液晶への印加電圧の絶対値がより小さい場合により低輝度となるノーマリーブラック方式において、前記１走査期間における最初の前記電圧レベルの遷移後であっても、次の前記電圧レベルの遷移後であっても、十分に低輝度な黒表示を行うことができるという更なる効果を奏する。
【０３９５】
また、本発明に係る表示パネルにおいては、前記第１の電圧レベル、前記第２の電圧レベル、前記第３の電圧レベル、および、前記第４の電圧レベルのうち、２番目に低い電圧レベルと、前記第１の電圧レベル、前記第２の電圧レベル、前記第３の電圧レベル、および、前記第４の電圧レベルのうち、最も高い電圧レベルとの電位差の絶対値は、液晶の閾値電圧の２倍以下である、ことが好ましい。
【０３９６】
上記の構成によれば、前記第１の電圧レベル、前記第２の電圧レベル、前記第３の電圧レベル、および、前記第４の電圧レベルのうち、２番目に低い電圧レベルと、前記第１の電圧レベル、前記第２の電圧レベル、前記第３の電圧レベル、および、前記第４の電圧レベルのうち、最も高い電圧レベルとの電位差の絶対値は、液晶の閾値電圧の２倍以下であるため、前記矩形状の電圧信号の電圧レベルが前記第１の電圧レベル、前記第２の電圧レベル、前記第３の電圧レベル、および、前記第４の電圧レベルの何れの電圧レベルであっても、前記液晶の配向が影響を受けないようにすることができる。
【０３９７】
したがって、上記の構成によれば、前記液晶への印加電圧の絶対値がより小さい場合により低輝度となるノーマリーブラック方式において、前記矩形状の電圧信号の電圧レベルが前記第１の電圧レベル、前記第２の電圧レベル、前記第３の電圧レベル、および、前記第４の電圧レベルの何れであっても、黒表示を行うことができるという更なる効果を奏する。
【０３９８】
また、本発明に係る表示パネルにおいては、前記ゲートドライバが前記任意のゲートバスラインに対して前記導通信号を供給したときに、前記任意の補助容量バスラインに対して前記電圧レベルのうち、最も低い電圧レベルが供給されている場合には、前記補助容量ドライバは、前記任意の補助容量バスラインに対して、前記１走査期間において、前記電圧レベルが昇順である前記矩形状の電圧信号を供給する、ことが好ましい。
【０３９９】
一般に、画素電極に電圧が印加されていない場合に、黒表示となるノーマリーブラック方式においては、液晶の応答に有限の時間を有することに起因して、低輝度から高輝度への立ち上がりが不十分となる現象が生じる。換言すれば、低輝度から高輝度への変化に要する時間が、高輝度から低輝度への変化に要する時間よりも大きいという特性がある。上記現象は、画素電極に印加される信号が正極性である場合には、画素電極の電位が高電圧へと変化するタイミングにおいて生じ得る。
【０４００】
上記の構成によれば、前記ゲートドライバが前記任意のゲートバスラインに対して前記導通信号を供給したときに、前記任意の補助容量バスラインに対して前記電圧レベルのうち、最も低い電圧レベルが供給されている場合には、上記１走査期間において、前記画素電極に対して、電圧レベルのより低い電圧信号を供給し、それに引き続き、電圧レベルのより高い電圧信号を供給することができる。
【０４０１】
したがって、画素電極に印加される電位を段階的に高い電圧へと変化させることができる。これによって、ノーマリーブラック方式において生じ得る上記の低輝度から高輝度への立ち上がりが不十分となる現象を抑制することができるという更なる効果を奏する。
【０４０２】
また、本発明に係る表示パネルにおいては、前記ゲートドライバが前記任意のゲートバスラインに対して前記導通信号を供給したときに、前記任意の補助容量バスラインに対して前記電圧レベルのうち、最も高い電圧レベルが供給されている場合には、前記補助容量ドライバは、前記任意の補助容量バスラインに対して、前記１走査期間において、前記電圧レベルが降順である前記矩形状の電圧信号を供給する、ことが好ましい。
【０４０３】
一般に、画素電極に電圧が印加されていない場合に、黒表示となるノーマリーブラック方式においては、液晶の応答に有限の時間を有することに起因して、低輝度から高輝度への立ち上がりが不十分となる現象が生じる。換言すれば、低輝度から高輝度への変化に要する時間が、高輝度から低輝度への変化に要する時間よりも大きいという特性がある。上記現象は、画素電極に印加される信号が負極性である場合には、画素電極の電位が低電圧へと変化するタイミングにおいて生じ得る。
【０４０４】
上記の構成によれば、前記ゲートドライバが前記任意のゲートバスラインに対して前記導通信号を供給したときに、前記任意の補助容量バスラインに対して前記電圧レベルのうち、最も高い電圧レベルが供給されている場合には、前記１走査期間において、前記画素電極に対して、電圧レベルのより高い電圧信号を供給し、それに引き続き、電圧レベルのより低い電圧信号を供給することができる。
【０４０５】
したがって、画素電極に印加される電位を段階的に低い電圧へと変化させることができる。これによって、ノーマリーブラック方式において生じ得る上記の低輝度から高輝度への立ち上がりが不十分となる現象を抑制することができるという更なる効果を奏する。
【０４０６】
また、本発明に係る表示パネルにおいては、前記補助容量ドライバは、前記複数のゲートバスラインのうちｎ番目のゲートバスラインに前記トランジスタ及び前記キャパシタを介して接続された前記補助容量バスラインと、前記複数のゲートバスラインのうちｎ＋１番目のゲートバスラインに前記トランジスタ及び前記キャパシタを介して接続された前記補助容量バスラインとに対し、前記矩形状の電圧信号を同期して供給する、ことが好ましい。
【０４０７】
上記の構成によれば、前記複数のゲートバスラインのうちｎ番目のゲートバスラインに前記トランジスタ及び前記キャパシタを介して接続された前記補助容量バスラインと、前記複数のゲートバスラインのうちｎ＋１番目のゲートバスラインに前記トランジスタ及び前記キャパシタを介して接続された前記補助容量バスラインとに対し、前記矩形状の電圧信号を同期して供給することができるため、より簡単な構成の前記補助容量ドライバにより、上記動画ボケの現象を抑制することができるという更なる効果を奏する。
【０４０８】
また、本発明に係る表示パネルにおいては、前記補助容量ドライバは、前記複数のゲートバスラインのうちｎ番目のゲートバスラインに前記トランジスタ及び前記キャパシタを介して接続された前記補助容量バスラインと、前記複数のゲートバスラインのうちｎ＋２番目のゲートバスラインに前記トランジスタ及び前記キャパシタを介して接続された前記補助容量バスラインとに対し、前記矩形状の電圧信号を同期して供給する、ことが好ましい。
【０４０９】
上記の構成によれば、前記補助容量ドライバは、前記複数のゲートバスラインのうちｎ番目のゲートバスラインに前記トランジスタ及び前記キャパシタを介して接続された前記補助容量バスラインと、前記複数のゲートバスラインのうちｎ＋２番目のゲートバスラインに前記トランジスタ及び前記キャパシタを介して接続された前記補助容量バスラインとに対し、前記矩形状の電圧信号を同期して供給することができるので、より簡単な構成の前記補助容量ドライバにより、フリッカや極性反転に応じたスジの発生を抑制しつつ、上記動画ボケの現象を抑制することができるという更なる効果を奏する。
【０４１０】
また、本発明に係る表示パネルにおいては、前記複数のゲートバスラインの本数は偶数であり、前記複数の補助容量バスラインの本数は、前記ゲートバスラインの本数の半数であり、前記複数のゲートバスラインのうち２ｋ−１番目（ｋは自然数）のゲートバスラインに前記トランジスタを介して接続された前記キャパシタの前記他の一端と、前記複数のゲートバスラインのうち２ｋ番目のゲートバスラインに前記トランジスタを介して接続された前記キャパシタの前記他の一端とが、前記複数の補助容量バスラインのうちｋ番目の補助容量バスラインに接続されている、ことが好ましい。
【０４１１】
上記の構成によれば、上記表示パネルに形成される上記補助容量バスラインの本数を、上記複数のゲートバスラインの本数の半分にすることができるため、より簡単な構成の表示パネルにより、上記動画ボケの現象を抑制することができるという更なる効果を奏する。
【０４１２】
また、本発明に係る表示パネルにおいては、前記補助容量ドライバは、前記矩形状の電圧信号の振幅の大きさを変更する振幅変更手段を備えている、ことが好ましい。
【０４１３】
上記の構成によれば、前記補助容量ドライバは、前記矩形状の電圧信号の振幅の大きさを変更する振幅変更手段を備えているため、より効果的に動画ボケの現象を抑制することができるという更なる効果を奏する。
【０４１４】
また、本発明に係る表示パネルにおいては、前記ソースドライバは、前記矩形状の電圧信号の振幅がより小さい場合に、より振幅の大きな前記ソース信号を供給し、前記矩形状の電圧信号の振幅がより大きい場合に、より振幅の小さな前記ソース信号を供給する、ことが好ましい。
【０４１５】
上記の構成によれば、前記ソースドライバは、前記矩形状の電圧信号の振幅がより小さい場合に、より振幅の大きな前記ソース信号を供給し、前記矩形状の電圧信号の振幅がより大きい場合に、より振幅の小さな前記ソース信号を供給することができるため、前記矩形状の電圧信号の振幅がより大きい場合であっても、前記矩形状の電圧信号の振幅がより小さい場合であっても、上記動画ボケの現象を効果的に抑制することができるという更なる効果を奏する。
【０４１６】
なお、前記ソース信号の振幅とは、正極性書き込み時における前記ソース信号の電圧レベルから負極性書き込み時における前記ソース信号の電圧レベルを引き算したものとして定義されるものとする（以下同様）。また、正極性書き込み時とは、前記導通信号供給時であって前記矩形状の電圧信号が最も低い電圧レベルである場合を指し、負極性書き込み時とは、前記導通信号供給時であって前記矩形状の電圧信号が最も高い電圧レベルである場合を指す（以下同様）。
【０４１７】
また、本発明に係る表示パネルは、２つの前記補助容量ドライバを備え、前記任意の補助容量バスラインは、絶縁部を介して同一直線上に形成された２本の補助容量バスラインから構成され、２つの前記補助容量ドライバのうち一方の前記補助容量ドライバは、前記１走査期間において、前記２本の補助容量バスラインのうち一方の補助容量バスラインに対し、前記導通信号に同期して、第１の電圧レベルおよび前記第１の電圧レベルと異なる第２の電圧レベルからなる矩形状の電圧信号を供給し、２つの前記補助容量ドライバのうち他の一方の前記補助容量ドライバは、前記１走査期間において、前記２本の補助容量バスラインのうち他の一方の補助容量バスラインに対し、前記導通信号に同期して、第１の電圧レベルおよび前記第１の電圧レベルと異なる第２の電圧レベルからなる矩形状の電圧信号を供給してもよい。
【０４１８】
上記の構成によれば、絶縁部を介して同一直線上に形成された２本の補助容量バスラインのうち一方の補助容量バスラインに対して、上記一方の補助容量ドライバによって、上記矩形状の電圧信号が供給され、上記他の一方の補助容量バスラインに対して、上記他の一方の補助容量ドライバによって、上記矩形状の電圧信号が供給される。
【０４１９】
したがって、上記の構成によれば、上記一方の補助容量バスラインに接続された画素電極と、上記他の一方の補助容量バスラインに接続された画素電極とに対し、互いに独立に上記矩形状の電圧信号を供給することができる。
【０４２０】
したがって、上記の構成によれば、上記一方の補助容量バスラインに接続された画素電極を備える画素領域と、上記他の一方の補助容量バスラインに接続された画素電極を備える画素領域とが、それぞれ上記動画ボケの現象の改善効果が異なる画像を表示することができるため、ユーザに対して、本発明による上記動画ボケの改善効果を訴求することができる。すなわち、ユーザに対して、本発明による上記動画ボケの改善効果を効果的にアピールすることができるという更なる効果を奏する。
【０４２１】
また、本発明に係る表示パネルにおいては、前記ソースドライバは、前記一方の補助容量バスラインに前記キャパシタおよび前記トランジスタを介して接続された前記ソースバスラインと、前記他の一方の補助容量バスラインに前記キャパシタおよび前記トランジスタを介して接続された前記ソースバスラインとに対し、それぞれ振幅の異なったソース信号を供給する、ことが好ましい。
【０４２２】
上記の構成によれば、前記ソースドライバは、前記一方の補助容量バスラインに前記キャパシタおよび前記トランジスタを介して接続された前記ソースバスラインと、前記他の一方の補助容量バスラインに前記キャパシタおよび前記トランジスタを介して接続された前記ソースバスラインとに対し、それぞれ振幅の異なったソース信号を供給することができるため、上記一方の補助容量バスラインに接続された画素電極と、上記他の一方の補助容量バスラインに接続された画素電極とに対し、互いに独立に上記矩形状の電圧信号を供給することによって、上記動画ボケの現象以外の画像の視認性を同一にしつつ、上記一方の補助容量バスラインに接続された画素電極を備える画素領域と、上記他の一方の補助容量バスラインに接続された画素電極を備える画素領域とが、それぞれ上記動画ボケの現象の改善効果が異なる画像を表示することができるため、ユーザに対して、本発明による上記動画ボケの改善効果をより効果的に訴求することができる。すなわち、ユーザに対して、本発明による上記動画ボケの改善効果をより効果的にアピールすることができるという更なる効果を奏する。
【０４２３】
また、本発明に係る表示パネルにおいては、前記一方の補助容量バスラインの長さは、前記任意の補助容量バスラインの長さの略４５パーセントから略５５パーセントの長さであり、前記他の一方の補助容量バスラインの長さは、前記任意の補助容量バスラインの長さから前記一方の補助容量バスラインの長さを引いた長さに略等しい、ことが好ましい。
【０４２４】
上記の構成によれば、上記任意の補助容量バスラインは、表示パネルにおいて画像を表示する表示部を上記ソースバスラインに平行に２等分する中心線から±５パーセントの範囲内において、上記一方の補助容量バスラインと、上記他の一方の補助容量バスラインとに電気的に分離されている。
【０４２５】
したがって、上記の構成によれば、上記表示部の一方の半面に配置された画素電極を備える画素領域の輝度、および、もう一方の半面に配置された画素電極を備える画素領域の輝度を、上記１走査期間において、各々独立に制御することができる。また、前記一方の補助容量バスラインの負荷特性と、前記他の一方の補助容量バスラインの負荷特性とを略同一にすることができるため、前記一方の補助容量バスラインに接続された補助容量ドライバの構成と、前記他の一方の補助容量バスラインに接続された補助容量ドライバの構成とを略同一にすることができる。
【０４２６】
したがって、上記の構成によれば、設計および製造がより容易な構成によって、ユーザに対して、本発明による上記動画ボケの改善効果を効果的にアピールすることができるという更なる効果を奏する。
【０４２７】
また、本発明に係る表示パネルにおいては、前記一方の補助容量ドライバは、前記矩形状の電圧信号の振幅の大きさを変更する第１の振幅変更手段を備えており、前記他の一方の補助容量ドライバは、前記矩形状の電圧信号の振幅の大きさを変更する第２の振幅変更手段を備えている、ことが好ましい。
【０４２８】
上記の構成によれば、前記一方の補助容量ドライバは、前記矩形状の電圧信号の振幅の大きさを変更する第１の振幅変更手段を備えており、前記他の一方の補助容量ドライバは、前記矩形状の電圧信号の振幅の大きさを変更する第２の振幅変更手段を備えているため、前記一方の補助容量ドライバ、および、前記他の一方の補助容量ドライバは、それぞれ振幅の異なった前記矩形状の電圧信号を供給することができる。
【０４２９】
したがって、上記の構成によれば、前記一方の補助容量ドライバ、および、前記他の一方の補助容量ドライバが、それぞれ振幅の異なった前記矩形状の電圧信号を供給することによって、上記一方の補助容量バスラインに接続された画素電極を備える画素領域と、上記他の一方の補助容量バスラインに接続された画素電極を備える画素領域とが、それぞれ上記動画ボケの現象の改善効果が異なる画像を表示することができるため、ユーザに対して、本発明による上記動画ボケの改善効果を訴求することができる。すなわち、ユーザに対して、本発明による上記動画ボケの改善効果をより効果的にアピールすることができるという更なる効果を奏する。
【０４３０】
また、本発明に係る表示パネルにおいては、前記ソースドライバは、前記一方の補助容量ドライバが前記一方の補助容量バスラインに振幅のより小さい前記矩形状の電圧信号を供給した場合には、前記一方の補助容量バスラインに前記キャパシタおよび前記トランジスタを介して接続された前記ソースバスラインに対して振幅のより大きい前記ソース信号を供給し、前記一方の補助容量ドライバが前記一方の補助容量バスラインに振幅のより大きい前記矩形状の電圧信号を供給した場合には、前記一方の補助容量バスラインに前記キャパシタおよび前記トランジスタを介して接続された前記ソースバスラインに対して振幅のより小さい前記ソース信号を供給し、前記他の一方の補助容量ドライバが前記他の一方の補助容量バスラインに振幅のより小さい前記矩形状の電圧信号を供給した場合には、前記他の一方の補助容量バスラインに前記キャパシタおよび前記トランジスタを介して接続された前記ソースバスラインに対して振幅のより大きい前記ソース信号を供給し、前記他の一方の補助容量ドライバが前記他の一方の補助容量バスラインに振幅のより大きい前記矩形状の電圧信号を供給した場合には、前記他の一方の補助容量バスラインに前記キャパシタおよび前記トランジスタを介して接続された前記ソースバスラインに対して振幅のより小さい前記ソース信号を供給する、ことが好ましい。
【０４３１】
上記の構成によれば、前記一方の補助容量ドライバが前記一方の補助容量バスラインに供給する前記矩形状の電圧信号の振幅に応じて、前記一方の補助容量バスラインに前記キャパシタおよび前記トランジスタを介して接続された前記ソースバスラインに対して前記ソースドライバが供給するソース信号の振幅を制御し、前記他の一方の補助容量ドライバが前記他の一方の補助容量バスラインに供給する前記矩形状の電圧信号の振幅に応じて、前記他の一方の補助容量バスラインに前記キャパシタおよび前記トランジスタを介して接続された前記ソースバスラインに対して前記ソースドライバが供給するソース信号の振幅を制御することによって、上記動画ボケの現象以外の画像の視認性を同一にしつつ、上記一方の補助容量バスラインに接続された画素電極を備える画素領域と、上記他の一方の補助容量バスラインに接続された画素電極を備える画素領域とが、それぞれ上記動画ボケの現象の改善効果が異なる画像を表示することができる。したがって、ユーザに対して、本発明による上記動画ボケの改善効果をより効果的にアピールすることができるという更なる効果を奏する。
【０４３２】
また、本発明に係る表示パネルにおいては、前記キャパシタの前記一端が、前記複数のゲートバスラインのうちｎ番目のゲートバスラインと、前記複数のソースラインのうちｍ番目のソースバスラインとに接続された前記トランジスタに接続されている場合には、前記キャパシタの前記他の一端は、前記複数の補助容量バスラインのうちｎ番目の補助容量バスラインに接続され、前記キャパシタの前記一端が、前記複数のゲートバスラインのうちｎ番目のゲートバスラインと、前記複数のソースラインのうちｍ＋１番目のソースバスラインとに接続された前記トランジスタに接続されている場合には、前記キャパシタの前記他の一端は、前記複数の補助容量バスラインのうちｎ−１番目の補助容量バスラインに接続されている、ことが好ましい。
【０４３３】
上記のように構成された表示パネルによれば、互いに隣接する画素電極に印加されるソース信号の極性が互いに反対の極性であるドット反転駆動を行うことによって、フリッカやクロストークなどを抑制しつつ、上記動画ボケの現象を抑制することができるという更なる効果を奏する。
【０４３４】
また、上記のように構成された表示パネルを備えた液晶表示装置も本発明の範疇に含まれる。
【０４３５】
また、本発明に係る駆動方法は、複数のゲートバスラインと、複数のソースバスラインと、複数の補助容量バスラインと、前記複数のゲートバスラインのうち任意のゲートバスラインに接続されたゲートと、前記複数のソースバスラインのうち任意のソースバスラインに接続されたソースとを備えたトランジスタと、前記トランジスタのドレインに接続された画素電極と、一端が前記画素電極と並列に前記トランジスタのドレインに接続され、他の一端が前記複数の補助容量バスラインのうち任意の補助容量バスラインに接続されたキャパシタと、前記複数のソースバスラインのそれぞれの一端に接続され、前記任意のソースバスラインに対してソース信号を供給するソースドライバと、前記複数のゲートバスラインのそれぞれの一端に接続され、前記トランジスタを導通させる導通信号を前記任意のゲートバスラインに対して逐次的に供給するゲートドライバと、液晶を介して前記画素電極に対向する対向電極と、前記対向電極に接続された対向電極用配線と、前記対向電極用配線に対して共通電位を供給する対向電極ドライバと、を備えた表示パネルを駆動する駆動方法であって、前記ゲートドライバが前記任意のゲートバスラインに対して前記導通信号を供給してから次の前記導通信号を供給するまでの１走査期間において、前記任意の補助容量バスラインに対し、前記導通信号に同期して、少なくとも第１の電圧レベルおよび前記第１の電圧レベルと異なる第２の電圧レベルからなる矩形状の電圧信号を供給する電圧信号供給工程を含んでおり、前記１走査期間において、前記矩形状の電圧信号が前記第１の電圧レベルである期間、および、前記第２の電圧レベルである期間は、それぞれ、前記液晶の応答時間よりも長い、ことを特徴としている。
【０４３６】
上記の方法によれば、本発明に係る上記表示パネルと同様の効果を奏する。
【０４３７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０４３８】
また、上述した各実施形態における表示パネルを備えている液晶表示装置も本発明に含まれる。
【産業上の利用可能性】
【０４３９】
本発明は、液晶を用いて画像を表示する表示パネルに好適に適用することができる。
【符号の説明】
【０４４０】
１  表示パネル
１１  制御部
１２  ソースドライバ
１３  ゲートドライバ
１４  補助容量ドライバ
１５  対向電極ドライバ
１６  表示部
ＳＬm  ソースバスライン
ＧＬn  ゲートバスライン
ＣＳＬn  補助容量バスライン
ＣＯＭＬ  対向電極用配線
Ｐn,m  画素領域
ＰＥn,m  画素電極
Ｍn,m  トランジスタ
ＥCOM  対向電極
Ｃn,m  キャパシタ
ＣＥ1n,m  第１の補助容量電極
ＣＥ2n,m  第２の補助容量電極
【図１】
0005512698.tif 000002
【図２】
0005512698.tif 000003
【図３】
0005512698.tif 000004
【図４】
0005512698.tif 000005
【図５】
0005512698.tif 000006
【図６】
0005512698.tif 000007
【図７】
0005512698.tif 000008
【図８】
0005512698.tif 000009
【図９】
0005512698.tif 000010
【図１０】
0005512698.tif 000011
【図１１】
0005512698.tif 000012
【図１２】
0005512698.tif 000013
【図１３】
0005512698.tif 000014
【図１４】
0005512698.tif 000015
【図１５】
0005512698.tif 000016
【図１６】
0005512698.tif 000017
【図１７】
0005512698.tif 000018
【図１８】
0005512698.tif 000019
【図１９】
0005512698.tif 000020
【図２０】
0005512698.tif 000021
【図２１】
0005512698.tif 000022
【図２２】
0005512698.tif 000023
【図２３】
0005512698.tif 000024
【図２４】
0005512698.tif 000025
【図２５】
0005512698.tif 000026